(57)【特許請求の範囲】
【請求項１】
直交周波数分割多重（ＯＦＤＭ）トーンを割り当てるための通信デバイスであって、
プロセッサと、
前記プロセッサと電子通信中のメモリと、
前記メモリ内に格納された命令とを備え、前記命令は、
信号送信に関する帯域幅が２０メガヘルツ（ＭＨｚ）か、４０ＭＨｚか、８０ＭＨｚか、あるいは、１６０ＭＨｚかを決定し、
前記帯域幅が２０ＭＨｚの場合、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを割り当て、
前記帯域幅が４０ＭＨｚの場合、前記ＶＨＴ−ＳＩＧ−Ａ１に関しては１０４個のトーンを、前記ＶＨＴ−ＳＩＧ−Ａ２に関しては１０４個のトーンを、前記ＶＨＴ−ＳＴＦに関しては２４個のトーンを、前記１つ又は複数のＶＨＴ−ＬＴＦに関しては１１４個のトーンを、前記ＶＨＴ−ＳＩＧ−Ｂに関しては１１４個のトーンを、かつ、前記ＤＡＴＡに関しては１１４個のトーンを割り当て、
前記帯域幅が８０ＭＨｚの場合、前記ＶＨＴ−ＳＩＧ−Ａ１に関しては２０８個のトーンを、前記ＶＨＴ−ＳＩＧ−Ａ２に関しては２０８個のトーンを、前記ＶＨＴ−ＳＴＦに関しては４８個のトーンを、前記１つ又は複数のＶＨＴ−ＬＴＦに関しては２４２個のトーンを、前記ＶＨＴ−ＳＩＧ−Ｂに関しては２４２個のトーンを、かつ、前記ＤＡＴＡに関しては２４２個のトーンを割り当て、
前記帯域幅が１６０ＭＨｚの場合、前記ＶＨＴ−ＳＩＧ−Ａ１に関しては４１６個のトーンを、前記ＶＨＴ−ＳＩＧ−Ａ２に関しては４１６個のトーンを、前記ＶＨＴ−ＳＴＦに関しては４８個のトーンを、前記１つ又は複数のＶＨＴ−ＬＴＦに関しては４８４個のトーンを、前記ＶＨＴ−ＳＩＧ−Ｂに関しては４８４個のトーンを、かつ、前記ＤＡＴＡに関しては４８４個のトーンを割り当て、
かつ、前記信号を送信し、
ここで、前記帯域幅が８０ＭＨｚあるいは１６０ＭＨｚの場合、前記ＶＨＴ−ＳＩＧ−Ｂは１つ又は複数のパッド・ビットを運ぶ、
ように実行可能である、通信デバイス。
【請求項２】
前記命令が、
前記帯域幅が２０ＭＨｚの場合、ノン・ハイ・スループット（ノンＨＴ）ショート・トレーニング・フィールド（Ｌ−ＳＴＦ）に関しては１２個のトーンを、ノンＨＴロング・トレーニング・フィールド（Ｌ−ＬＴＦ）に関しては５２個のトーンを、かつ、ノンＨＴ信号フィールド（Ｌ−ＳＩＧ）に関しては５２個のトーンを割り当て、
前記帯域幅が４０ＭＨｚの場合、前記Ｌ−ＳＴＦに関しては２４個のトーンを、前記Ｌ−ＬＴＦに関しては１０４個のトーンを、かつ、前記Ｌ−ＳＩＧに関しては１０４個のトーンを割り当て、
前記帯域幅が８０ＭＨｚの場合、前記Ｌ−ＳＴＦに関しては４８個のトーンを、前記Ｌ−ＬＴＦに関しては２０８個のトーンを、かつ、前記Ｌ−ＳＩＧに関しては２０８個のトーンを割り当て、
前記帯域幅が１６０ＭＨｚの場合、前記Ｌ−ＳＴＦに関しては４８個のトーンを、前記Ｌ−ＬＴＦに関しては４１６個のトーンを、かつ、前記Ｌ−ＳＩＧに関しては４１６個のトーンを割り当てる、
ように更に実行可能である、請求項１の通信デバイス。
【請求項３】
前記帯域幅が２０ＭＨｚの場合、前記ＶＨＴ−ＳＩＧ−Ｂは２６ビットを運び、前記帯域幅が４０ＭＨｚの場合、前記ＶＨＴ−ＳＩＧ−Ｂは帯域幅２０ＭＨｚごとに２７ビットを運び、前記帯域幅が８０ＭＨｚの場合、前記ＶＨＴ−ＳＩＧ−Ｂは帯域幅２０ＭＨｚごとに２９ビットを運び、前記帯域幅が１６０ＭＨｚの場合、前記ＶＨＴ−ＳＩＧ−Ｂは帯域幅２０ＭＨｚごとに２９ビットを運ぶ、請求項１の通信デバイス。
【請求項４】
前記命令が前記帯域幅に基づいて帯域幅メッセージを生成する、ようにさらに実行可能である請求項１の通信デバイス。
【請求項５】
前記命令は、フレームがベリー・ハイ・スループット（ＶＨＴ）信号を含んでいることを指示するために、直交２相位相変調（ＱＢＰＳＫ）を用いて、前記ＶＨＴ−ＳＩＧ−Ａ２を変調する、ようにさらに実行可能である請求項１の通信デバイス。
【請求項６】
前記帯域幅が８０ＭＨｚの場合、前記命令は、サブキャリア・インデックス−１０３、−７５、−３９、−１１、１１、３９、７５、及び、１０３で、パイロット・トーンを挿入する、ようにさらに実行可能である請求項１の通信デバイス。
【請求項７】
直交周波数分割多重（ＯＦＤＭ）トーンを受け取るための通信デバイスであって、
プロセッサと、
前記プロセッサと電子通信中のメモリと、
前記メモリ内に格納された命令と、を備え、前記命令は、
信号受信に関する帯域幅が２０メガヘルツ（ＭＨｚ）か、４０ＭＨｚか、８０ＭＨｚか、あるいは１６０ＭＨｚかを決定し、
前記帯域幅が２０ＭＨｚの場合、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを受け取り、
前記帯域幅が４０ＭＨｚの場合、前記ＶＨＴ−ＳＩＧ−Ａ１に関しては１０４個のトーンを、前記ＶＨＴ−ＳＩＧ−Ａ２に関しては１０４個のトーンを、前記ＶＨＴ−ＳＴＦに関しては２４個のトーンを、前記１つ又は複数のＶＨＴ−ＬＴＦに関しては１１４個のトーンを、前記ＶＨＴ−ＳＩＧ−Ｂに関しては１１４個のトーンを、かつ、前記ＤＡＴＡに関しては１１４個のトーンを受け取り、
前記帯域幅が８０ＭＨｚの場合、前記ＶＨＴ−ＳＩＧ−Ａ１に関しては２０８個のトーンを、前記ＶＨＴ−ＳＩＧ−Ａ２に関しては２０８個のトーンを、前記ＶＨＴ−ＳＴＦに関しては４８個のトーンを、前記１つ又は複数のＶＨＴ−ＬＴＦに関しては２４２個のトーンを、前記ＶＨＴ−ＳＩＧ−Ｂに関しては２４２個のトーンを、かつ、前記ＤＡＴＡに関しては２４２個のトーンを受け取り、
前記帯域幅が１６０ＭＨｚの場合、前記ＶＨＴ−ＳＩＧ−Ａ１に関しては４１６個のトーンを、前記ＶＨＴ−ＳＩＧ−Ａ２に関しては４１６個のトーンを、前記ＶＨＴ−ＳＴＦに関しては４８個のトーンを、前記１つ又は複数のＶＨＴ−ＬＴＦに関しては４８４個のトーンを、前記ＶＨＴ−ＳＩＧ−Ｂに関しては４８４個のトーンを、かつ、前記ＤＡＴＡに関しては４８４個のトーンを受け取り、
前記帯域幅が８０ＭＨｚあるいは１６０ＭＨｚの場合、前記ＶＨＴ−ＳＩＧ−Ｂは１つ又は複数のパッド・ビットを運ぶ、
ように実行可能である、通信デバイス。
【請求項８】
前記命令が、
前記帯域幅が２０ＭＨｚの場合、ノン・ハイ・スループット（ノンＨＴ）ショート・トレーニング・フィールド（Ｌ−ＳＴＦ）に関しては１２個のトーンを、ノンＨＴロング・トレーニング・フィールド（Ｌ−ＬＴＦ）に関しては５２個のトーンを、かつ、ノンＨＴ信号フィールド（Ｌ−ＳＩＧ）に関しては５２個のトーンを受け取り、
前記帯域幅が４０ＭＨｚの場合、前記Ｌ−ＳＴＦに関しては２４個のトーンを、前記Ｌ−ＬＴＦに関しては１０４個のトーンを、かつ、前記Ｌ−ＳＩＧに関しては１０４個のトーンを受け取り、
前記帯域幅が８０ＭＨｚの場合、前記Ｌ−ＳＴＦに関しては４８個のトーンを、前記Ｌ−ＬＴＦに関しては２０８個のトーンを、かつ、前記Ｌ−ＳＩＧに関しては２０８個のトーンを受け取り、
前記帯域幅が１６０ＭＨｚの場合、前記Ｌ−ＳＴＦに関しては４８個のトーンを、前記Ｌ−ＬＴＦに関しては４１６個のトーンを、かつ、前記Ｌ−ＳＩＧに関しては４１６個のトーンを受け取る、
ように更に実行可能である、請求項７の通信デバイス。
【請求項９】
前記帯域幅が２０ＭＨｚの場合、前記ＶＨＴ−ＳＩＧ−Ｂは２６ビットを運び、前記帯域幅が４０ＭＨｚの場合、前記ＶＨＴ−ＳＩＧ−Ｂは帯域幅２０ＭＨｚごとに２７ビットを運び、前記帯域幅が８０ＭＨｚの場合、前記ＶＨＴ−ＳＩＧ−Ｂは帯域幅２０ＭＨｚごとに２９ビットを運び、前記帯域幅が１６０ＭＨｚの場合、前記ＶＨＴ−ＳＩＧ−Ｂは帯域幅２０ＭＨｚごとに２９ビットを運ぶ、請求項７の通信デバイス。
【請求項１０】
信号受信に関する前記帯域幅が２０ＭＨｚか、４０ＭＨｚか、８０ＭＨｚか、あるいは１６０ＭＨｚかを決定することは、帯域幅の指示を受け取ることを備える、請求項７の通信デバイス。
【請求項１１】
前記ＶＨＴ−ＳＩＧ−Ａ２が直交２相位相変調（ＱＢＰＳＫ）を用いる場合、前記命令は、ベリー・ハイ・スループット（ＶＨＴ）信号を検出する、ようにさらに実行可能である請求項７の通信デバイス。
【請求項１２】
前記帯域幅が８０ＭＨｚの場合、前記命令は、サブキャリア・インデックス−１０３、−７５、−３９、−１１、１１、３９、７５、及び、１０３で、パイロット・トーンを受け取る、ようにさらに実行可能である請求項７の通信デバイス。
【請求項１３】
通信デバイス上に直交周波数分割多重（ＯＦＤＭ）トーンを割り当てるための方法であって、
信号送信に関する帯域幅が２０メガヘルツ（ＭＨｚ）か、４０ＭＨｚか、８０ＭＨｚか、あるいは１６０ＭＨｚかを決定することと、
前記帯域幅が２０ＭＨｚの場合、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを割り当てることと、
前記帯域幅が４０ＭＨｚの場合、前記ＶＨＴ−ＳＩＧ−Ａ１に関しては１０４個のトーンを、前記ＶＨＴ−ＳＩＧ−Ａ２に関しては１０４個のトーンを、前記ＶＨＴ−ＳＴＦに関しては２４個のトーンを、前記１つ又は複数のＶＨＴ−ＬＴＦに関しては１１４個のトーンを、前記ＶＨＴ−ＳＩＧ−Ｂに関しては１１４個のトーンを、かつ、前記ＤＡＴＡに関しては１１４個のトーンを割り当てることと、
前記帯域幅が８０ＭＨｚの場合、前記ＶＨＴ−ＳＩＧ−Ａ１に関しては２０８個のトーンを、前記ＶＨＴ−ＳＩＧ−Ａ２に関しては２０８個のトーンを、前記ＶＨＴ−ＳＴＦに関しては４８個のトーンを、前記１つ又は複数のＶＨＴ−ＬＴＦに関しては２４２個のトーンを、前記ＶＨＴ−ＳＩＧ−Ｂに関しては２４２個のトーンを、かつ、前記ＤＡＴＡに関しては２４２個のトーンを割り当てることと、
前記帯域幅が１６０ＭＨｚの場合、前記ＶＨＴ−ＳＩＧ−Ａ１に関しては４１６個のトーンを、前記ＶＨＴ−ＳＩＧ−Ａ２に関しては４１６個のトーンを、前記ＶＨＴ−ＳＴＦに関しては４８個のトーンを、前記１つ又は複数のＶＨＴ−ＬＴＦに関しては４８４個のトーンを、前記ＶＨＴ−ＳＩＧ−Ｂに関しては４８４個のトーンを、かつ、前記ＤＡＴＡに関しては４８４個のトーンを割り当てることと、
前記信号を送信することと、
ここで、前記帯域幅が８０ＭＨｚあるいは１６０ＭＨｚの場合、前記ＶＨＴ−ＳＩＧ−Ｂは１つ又は複数のパッド・ビットを運ぶ、
を備える方法。
【請求項１４】
前記帯域幅が２０ＭＨｚの場合、ノン・ハイ・スループット（ノンＨＴ）ショート・トレーニング・フィールド（Ｌ−ＳＴＦ）に関しては１２個のトーンを、ノンＨＴロング・トレーニング・フィールド（Ｌ−ＬＴＦ）に関しては５２個のトーンを、かつ、ノンＨＴ信号フィールド（Ｌ−ＳＩＧ）に関しては５２個のトーンを割り当てることと、
前記帯域幅が４０ＭＨｚの場合、前記Ｌ−ＳＴＦに関しては２４個のトーンを、前記Ｌ−ＬＴＦに関しては１０４個のトーンを、かつ、前記Ｌ−ＳＩＧに関しては１０４個のトーンを割り当てることと、
前記帯域幅が８０ＭＨｚの場合、前記Ｌ−ＳＴＦに関しては４８個のトーンを、前記Ｌ−ＬＴＦに関しては２０８個のトーンを、かつ、前記Ｌ−ＳＩＧに関しては２０８個のトーンを割り当てることと、
前記帯域幅が１６０ＭＨｚの場合、前記Ｌ−ＳＴＦに関しては４８個のトーンを、前記Ｌ−ＬＴＦに関しては４１６個のトーンを、かつ、前記Ｌ−ＳＩＧに関しては４１６個のトーンを割り当てることと、
を更に備える請求項１３の方法。
【請求項１５】
前記帯域幅が２０ＭＨｚの場合、前記ＶＨＴ−ＳＩＧ−Ｂは２６ビットを運び、前記帯域幅が４０ＭＨｚの場合、前記ＶＨＴ−ＳＩＧ−Ｂは帯域幅２０ＭＨｚごとに２７ビットを運び、前記帯域幅が８０ＭＨｚの場合、前記ＶＨＴ−ＳＩＧ−Ｂは帯域幅２０ＭＨｚごとに２９ビットを運び、前記帯域幅が１６０ＭＨｚの場合、前記ＶＨＴ−ＳＩＧ−Ｂは帯域幅２０ＭＨｚごとに２９ビットを運ぶ、請求項１３の方法。
【請求項１６】
前記帯域幅に基づいて帯域幅メッセージを生成する、ことを更に備える請求項１３の方法。
【請求項１７】
フレームがベリー・ハイ・スループット（ＶＨＴ）信号を含んでいることを指示するために、直交２相位相変調（ＱＢＰＳＫ）を用いて、前記ＶＨＴ−ＳＩＧ−Ａ２を変調すること、を更に備える請求項１３の方法。
【請求項１８】
前記帯域幅が８０ＭＨｚの場合、サブキャリア・インデックス−１０３、−７５、−３９、−１１、１１、３９、７５、及び、１０３で、パイロット・トーンを挿入すること、を更に備える請求項１３の方法。
【請求項１９】
通信デバイス上で直交周波数分割多重（ＯＦＤＭ）トーンを受け取るための方法であって、
信号受信に関する帯域幅が２０メガヘルツ（ＭＨｚ）か、４０ＭＨｚか、８０ＭＨｚか、あるいは１６０ＭＨｚかを決定することと、
前記帯域幅が２０ＭＨｚの場合、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを受け取ることと、
前記帯域幅が４０ＭＨｚの場合、前記ＶＨＴ−ＳＩＧ−Ａ１に関しては１０４個のトーンを、前記ＶＨＴ−ＳＩＧ−Ａ２に関しては１０４個のトーンを、前記ＶＨＴ−ＳＴＦに関しては２４個のトーンを、前記１つ又は複数のＶＨＴ−ＬＴＦに関しては１１４個のトーンを、前記ＶＨＴ−ＳＩＧ−Ｂに関しては１１４個のトーンを、かつ、前記ＤＡＴＡに関しては１１４個のトーンを受け取ることと、
前記帯域幅が８０ＭＨｚの場合、前記ＶＨＴ−ＳＩＧ−Ａ１に関しては２０８個のトーンを、前記ＶＨＴ−ＳＩＧ−Ａ２に関しては２０８個のトーンを、前記ＶＨＴ−ＳＴＦに関しては４８個のトーンを、前記１つ又は複数のＶＨＴ−ＬＴＦに関しては２４２個のトーンを、前記ＶＨＴ−ＳＩＧ−Ｂに関しては２４２個のトーンを、かつ、前記ＤＡＴＡに関しては２４２個のトーンを受け取ることと、
前記帯域幅が１６０ＭＨｚの場合、前記ＶＨＴ−ＳＩＧ−Ａ１に関しては４１６個のトーンを、前記ＶＨＴ−ＳＩＧ−Ａ２に関しては４１６個のトーンを、前記ＶＨＴ−ＳＴＦに関しては４８個のトーンを、前記１つ又は複数のＶＨＴ−ＬＴＦに関しては４８４個のトーンを、前記ＶＨＴ−ＳＩＧ−Ｂに関しては４８４個のトーンを、かつ、前記ＤＡＴＡに関しては４８４個のトーンを受け取ることと、
ここで、前記帯域幅が８０ＭＨｚあるいは１６０ＭＨｚの場合、前記ＶＨＴ−ＳＩＧ−Ｂは１つ又は複数のパッド・ビットを運ぶ、
を備える方法。
【請求項２０】
前記帯域幅が２０ＭＨｚの場合、ノン・ハイ・スループット（ノンＨＴ）ショート・トレーニング・フィールド（Ｌ−ＳＴＦ）に関しては１２個のトーンを、ノンＨＴロング・トレーニング・フィールド（Ｌ−ＬＴＦ）に関しては５２個のトーンを、かつ、ノンＨＴ信号フィールド（Ｌ−ＳＩＧ）に関しては５２個のトーンを受け取ることと、
前記帯域幅が４０ＭＨｚの場合、前記Ｌ−ＳＴＦに関しては２４個のトーンを、前記Ｌ−ＬＴＦに関しては１０４個のトーンを、かつ、前記Ｌ−ＳＩＧに関しては１０４個のトーンを受け取ることと、
前記帯域幅が８０ＭＨｚの場合、前記Ｌ−ＳＴＦに関しては４８個のトーンを、前記Ｌ−ＬＴＦに関しては２０８個のトーンを、かつ、前記Ｌ−ＳＩＧに関しては２０８個のトーンを受け取ることと、
前記帯域幅が１６０ＭＨｚの場合、前記Ｌ−ＳＴＦに関しては４８個のトーンを、前記Ｌ−ＬＴＦに関しては４１６個のトーンを、かつ、前記Ｌ−ＳＩＧに関しては４１６個のトーンを受け取ることと、
を更に備える請求項１９の方法。
【請求項２１】
前記帯域幅が２０ＭＨｚの場合、前記ＶＨＴ−ＳＩＧ−Ｂは２６ビットを運び、前記帯域幅が４０ＭＨｚの場合、前記ＶＨＴ−ＳＩＧ−Ｂは帯域幅２０ＭＨｚごとに２７ビットを運び、前記帯域幅が８０ＭＨｚの場合、前記ＶＨＴ−ＳＩＧ−Ｂは帯域幅２０ＭＨｚごとに２９ビットを運び、前記帯域幅が１６０ＭＨｚの場合、前記ＶＨＴ−ＳＩＧ−Ｂは帯域幅２０ＭＨｚごとに２９ビットを運ぶ、請求項１９の方法。
【請求項２２】
信号受信に関する前記帯域幅が２０ＭＨｚか、４０ＭＨｚか、８０ＭＨｚか、あるいは１６０ＭＨｚかを決定することは、帯域幅の指示を受け取ること、を備える請求項１９の方法。
【請求項２３】
前記ＶＨＴ−ＳＩＧ−Ａ２が直交２相位相変調（ＱＢＰＳＫ）を用いる場合、ベリー・ハイ・スループット（ＶＨＴ）信号を検出すること、を更に備える請求項１９の方法。
【請求項２４】
前記帯域幅が８０ＭＨｚの場合、サブキャリア・インデックス−１０３、−７５、−３９、−１１、１１、３９、７５、及び、１０３で、パイロット・トーンを受け取ること、を更に備える請求項１９の方法。
【請求項２５】
直交周波数分割多重（ＯＦＤＭ）トーンを割り当てるための命令を有するコンピュータ可読記憶媒体であって、前記命令は、
通信デバイスに、信号送信に関する帯域幅が２０メガヘルツ（ＭＨｚ）か、４０ＭＨｚか、８０ＭＨｚか、あるいは１６０ＭＨｚかを決定させるためのコードと、
前記帯域幅が２０ＭＨｚの場合、前記通信デバイスに、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを割り当てさせるためのコードと、
前記帯域幅が４０ＭＨｚの場合、前記通信デバイスに、前記ＶＨＴ−ＳＩＧ−Ａ１に関しては１０４個のトーンを、前記ＶＨＴ−ＳＩＧ−Ａ２に関しては１０４個のトーンを、前記ＶＨＴ−ＳＴＦに関しては２４個のトーンを、前記１つ又は複数のＶＨＴ−ＬＴＦに関しては１１４個のトーンを、前記ＶＨＴ−ＳＩＧ−Ｂに関しては１１４個のトーンを、かつ、前記ＤＡＴＡに関しては１１４個のトーンを割り当てさせるためのコードと、
前記帯域幅が８０ＭＨｚの場合、前記通信デバイスに、前記ＶＨＴ−ＳＩＧ−Ａ１に関しては２０８個のトーンを、前記ＶＨＴ−ＳＩＧ−Ａ２に関しては２０８個のトーンを、前記ＶＨＴ−ＳＴＦに関しては４８個のトーンを、前記１つ又は複数のＶＨＴ−ＬＴＦに関しては２４２個のトーンを、前記ＶＨＴ−ＳＩＧ−Ｂに関しては２４２個のトーンを、かつ、前記ＤＡＴＡに関しては２４２個のトーンを割り当てさせるためのコードと、
前記帯域幅が１６０ＭＨｚの場合、前記通信デバイスに、前記ＶＨＴ−ＳＩＧ−Ａ１に関しては４１６個のトーンを、前記ＶＨＴ−ＳＩＧ−Ａ２に関しては４１６個のトーンを、前記ＶＨＴ−ＳＴＦに関しては４８個のトーンを、前記１つ又は複数のＶＨＴ−ＬＴＦに関しては４８４個のトーンを、前記ＶＨＴ−ＳＩＧ−Ｂに関しては４８４個のトーンを、かつ、前記ＤＡＴＡに関しては４８４個のトーンを割り当てさせるためのコードと、
前記通信デバイスに前記信号を送信させるためのコードと、を備え、
ここで、前記帯域幅が８０ＭＨｚあるいは１６０ＭＨｚの場合、前記ＶＨＴ−ＳＩＧ−Ｂは１つ又は複数のパッド・ビットを運ぶ、
コンピュータ可読記憶媒体。
【請求項２６】
前記帯域幅が２０ＭＨｚの場合、前記ＶＨＴ−ＳＩＧ−Ｂは２６ビットを運び、前記帯域幅が４０ＭＨｚの場合、前記ＶＨＴ−ＳＩＧ−Ｂは帯域幅２０ＭＨｚごとに２７ビットを運び、前記帯域幅が８０ＭＨｚの場合、前記ＶＨＴ−ＳＩＧ−Ｂは帯域幅２０ＭＨｚごとに２９ビットを運び、前記帯域幅が１６０ＭＨｚの場合、前記ＶＨＴ−ＳＩＧ−Ｂは帯域幅２０ＭＨｚごとに２９ビットを運ぶ、請求項２５のコンピュータ可読記憶媒体。
【請求項２７】
前記命令が、前記通信デバイスに、前記帯域幅に基づいて帯域幅メッセージを生成させるためのコード、を更に備える請求項２５のコンピュータ可読記憶媒体。
【請求項２８】
前記命令が、フレームがベリー・ハイ・スループット（ＶＨＴ）信号を含んでいることを指示するために、直交２相位相変調（ＱＢＰＳＫ）を用いて、前記通信デバイスに、前記ＶＨＴ−ＳＩＧ−Ａ２を変調させるためのコード、を更に備える請求項２５のコンピュータ可読記憶媒体。
【請求項２９】
直交周波数分割多重（ＯＦＤＭ）トーンを受け取るための命令を有するコンピュータ可読記憶媒であって、前記命令は、
通信デバイスに、信号受信に関する帯域幅が２０メガヘルツ（ＭＨｚ）か、４０ＭＨｚか、８０ＭＨｚか、あるいは１６０ＭＨｚかを決定させるためのコードと、
前記帯域幅が２０ＭＨｚの場合、前記通信デバイスに、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを受け取らせるためのコードと、
前記帯域幅が４０ＭＨｚの場合、前記通信デバイスに、前記ＶＨＴ−ＳＩＧ−Ａ１に関しては１０４個のトーンを、前記ＶＨＴ−ＳＩＧ−Ａ２に関しては１０４個のトーンを、前記ＶＨＴ−ＳＴＦに関しては２４個のトーンを、前記１つ又は複数のＶＨＴ−ＬＴＦに関しては１１４個のトーンを、前記ＶＨＴ−ＳＩＧ−Ｂに関しては１１４個のトーンを、かつ、前記ＤＡＴＡに関しては１１４個のトーンを受け取らせるためのコードと、
前記帯域幅が８０ＭＨｚの場合、前記通信デバイスに、前記ＶＨＴ−ＳＩＧ−Ａ１に関しては２０８個のトーンを、前記ＶＨＴ−ＳＩＧ−Ａ２に関しては２０８個のトーンを、前記ＶＨＴ−ＳＴＦに関しては４８個のトーンを、前記１つ又は複数のＶＨＴ−ＬＴＦに関しては２４２個のトーンを、前記ＶＨＴ−ＳＩＧ−Ｂに関しては２４２個のトーンを、かつ、前記ＤＡＴＡに関しては２４２個のトーンを受け取らせるためのコードと、
前記帯域幅が１６０ＭＨｚの場合、前記通信デバイスに、前記ＶＨＴ−ＳＩＧ−Ａ１に関しては４１６個のトーンを、前記ＶＨＴ−ＳＩＧ−Ａ２に関しては４１６個のトーンを、前記ＶＨＴ−ＳＴＦに関しては４８個のトーンを、前記１つ又は複数のＶＨＴ−ＬＴＦに関しては４８４個のトーンを、前記ＶＨＴ−ＳＩＧ−Ｂに関しては４８４個のトーンを、かつ、前記ＤＡＴＡに関しては４８４個のトーンを受け取らせるためのコードと、を備え、
ここで、前記帯域幅が８０ＭＨｚあるいは１６０ＭＨｚの場合、前記ＶＨＴ−ＳＩＧ−Ｂは１つ又は複数のパッド・ビットを運ぶ、
コンピュータ可読記憶媒体。
【請求項３０】
前記帯域幅が２０ＭＨｚの場合、前記ＶＨＴ−ＳＩＧ−Ｂは２６ビットを運び、前記帯域幅が４０ＭＨｚの場合、前記ＶＨＴ−ＳＩＧ−Ｂは帯域幅２０ＭＨｚごとに２７ビットを運び、前記帯域幅が８０ＭＨｚの場合、前記ＶＨＴ−ＳＩＧ−Ｂは帯域幅２０ＭＨｚごとに２９ビットを運び、前記帯域幅が１６０ＭＨｚの場合、前記ＶＨＴ−ＳＩＧ−Ｂは帯域幅２０ＭＨｚごとに２９ビットを運ぶ、請求項２９のコンピュータ可読記憶媒体。
【請求項３１】
信号受信に関する前記帯域幅が２０ＭＨｚか、４０ＭＨｚか、８０ＭＨｚか、あるいは、１６０ＭＨｚかを決定することは、帯域幅の指示を受け取ること、を備える請求項２９のコンピュータ可読記憶媒体。
【請求項３２】
前記ＶＨＴ−ＳＩＧ−Ａ２が直交２相位相変調（ＱＢＰＳＫ）を用いる場合、前記命令は、前記通信デバイスに、ベリー・ハイ・スループット（ＶＨＴ）信号を検出させるためのコード、を更に備える請求項２９のコンピュータ可読記憶媒体。
【請求項３３】
直交周波数分割多重（ＯＦＤＭ）トーンを割り当てるための装置であって、
信号送信に関する帯域幅が２０メガヘルツ（ＭＨｚ）か、４０ＭＨｚか、８０ＭＨｚか、あるいは１６０ＭＨｚかを決定するための手段と、
前記帯域幅が２０ＭＨｚの場合、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを割り当てるための手段と、
前記帯域幅が４０ＭＨｚの場合、前記ＶＨＴ−ＳＩＧ−Ａ１に関しては１０４個のトーンを、前記ＶＨＴ−ＳＩＧ−Ａ２に関しては１０４個のトーンを、前記ＶＨＴ−ＳＴＦに関しては２４個のトーンを、前記１つ又は複数のＶＨＴ−ＬＴＦに関しては１１４個のトーンを、前記ＶＨＴ−ＳＩＧ−Ｂに関しては１１４個のトーンを、かつ、前記ＤＡＴＡに関しては１１４個のトーンを割り当てるための手段と、
前記帯域幅が８０ＭＨｚの場合、前記ＶＨＴ−ＳＩＧ−Ａ１に関しては２０８個のトーンを、前記ＶＨＴ−ＳＩＧ−Ａ２に関しては２０８個のトーンを、前記ＶＨＴ−ＳＴＦに関しては４８個のトーンを、前記１つ又は複数のＶＨＴ−ＬＴＦに関しては２４２個のトーンを、前記ＶＨＴ−ＳＩＧ−Ｂに関しては２４２個のトーンを、かつ、前記ＤＡＴＡに関しては２４２個のトーンを割り当てるための手段と、
前記帯域幅が１６０ＭＨｚの場合、前記ＶＨＴ−ＳＩＧ−Ａ１に関しては４１６個のトーンを、前記ＶＨＴ−ＳＩＧ−Ａ２に関しては４１６個のトーンを、前記ＶＨＴ−ＳＴＦに関しては４８個のトーンを、前記１つ又は複数のＶＨＴ−ＬＴＦに関しては４８４個のトーンを、前記ＶＨＴ−ＳＩＧ−Ｂに関しては４８４個のトーンを、かつ、前記ＤＡＴＡに関しては４８４個のトーンを割り当てるための手段と、
前記信号を送信するための手段と、を含み、
ここで、前記帯域幅が８０ＭＨｚあるいは１６０ＭＨｚの場合、前記ＶＨＴ−ＳＩＧ−Ｂは１つ又は複数のパッド・ビットを運ぶ、
装置。
【請求項３４】
前記帯域幅が２０ＭＨｚの場合、前記ＶＨＴ−ＳＩＧ−Ｂは２６ビットを運び、前記帯域幅が４０ＭＨｚの場合、前記ＶＨＴ−ＳＩＧ−Ｂは帯域幅２０ＭＨｚごとに２７ビットを運び、前記帯域幅が８０ＭＨｚの場合、前記ＶＨＴ−ＳＩＧ−Ｂは帯域幅２０ＭＨｚごとに２９ビットを運び、前記帯域幅が１６０ＭＨｚの場合、前記ＶＨＴ−ＳＩＧ−Ｂは帯域幅２０ＭＨｚごとに２９ビットを運ぶ、請求項３３の装置。
【請求項３５】
前記帯域幅に基づいて帯域幅メッセージを生成するための手段、を更に備える請求項３３の装置。
【請求項３６】
フレームがベリー・ハイ・スループット（ＶＨＴ）信号を含んでいることを指示するために、直交２相位相変調（ＱＢＰＳＫ）を用いて、前記ＶＨＴ−ＳＩＧ−Ａ２を変調させるための手段、を更に備える請求項３３の装置。
【請求項３７】
直交周波数分割多重（ＯＦＤＭ）トーンを受け取るための装置であって、
信号受信に関する帯域幅が２０メガヘルツ（ＭＨｚ）か、４０ＭＨｚか、８０ＭＨｚか、あるいは１６０ＭＨｚかを決定するための手段と、
前記帯域幅が２０ＭＨｚの場合、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを受け取るための手段と、
前記帯域幅が４０ＭＨｚの場合、前記ＶＨＴ−ＳＩＧ−Ａ１に関しては１０４個のトーンを、前記ＶＨＴ−ＳＩＧ−Ａ２に関しては１０４個のトーンを、前記ＶＨＴ−ＳＴＦに関しては２４個のトーンを、前記１つ又は複数のＶＨＴ−ＬＴＦに関しては１１４個のトーンを、前記ＶＨＴ−ＳＩＧ−Ｂに関しては１１４個のトーンを、かつ、前記ＤＡＴＡに関しては１１４個のトーンを受け取るための手段と、
前記帯域幅が８０ＭＨｚの場合、前記ＶＨＴ−ＳＩＧ−Ａ１に関しては２０８個のトーンを、前記ＶＨＴ−ＳＩＧ−Ａ２に関しては２０８個のトーンを、前記ＶＨＴ−ＳＴＦに関しては４８個のトーンを、前記１つ又は複数のＶＨＴ−ＬＴＦに関しては２４２個のトーンを、前記ＶＨＴ−ＳＩＧ−Ｂに関しては２４２個のトーンを、かつ、前記ＤＡＴＡに関しては２４２個のトーンを受け取るための手段と、
前記帯域幅が１６０ＭＨｚの場合、前記ＶＨＴ−ＳＩＧ−Ａ１に関しては４１６個のトーンを、前記ＶＨＴ−ＳＩＧ−Ａ２に関しては４１６個のトーンを、前記ＶＨＴ−ＳＴＦに関しては４８個のトーンを、前記１つ又は複数のＶＨＴ−ＬＴＦに関しては４８４個のトーンを、前記ＶＨＴ−ＳＩＧ−Ｂに関しては４８４個のトーンを、かつ、前記ＤＡＴＡに関しては４８４個のトーンを受け取るための手段と、を備え、
ここで、前記帯域幅が８０ＭＨｚあるいは１６０ＭＨｚの場合、前記ＶＨＴ−ＳＩＧ−Ｂは１つ又は複数のパッド・ビットを運ぶ、
装置。
【請求項３８】
前記帯域幅が２０ＭＨｚの場合、前記ＶＨＴ−ＳＩＧ−Ｂは２６ビットを運び、前記帯域幅が４０ＭＨｚの場合、前記ＶＨＴ−ＳＩＧ−Ｂは帯域幅２０ＭＨｚごとに２７ビットを運び、前記帯域幅が８０ＭＨｚの場合、前記ＶＨＴ−ＳＩＧ−Ｂは帯域幅２０ＭＨｚごとに２９ビットを運び、前記帯域幅が１６０ＭＨｚの場合、前記ＶＨＴ−ＳＩＧ−Ｂは帯域幅２０ＭＨｚごとに２９ビットを運ぶ、請求項３７の装置。
【請求項３９】
信号受信に関する前記帯域幅が２０ＭＨｚか、４０ＭＨｚか、８０ＭＨｚか、あるいは、１６０ＭＨｚかを決定することは、帯域幅の指示を受け取ることを備える、請求項３７の装置。
【請求項４０】
前記ＶＨＴ−ＳＩＧ−Ａ２が直交２相位相変調（ＱＢＰＳＫ）を用いる場合、ベリー・ハイ・スループット（ＶＨＴ）信号を検出するための手段を更に備える、請求項３７の装置。
【発明の詳細な説明】
【関連出願】
【０００１】
この出願は、２０１０年４月１４日に出願され、「ＴＯＮＥ  ＮＵＭＥＲＯＬＯＧＹ  ＦＯＲ  ８０２．１１ａｃ  ＰＲＥＡＭＢＬＥ」と題を付けられ、参照によって全体としてここに組み込まれた、米国仮特許出願  第６１／３２３，９７６号に関連しており、該仮出願からの優先権を主張する。
【技術分野】
【０００２】
本開示は、一般に通信システムに関連している。より詳細には、本開示はフレームに関してトーンを割り当てること及び受け取ることに関連している。
【背景技術】
【０００３】
データ、声、映像などの多様なタイプの通信内容を提供するために、通信システムは広く用いられている。このようなシステムは、多重通信デバイス（例えば、無線通信デバイス、アクセス端末、など）と１つ又は複数のその他の通信デバイス（例えば、基地局、アクセス・ポイント、など）との同時通信をサポートすることのできる、多重アクセス・システムでも良い。
【０００４】
通信デバイスの利用は、過去数年間にわたって劇的に増加している。通信デバイスは多くの場合、例えばローカル・エリア・ネットワーク（ＬＡＮ）又はインターネットなどの、ネットワークへのアクセスを提供する。その他の通信デバイス（例えば、アクセス端末、ラップトップ・コンピュータ、スマート・フォン、メディア・プレイヤー、ゲーム機、など）は、ネットワーク・アクセスを提供する通信デバイスと無線で通信することができる。いくつかの通信デバイスは、米国電気電子学会（ＩＥＥＥ）８０２．１１（例えば、無線忠実度（Ｗｉｒｅｌｅｓｓ  Ｆｉｄｅｌｉｔｙ）又は「Ｗｉ−Ｆｉ」）標準など、ある業界標準を遵守している。例えば、通信デバイスのユーザは、多くの場合、そのような通信デバイスを用いて無線ネットワークに接続する。
【０００５】
通信デバイスの利用が増えるにつれて、通信デバイスの容量、信頼性、及び能率の向上が求められている。通信デバイスの容量、信頼性、及び／又は能率を向上するシステム及び方法は、有益かもしれない。
【発明の概要】
【０００６】
直交周波数分割多重（ＯＦＤＭ）トーンを割り当てるための通信デバイスが開示されている。該通信デバイスは、プロセッサと電子通信中のメモリ内に格納された、命令及びプロセッサを含んでいる。該通信デバイスは、信号送信に関する帯域幅が２０メガヘルツ（ＭＨｚ）か、４０ＭＨｚか、８０ＭＨｚか、あるいは１６０ＭＨｚかを決定する。また、帯域幅が２０ＭＨｚの場合、該通信デバイスは、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを割り当てる。加えて、帯域幅が４０ＭＨｚの場合、該通信デバイスは、ＶＨＴ−ＳＩＧ−Ａ１に関しては１０４個のトーンを、ＶＨＴ−ＳＩＧ−Ａ２に関しては１０４個のトーンを、ＶＨＴ−ＳＴＦに関しては２４個のトーンを、１つ又は複数のＶＨＴ−ＬＴＦに関しては１１４個のトーンを、ＶＨＴ−ＳＩＧ−Ｂに関しては１１４個のトーンを、かつ、ＤＡＴＡに関しては１１４個のトーンを割り当てる。さらに、帯域幅が８０ＭＨｚの場合、該通信デバイスは、ＶＨＴ−ＳＩＧ−Ａ１に関しては２０８個のトーンを、ＶＨＴ−ＳＩＧ−Ａ２に関しては２０８個のトーンを、ＶＨＴ−ＳＴＦに関しては４８個のトーンを、１つ又は複数のＶＨＴ−ＬＴＦに関しては２４２個のトーンを、ＶＨＴ−ＳＩＧ−Ｂに関しては２４２個のトーンを、かつ、ＤＡＴＡに関しては２４２個のトーンを割り当てる。また、帯域幅が１６０ＭＨｚの場合、該通信デバイスは、ＶＨＴ−ＳＩＧ−Ａ１に関しては４１６個のトーンを、ＶＨＴ−ＳＩＧ−Ａ２に関しては４１６個のトーンを、ＶＨＴ−ＳＴＦに関しては４８個のトーンを、１つ又は複数のＶＨＴ−ＬＴＦに関しては４８４個のトーンを、ＶＨＴ−ＳＩＧ−Ｂに関しては４８４個のトーンを、かつ、ＤＡＴＡに関しては４８４個のトーンを割り当てる。加えて、該通信デバイスは信号を送信する。
【０００７】
帯域幅が２０ＭＨｚの場合、該通信デバイスは、ノン・ハイ・スループット（ノンＨＴ（ｎｏｎ−ｈｉｇｈ  ｔｈｒｏｕｇｈｐｕｔ））ショート・トレーニング・フィールド（Ｌ−ＳＴＦ）に関しては１２個のトーンを、ノンＨＴロング・トレーニング・フィールド（Ｌ−ＬＴＦ）に関しては５２個のトーンを、かつ、ノンＨＴ信号フィールド（Ｌ−ＳＩＧ）に関しては５２個のトーンを割り当てることができる。また、帯域幅が４０ＭＨｚの場合、該通信デバイスは、Ｌ−ＳＴＦに関しては２４個のトーンを、Ｌ−ＬＴＦに関しては１０４個のトーンを、かつ、Ｌ−ＳＩＧに関しては１０４個のトーンを割り当てることができる。加えて、帯域幅が８０ＭＨｚの場合、該通信デバイスは、Ｌ−ＳＴＦに関しては４８個のトーンを、Ｌ−ＬＴＦに関しては２０８個のトーンを、かつ、Ｌ−ＳＩＧに関しては２０８個のトーンを割り当てることができる。さらに、帯域幅が１６０ＭＨｚの場合、該通信デバイスは、Ｌ−ＳＴＦに関しては４８個のトーンを、Ｌ−ＬＴＦに関しては４１６個のトーンを、かつ、Ｌ−ＳＩＧに関しては４１６個のトーンを割り当てることができる。  該帯域幅が２０ＭＨｚの場合、ＶＨＴ−ＳＩＧ−Ｂは２６ビットを運ぶことができる。該帯域幅が４０ＭＨｚの場合、ＶＨＴ−ＳＩＧ−Ｂは帯域幅２０ＭＨｚごとに２７ビットを運ぶことができる。該帯域幅が８０ＭＨｚの場合、ＶＨＴ−ＳＩＧ−Ｂは帯域幅２０ＭＨｚごとに２９ビットを運ぶことができる。該帯域幅が１６０ＭＨｚの場合、ＶＨＴ−ＳＩＧ−Ｂは帯域幅２０ＭＨｚごとに２９ビットを運ぶことができる。該帯域幅が８０ＭＨｚあるいは１６０ＭＨｚの場合、ＶＨＴ−ＳＩＧ−Ｂは１つ又は複数のパッド・ビットを運ぶことができる。
【０００８】
該通信デバイスは、該帯域幅に基づいて帯域幅メッセージを生成することができる。該通信デバイスは、フレームがベリー・ハイ・スループット（ＶＨＴ）信号を含んでいることを表すために、直交２相位相変調（ＱＢＰＳＫ）を用いて、ＶＨＴ−ＳＩＧ−Ａ２を変調することができる。該帯域幅が８０ＭＨｚの場合、該通信デバイスは、サブキャリア・インデックス−１０３、−７５、−３９、−１１、１１、３９、７５、及び、１０３で、パイロット・トーンを挿入することができる。
【０００９】
また、直交周波数分割多重（ＯＦＤＭ）トーンを受け取るための通信デバイスが開示されている。該通信デバイスは、プロセッサと電子通信中のメモリ内に格納された、命令及びプロセッサを含んでいる。該通信デバイスは、信号受信に関する帯域幅が２０メガヘルツ（ＭＨｚ）か、４０ＭＨｚか、８０ＭＨｚか、あるいは１６０ＭＨｚかを決定する。また、帯域幅が２０ＭＨｚの場合、該通信デバイスは、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを受け取る。加えて、帯域幅が４０ＭＨｚの場合、該通信デバイスは、ＶＨＴ−ＳＩＧ−Ａ１に関しては１０４個のトーンを、ＶＨＴ−ＳＩＧ−Ａ２に関しては１０４個のトーンを、ＶＨＴ−ＳＴＦに関しては２４個のトーンを、１つ又は複数のＶＨＴ−ＬＴＦに関しては１１４個のトーンを、ＶＨＴ−ＳＩＧ−Ｂに関しては１１４個のトーンを、かつ、ＤＡＴＡに関しては１１４個のトーンを受け取る。さらに、帯域幅が８０ＭＨｚの場合、該通信デバイスは、ＶＨＴ−ＳＩＧ−Ａ１に関しては２０８個のトーンを、ＶＨＴ−ＳＩＧ−Ａ２に関しては２０８個のトーンを、ＶＨＴ−ＳＴＦに関しては４８個のトーンを、１つ又は複数のＶＨＴ−ＬＴＦに関しては２４２個のトーンを、ＶＨＴ−ＳＩＧ−Ｂに関しては２４２個のトーンを、かつ、ＤＡＴＡに関しては２４２個のトーンを受け取る。また、帯域幅が１６０ＭＨｚの場合、該通信デバイスは、ＶＨＴ−ＳＩＧ−Ａ１に関しては４１６個のトーンを、ＶＨＴ−ＳＩＧ−Ａ２に関しては４１６個のトーンを、ＶＨＴ−ＳＴＦに関しては４８個のトーンを、１つ又は複数のＶＨＴ−ＬＴＦに関しては４８４個のトーンを、ＶＨＴ−ＳＩＧ−Ｂに関しては４８４個のトーンを、かつ、ＤＡＴＡに関しては４８４個のトーンを受け取る。信号受信に関する帯域幅が２０ＭＨｚか、４０ＭＨｚか、８０ＭＨｚか、あるいは１６０ＭＨｚかを決定することには、帯域幅の指示を受け取ることを含むことができる。
【００１０】
帯域幅が２０ＭＨｚの場合、該通信デバイスは、ノン・ハイ・スループット（ノンＨＴ）ショート・トレーニング・フィールド（Ｌ−ＳＴＦ）に関しては１２個のトーンを、ノンＨＴロング・トレーニング・フィールド（Ｌ−ＬＴＦ）に関しては５２個のトーンを、かつ、ノンＨＴ信号フィールド（Ｌ−ＳＩＧ）に関しては５２個のトーンを受け取ることができる。帯域幅が４０ＭＨｚの場合、該通信デバイスは、Ｌ−ＳＴＦに関しては２４個のトーンを、Ｌ−ＬＴＦに関しては１０４個のトーンを、かつ、Ｌ−ＳＩＧに関しては１０４個のトーンを受け取ることができる。帯域幅が８０ＭＨｚの場合、該通信デバイスは、Ｌ−ＳＴＦに関しては４８個のトーンを、Ｌ−ＬＴＦに関しては２０８個のトーンを、かつ、Ｌ−ＳＩＧに関しては２０８個のトーンを受け取ることができる。帯域幅が１６０ＭＨｚの場合、該通信デバイスは、Ｌ−ＳＴＦに関しては４８個のトーンを、Ｌ−ＬＴＦに関しては４１６個のトーンを、かつ、Ｌ−ＳＩＧに関しては４１６個のトーンを受け取ることができる。
【００１１】
帯域幅が２０ＭＨｚの場合、ＶＨＴ−ＳＩＧ−Ｂは２６ビットを運ぶことができる。帯域幅が４０ＭＨｚの場合、ＶＨＴ−ＳＩＧ−Ｂは帯域幅２０ＭＨｚごとに２７ビットを運ぶことができる。帯域幅が８０ＭＨｚの場合、ＶＨＴ−ＳＩＧ−Ｂは帯域幅２０ＭＨｚごとに２９ビットを運ぶことができる。帯域幅が１６０ＭＨｚの場合、ＶＨＴ−ＳＩＧ−Ｂは帯域幅２０ＭＨｚごとに２９ビットを運ぶことができる。帯域幅が８０ＭＨｚあるいは１６０ＭＨｚの場合、ＶＨＴ−ＳＩＧ−Ｂは１つ又は複数のパッド・ビットを運ぶことができる。
【００１２】
ＶＨＴ−ＳＩＧ−Ａ２が直交２相位相変調（ＱＢＰＳＫ）を用いる場合、該通信デバイスは、ベリー・ハイ・スループット（ＶＨＴ）信号を検出することができる。帯域幅が８０ＭＨｚの場合、該通信デバイスは、サブキャリア・インデックス−１０３、−７５、−３９、−１１、１１、３９、７５、及び、１０３で、パイロット・トーンを受け取ることができる。
【００１３】
また、通信デバイス上に直交周波数分割多重（ＯＦＤＭ）トーンを割り当てるための方法も開示されている。該方法は、信号送信に関する帯域幅が２０メガヘルツ（ＭＨｚ）か、４０ＭＨｚか、８０ＭＨｚか、あるいは１６０ＭＨｚかを決定することを含んでいる。また、帯域幅が２０ＭＨｚの場合、該方法は、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを割り当てることを含んでいる。加えて、帯域幅が４０ＭＨｚの場合、該方法は、ＶＨＴ−ＳＩＧ−Ａ１に関しては１０４個のトーンを、ＶＨＴ−ＳＩＧ−Ａ２に関しては１０４個のトーンを、ＶＨＴ−ＳＴＦに関しては２４個のトーンを、１つ又は複数のＶＨＴ−ＬＴＦに関しては１１４個のトーンを、ＶＨＴ−ＳＩＧ−Ｂに関しては１１４個のトーンを、かつ、ＤＡＴＡに関しては１１４個のトーンを割り当てることを含んでいる。さらに、帯域幅が８０ＭＨｚの場合、該方法は、ＶＨＴ−ＳＩＧ−Ａ１に関しては２０８個のトーンを、ＶＨＴ−ＳＩＧ−Ａ２に関しては２０８個のトーンを、ＶＨＴ−ＳＴＦに関しては４８個のトーンを、１つ又は複数のＶＨＴ−ＬＴＦに関しては２４２個のトーンを、ＶＨＴ−ＳＩＧ−Ｂに関しては２４２個のトーンを、かつ、ＤＡＴＡに関しては２４２個のトーンを割り当てることを含んでいる。また、帯域幅が１６０ＭＨｚの場合、該方法は、ＶＨＴ−ＳＩＧ−Ａ１に関しては４１６個のトーンを、ＶＨＴ−ＳＩＧ−Ａ２に関しては４１６個のトーンを、ＶＨＴ−ＳＴＦに関しては４８個のトーンを、１つ又は複数のＶＨＴ−ＬＴＦに関しては４８４個のトーンを、ＶＨＴ−ＳＩＧ−Ｂに関しては４８４個のトーンを、かつ、ＤＡＴＡに関しては４８４個のトーンを割り当てることを含んでいる。加えて、該方法は信号を送信することを含んでいる。
【００１４】
また、通信デバイス上で直交周波数分割多重（ＯＦＤＭ）トーンを受け取るための方法も開示されている。該方法は、信号受信に関する帯域幅が２０メガヘルツ（ＭＨｚ）か、４０ＭＨｚか、８０ＭＨｚか、あるいは１６０ＭＨｚかを決定することを含んでいる。また、帯域幅が２０ＭＨｚの場合、該方法は、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを受け取ることを含んでいる。加えて、帯域幅が４０ＭＨｚの場合、該方法は、ＶＨＴ−ＳＩＧ−Ａ１に関しては１０４個のトーンを、ＶＨＴ−ＳＩＧ−Ａ２に関しては１０４個のトーンを、ＶＨＴ−ＳＴＦに関しては２４個のトーンを、１つ又は複数のＶＨＴ−ＬＴＦに関しては１１４個のトーンを、ＶＨＴ−ＳＩＧ−Ｂに関しては１１４個のトーンを、かつ、ＤＡＴＡに関しては１１４個のトーンを受け取ることを含んでいる。さらに、帯域幅が８０ＭＨｚの場合、該方法は、ＶＨＴ−ＳＩＧ−Ａ１に関しては２０８個のトーンを、ＶＨＴ−ＳＩＧ−Ａ２に関しては２０８個のトーンを、ＶＨＴ−ＳＴＦに関しては４８個のトーンを、１つ又は複数のＶＨＴ−ＬＴＦに関しては２４２個のトーンを、ＶＨＴ−ＳＩＧ−Ｂに関しては２４２個のトーンを、かつ、ＤＡＴＡに関しては２４２個のトーンを受け取ることを含んでいる。また、帯域幅が１６０ＭＨｚの場合、該方法は、ＶＨＴ−ＳＩＧ−Ａ１に関しては４１６個のトーンを、ＶＨＴ−ＳＩＧ−Ａ２に関しては４１６個のトーンを、ＶＨＴ−ＳＴＦに関しては４８個のトーンを、１つ又は複数のＶＨＴ−ＬＴＦに関しては４８４個のトーンを、ＶＨＴ−ＳＩＧ−Ｂに関しては４８４個のトーンを、かつ、ＤＡＴＡに関しては４８４個のトーンを受け取ることを含んでいる。
【００１５】
また、直交周波数分割多重（ＯＦＤＭ）トーンを割り当てるためのコンピュータ・プログラム製品も開示されている。該コンピュータ・プログラム製品は、その上に命令を備える非一時的な有形コンピュータ可読媒体を含んでいる。該命令は、信号送信に関する帯域幅が２０メガヘルツ（ＭＨｚ）か、４０ＭＨｚか、８０ＭＨｚか、あるいは１６０ＭＨｚかを、通信デバイスに決定させるためのコードを含んでいる。また、帯域幅が２０ＭＨｚの場合、該命令は、該通信デバイスに、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを割り当てさせるためのコードを含んでいる。加えて、帯域幅が４０ＭＨｚの場合、該命令は、該通信デバイスに、ＶＨＴ−ＳＩＧ−Ａ１に関しては１０４個のトーンを、ＶＨＴ−ＳＩＧ−Ａ２に関しては１０４個のトーンを、ＶＨＴ−ＳＴＦに関しては２４個のトーンを、１つ又は複数のＶＨＴ−ＬＴＦに関しては１１４個のトーンを、ＶＨＴ−ＳＩＧ−Ｂに関しては１１４個のトーンを、かつ、ＤＡＴＡに関しては１１４個のトーンを割り当てさせるためのコードを含んでいる。さらに、帯域幅が８０ＭＨｚの場合、該命令は、該通信デバイスに、ＶＨＴ−ＳＩＧ−Ａ１に関しては２０８個のトーンを、ＶＨＴ−ＳＩＧ−Ａ２に関しては２０８個のトーンを、ＶＨＴ−ＳＴＦに関しては４８個のトーンを、１つ又は複数のＶＨＴ−ＬＴＦに関しては２４２個のトーンを、ＶＨＴ−ＳＩＧ−Ｂに関しては２４２個のトーンを、かつ、ＤＡＴＡに関しては２４２個のトーンを割り当てさせるためのコードを含んでいる。また、帯域幅が１６０ＭＨｚの場合、該命令は、該通信デバイスに、ＶＨＴ−ＳＩＧ−Ａ１に関しては４１６個のトーンを、ＶＨＴ−ＳＩＧ−Ａ２に関しては４１６個のトーンを、ＶＨＴ−ＳＴＦに関しては４８個のトーンを、１つ又は複数のＶＨＴ−ＬＴＦに関しては４８４個のトーンを、ＶＨＴ−ＳＩＧ−Ｂに関しては４８４個のトーンを、かつ、ＤＡＴＡに関しては４８４個のトーンを割り当てさせるためのコードを含んでいる。加えて、該命令は、該通信デバイスに該信号を送信させるためのコードを含んでいる。
【００１６】
また、直交周波数分割多重（ＯＦＤＭ）トーンを受け取るためのコンピュータ・プログラム製品も開示されている。該コンピュータ・プログラム製品は、命令を備える非一時的な有形コンピュータ可読媒体を含んでいる。該命令は、信号受信に関する帯域幅が２０メガヘルツ（ＭＨｚ）か、４０ＭＨｚか、８０ＭＨｚか、あるいは１６０ＭＨｚかを通信デバイスに決定させるためのコードを含んでいる。また、帯域幅が２０ＭＨｚの場合、該命令は、該通信デバイスに、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを受け取らせるためのコードを含んでいる。加えて、帯域幅が４０ＭＨｚの場合、該命令は、該通信デバイスに、ＶＨＴ−ＳＩＧ−Ａ１に関しては１０４個のトーンを、ＶＨＴ−ＳＩＧ−Ａ２に関しては１０４個のトーンを、ＶＨＴ−ＳＴＦに関しては２４個のトーンを、１つ又は複数のＶＨＴ−ＬＴＦに関しては１１４個のトーンを、ＶＨＴ−ＳＩＧ−Ｂに関しては１１４個のトーンを、かつ、ＤＡＴＡに関しては１１４個のトーンを受け取らせるためのコードを含んでいる。さらに、帯域幅が８０ＭＨｚの場合、該命令は、該通信デバイスに、ＶＨＴ−ＳＩＧ−Ａ１に関しては２０８個のトーンを、ＶＨＴ−ＳＩＧ−Ａ２に関しては２０８個のトーンを、ＶＨＴ−ＳＴＦに関しては４８個のトーンを、１つ又は複数のＶＨＴ−ＬＴＦに関しては２４２個のトーンを、ＶＨＴ−ＳＩＧ−Ｂに関しては２４２個のトーンを、かつ、ＤＡＴＡに関しては２４２個のトーンを受け取らせるためのコードを含んでいる。また、帯域幅が１６０ＭＨｚの場合、該命令は、該通信デバイスに、ＶＨＴ−ＳＩＧ−Ａ１に関しては４１６個のトーンを、ＶＨＴ−ＳＩＧ−Ａ２に関しては４１６個のトーンを、ＶＨＴ−ＳＴＦに関しては４８個のトーンを、１つ又は複数のＶＨＴ−ＬＴＦに関しては４８４個のトーンを、ＶＨＴ−ＳＩＧ−Ｂに関しては４８４個のトーンを、かつ、ＤＡＴＡに関しては４８４個のトーンを受け取らせるためのコードを含んでいる。
【００１７】
また、直交周波数分割多重（ＯＦＤＭ）トーンを割り当てるための装置も開示されている。該装置は、信号送信に関する帯域幅が２０メガヘルツ（ＭＨｚ）か、４０ＭＨｚか、８０ＭＨｚか、あるいは１６０ＭＨｚかを決定するための手段を含んでいる。また、帯域幅が２０ＭＨｚの場合、該装置は、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを割り当てるための手段を含んでいる。加えて、帯域幅が４０ＭＨｚの場合、該装置は、ＶＨＴ−ＳＩＧ−Ａ１に関しては１０４個のトーンを、ＶＨＴ−ＳＩＧ−Ａ２に関しては１０４個のトーンを、ＶＨＴ−ＳＴＦに関しては２４個のトーンを、１つ又は複数のＶＨＴ−ＬＴＦに関しては１１４個のトーンを、ＶＨＴ−ＳＩＧ−Ｂに関しては１１４個のトーンを、かつ、ＤＡＴＡに関しては１１４個のトーンを割り当てるための手段を含んでいる。さらに、帯域幅が８０ＭＨｚの場合、該装置は、ＶＨＴ−ＳＩＧ−Ａ１に関しては２０８個のトーンを、ＶＨＴ−ＳＩＧ−Ａ２に関しては２０８個のトーンを、ＶＨＴ−ＳＴＦに関しては４８個のトーンを、１つ又は複数のＶＨＴ−ＬＴＦに関しては２４２個のトーンを、ＶＨＴ−ＳＩＧ−Ｂに関しては２４２個のトーンを、かつ、ＤＡＴＡに関しては２４２個のトーンを割り当てるための手段を含んでいる。また、帯域幅が１６０ＭＨｚの場合、該装置は、ＶＨＴ−ＳＩＧ−Ａ１に関しては４１６個のトーンを、ＶＨＴ−ＳＩＧ−Ａ２に関しては４１６個のトーンを、ＶＨＴ−ＳＴＦに関しては４８個のトーンを、１つ又は複数のＶＨＴ−ＬＴＦに関しては４８４個のトーンを、ＶＨＴ−ＳＩＧ−Ｂに関しては４８４個のトーンを、かつ、ＤＡＴＡに関しては４８４個のトーンを割り当てるための手段を含んでいる。加えて、該装置は該信号を送信するための手段を含んでいる。
【００１８】
また、直交周波数分割多重（ＯＦＤＭ）トーンを受け取るための装置も開示されている。該装置は、信号受信に関する帯域幅が２０メガヘルツ（ＭＨｚ）か、４０ＭＨｚか、８０ＭＨｚか、あるいは１６０ＭＨｚかを決定するための手段を含んでいる。また、帯域幅が２０ＭＨｚの場合、該装置は、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを受け取るための手段を含んでいる。加えて、帯域幅が４０ＭＨｚの場合、該装置は、ＶＨＴ−ＳＩＧ−Ａ１に関しては１０４個のトーンを、ＶＨＴ−ＳＩＧ−Ａ２に関しては１０４個のトーンを、ＶＨＴ−ＳＴＦに関しては２４個のトーンを、１つ又は複数のＶＨＴ−ＬＴＦに関しては１１４個のトーンを、ＶＨＴ−ＳＩＧ−Ｂに関しては１１４個のトーンを、かつ、ＤＡＴＡに関しては１１４個のトーンを受け取るための手段を含んでいる。さらに、帯域幅が８０ＭＨｚの場合、該装置は、ＶＨＴ−ＳＩＧ−Ａ１に関しては２０８個のトーンを、ＶＨＴ−ＳＩＧ−Ａ２に関しては２０８個のトーンを、ＶＨＴ−ＳＴＦに関しては４８個のトーンを、１つ又は複数のＶＨＴ−ＬＴＦに関しては２４２個のトーンを、ＶＨＴ−ＳＩＧ−Ｂに関しては２４２個のトーンを、かつ、ＤＡＴＡに関しては２４２個のトーンを受け取るための手段を含んでいる。また、帯域幅が１６０ＭＨｚの場合、該装置は、ＶＨＴ−ＳＩＧ−Ａ１に関しては４１６個のトーンを、ＶＨＴ−ＳＩＧ−Ａ２に関しては４１６個のトーンを、ＶＨＴ−ＳＴＦに関しては４８個のトーンを、１つ又は複数のＶＨＴ−ＬＴＦに関しては４８４個のトーンを、ＶＨＴ−ＳＩＧ−Ｂに関しては４８４個のトーンを、かつ、ＤＡＴＡに関しては４８４個のトーンを受け取るための手段を含んでいる。
【図面の簡単な説明】
【００１９】
【図１】図１は、フレームに関してトーンを割り当てるためのシステム及び方法がインプリメントされ得るような送信通信デバイスの１つの構成、及び、フレームに関してトーンを受け取るためのシステム及び方法がインプリメントされ得るような受信通信デバイスの１つの構成を示すブロック図である。
【図２】図２は、ここに開示された方法及びシステムに基づいて用いられ得る通信フレームの一例を示す図である。
【図３】図３は、複数のフレームの例を示す図である。
【図４】図４は、レガシー信号フィールド（Ｌ−ＳＩＧ）、ベリー・ハイ・スループット信号Ａ１（ＶＨＴ−ＳＩＧ−Ａ１）、及び、ベリー・ハイ・スループット信号Ａ２（ＶＨＴ−ＳＩＧ−Ａ２）に関するコンステレーションを示す図である。
【図５】図５は、ここに開示された方法及びシステムに基づく８０ＭＨｚ信号に関するパイロット・トーン及びデータの一例を示す図である。
【図６】図６は、フレームに関してトーンを割り当てるための方法の１つの構成を示す流れ図である。
【図７】図７は、フレームに関してトーンを受け取るための方法の１つの構成を示す流れ図である。
【図８】図８は、フレームに関してトーンを割り当てるための方法及びシステムがインプリメントされ得るような、アクセス・ポイントの１つの構成を示すブロック図である。
【図９】図９は、多入力・多出力（ＭＩＭＯ）システムで用いられ得る通信デバイスのブロック図である。
【図１０】図１０は、通信デバイス、基地局、及び／又はアクセス・ポイント内に含まれ得る、あるコンポーネントを説明する。
【図１１】図１１は、無線通信デバイス及び／又はアクセス端末内に含まれ得る、あるコンポーネントを説明する。
【詳細な説明】
【００２０】
通信デバイスの例としては、携帯電話基地局又はノード、アクセス・ポイント、無線ゲートウェイ、及び、無線ルータが挙げられる。通信デバイスは、米国電気電子学会（ＩＥＥＥ）８０２．１１ａ、８０２．１１ｂ、８０２．１１ｇ、８０２．１１ｎ、及び／又は８０２．１１ａｃ（例えば、無線忠実度（Ｗｉｒｅｌｅｓｓ  Ｆｉｄｅｌｉｔｙ）又は「Ｗｉ−Ｆｉ」）標準などの、ある業界標準に従って動作することができる。通信デバイスが遵守することができる標準の他の例は、ＩＥＥＥ８０２．１６（例えば、マイクロ波アクセスのための世界規模の相互運用（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：あるいは「ＷｉＭＡＸ」））、第３世代パートナーシップ・プロジェクト（３ＧＰＰ）、３ＧＰＰロング・ターム・エボリューション（ＬＴＥ）、及び、その他（例えば、通信デバイスが、ノードＢ（ＮｏｄｅＢ）、発展型のノードＢ（ｅＮＢ）、などと呼ばれ得る）を含む。ここに開示されたシステム及び方法のいくつかは、１つ又は複数の標準を用いて記述され得るが、これは、本システム及び本方法が多くのシステム及び／又は標準に適用でき得るように、本開示の範囲を限定するものではないものとする。
【００２１】
いくつかの通信デバイス（例えば、アクセス端末、クライアント・デバイス、クライアント局、など）は、他の通信デバイスと無線で通信をすることができる。いくつかの通信デバイスは、モバイル・デバイス、移動局、加入者局、ユーザ設備（Ｕｓｅｒ  Ｅｑｕｉｐｍｅｎｔ：ＵＥ）、リモート局、アクセス端末、モバイル端末、端末、ユーザ端末、加入者ユニット、などと呼ばれ得る。通信デバイスの追加の例としては、ラップトップ・コンピュータ又はデスクトップ・コンピュータ、携帯電話、スマート・フォン、無線モデム、ｅ−リーダ、タブレット・デバイス、ゲーム・システム、などが挙げられる。これらの通信デバイスのいくつかは、上記の通り、１つ又は複数の業界標準に従って動作することができる。したがって、ジェネラル・ターム「通信デバイス」は、業界標準（例えば、アクセス端末、ユーザ設備（ＵＥ）、リモート端末、アクセス・ポイント、基地局、ＮｏｄｅＢ、発展型のＮｏｄｅＢ（ｅＮＢ）、など）に応じて変化する専門用語と共に記載された通信デバイスを含むことができる。
【００２２】
いくつかの通信デバイスは、通信網に対するアクセスを提供することができ得る。通信網の例としては、これらに限定されるわけではないが、電話網（例えば、公衆交換電話網（ＰＳＴＮ）、又は携帯電話網などの「ランド・ライン（ｌａｎｄ−ｌｉｎｅ）」ネットワーク）、インターネット、ローカル・エリア・ネットワーク（ＬＡＮ）、ワイド・エリア・ネットワーク（ＷＡＮ）、メトロポリタン・エリア・ネットワーク（ＭＡＮ）、などが挙げられる。
【００２３】
ＩＥＥＥ８０２．１１グループの現在の仕事としては、ＶＨＴ（ベリー・ハイ・スループット：Ｖｅｒｙ  Ｈｉｇｈ  Ｔｈｒｏｕｇｈｐｕｔ）の名で、８０２．１１の新しくかつ高速なバージョンを標準化することが挙げられる。この拡張は、８０２．１１ａｃと呼ばれ得る。空間分割多元接続（ＳＤＭＡ）など、複数の送信を衝突することなく平行して生じさせることができる技術が考慮されている。また、８０メガヘルツ（ＭＨｚ）及び１６０ＭＨｚを用いた送信などのように、さらなる信号帯域幅（ｂａｎｄｗｉｄｔｈ：ＢＷ）の使用も考慮されている。ＳＤＭＡ及び信号帯域幅の増加の両方を可能にし、かつ８０２．１１ｎ、８０２．１１ａ、及び、８０２．１１への下位互換を可能にし、ここに本システム及び本方法に従って、新しい物理層（ＰＨＹ）プリアンブルが定義され得る。該ＶＨＴプリアンブルが下位互換性であるようにするために、レガシー・デバイスによって復調されることのできる直交周波数分割多重（ＯＦＤＭ）ヌメロロジー（ｎｕｍｅｒｏｌｏｇｙ）を利用しても良い。しかし、また、８０２．１１ａｃデバイスに関する機能の増大を提供するＯＦＤＭヌメロロジーを用いることもできる。このヌメロロジーは、（１）プリアンブル中の各ＯＦＤＭシンボル当たりのデータ・トーンの数、（２）ＯＦＤＭデータ・シンボルに関するデータ・トーンの数、（３）パイロット・トーンの数、（４）直流（ＤＣ）ゼロ・キャリアの数、を含むことができる。ここに開示されたシステム及び方法は、ＶＨＴ拡張などに適用できるＯＦＤＭサブキャリア・ヌメロロジーを説明する。
【００２４】
プリアンブルを持つ８０２．１１ａｃフレームは、複数のフィールドを含んで構成することができる。１つの構成では、８０２．１１ａｃフレームは、レガシー・ショート・トレーニング・フィールド又はノンハイ・スループット・ショート・トレーニング・フィールド（Ｌ−ＳＴＦ）、レガシー・ロング・トレーニング・フィールド又はノンハイ・スループット・ロング・トレーニング・フィールド（Ｌ−ＬＴＦ）、レガシー信号フィールド又はノンハイ・スループット信号フィールド（Ｌ−ＳＩＧ）、ベリー・ハイ・スループット信号フィールドＡ１（ＶＨＴ−ＳＩＧ−Ａ１）、ベリー・ハイ・スループット信号フィールドＡ２（ＶＨＴ−ＳＩＧ−Ａ２）、ベリー・ハイ・スループット・ショート・トレーニング・フィールド（ＶＨＴ−ＳＴＦ）、１つ又は複数のベリー・ハイ・スループット・ロング・トレーニング・フィールド（ＶＨＴ−ＬＴＦ）、ベリー・ハイ・スループット信号フィールドＢ（ＶＨＴ−ＳＩＧ−Ｂ）、及びデータ・フィールド（例えば、ＤＡＴＡもしくはＶＨＴ−ＤＡＴＡ）、を含むことができる。
【００２５】
該８０２．１１ａｃプリアンブルは、送信ビームフォーミング及びＳＤＭＡを適応させるように設計されている。（例えば、循環ダイバーシティあるいは別のスキームを用いて）該プリアンブルの第１部分は全方向に送信され得る。該プリアンブルのこの部分は、Ｌ−ＳＴＦ、Ｌ−ＬＴＦ、Ｌ−ＳＩＧ、ＶＨＴ−ＳＩＧ−Ａ１、及び、ＶＨＴ−ＳＩＧ−Ａ２を含み得る。Ｌ−ＳＴＦ、Ｌ−ＬＴＦ、及びＬ−ＳＩＧがレガシー・デバイス（例えば、レガシーの仕様又は初期の仕様を遵守するデバイス）によって復号可能となり得る、ということは留意されるべきである。しかし、ＶＨＴ−ＳＩＧ−Ａ１及びＶＨＴ−ＳＩＧ−Ａ２は、（例えば、前述のフィールドに加えて）、８０２．１１ａｃデバイスによって復号可能となり得る。
【００２６】
該８０２．１１ａｃプリアンブルの第２部分は全方向に送信され得るか、あるいはビームフォームされ得るか、あるいはＳＤＭＡプリコードされ得る。該プリアンブルのこの第２部分は、ＶＨＴ−ＳＴＦ、１つ又は複数のＶＨＴ−ＬＴＦ、及び、ＶＨＴ−ＳＩＧ−Ｂを含んでいる。（例えば、データ・フィールド内の）データ・シンボルは、該プリアンブルの第２部分と同一のアンテナ・パターンで送信され得る。データ・シンボル及び該プリアンブルの第２部分は、レガシー・デバイスあるいは等しい全ての８０２．１１ａｃデバイスによって復号可能とはなりえない。
【００２７】
上記の８０２．１１ａｃプリアンブルは、レガシー８０２．１１ａ及び８０２．１１ｎ受信機によって復号可能ないくつかの制御データを有する。このデータは、Ｌ−ＳＩＧ内に含まれている。Ｌ−ＳＩＧ内のデータは、どれくらい長く該送信が無線媒体を占有するかを全ての受信機に知らせ、その結果、全てのデバイスはその送信を正確な時間の量の間延ばすことができる。加えて、該８０２．１１ａｃプリアンブルは、８０２．１１ａｃデバイスに該送信と８０２．１１ａｃ送信を区別し（、該送信が１１ａあるいは１１ｎフォーマットを用いたことを判断することを避け）るようにさせる。さらに、本システム及び本方法に従ってここに記載された８０２．１１ａｃプリアンブルは、レガシー１１ａ及びレガシー１１ｎデバイスに、Ｌ−ＳＩＧ内の有効なデータを持つ有効な送信である、８０２．１１ａとして該送信を検出するようにさせることができる。
【００２８】
ここに開示されたシステム及び方法に基づいて、８０ＭＨｚの８０２．１１ａｃ信号に関するデータ・トーン及びパイロット・トーンの数が定義され得る。これは、２０ＭＨｚの８０２．１１ｎ信号及び４０ＭＨｚの８０２．１１ｎ信号に関するデータ・トーン及びパイロット・トーンの数と比較されることができる。２０ＭＨｚの８０２．１１ｎ信号は、１個の直流（ＤＣ）トーンと共に、５６個のトーン（５２個のデータ、４個のパイロット）を用いる。４０ＭＨｚの８０２．１１ｎ信号は、３個のＤＣトーンと共に１１４個のトーン（１０８個のデータ、６個のパイロット）を用いる。ここに開示されたシステム及び方法は、８０ＭＨｚの８０２．１１ｎ信号に関する３個のＤＣトーンと共に、２４２個のトーン（２３４個のデータ、８個のパイロット）の利用法を説明する。ここのシステム及び方法に基づいて２３４個のデータ・トーンを用いることは、簡潔な周波数インターリーバ構成物、妥当なコスト・フィルタリング要求、及び能率の考慮によって動機付けられ得る。また、８０２．１１ａ信号が、１個のＤＣトーンと共に５２個のトーン（４８個のデータ・トーン及び４個のパイロット・トーン）を用いる、ことにも留意しても良い。
【００２９】
本システム及び方法に基づいてここに記載された８０２．１１ａｃプリアンブルは、２つの部分あるいは一部を備え得る。第１部分は全方向に送信されることができ、かつ第２部分はビームフォーミングあるいはＳＤＭＡプリコーディングと共に送信されることができる。第１部分又は全方向部分の第１の３フィールドは、８０２．１１ａ及び８０２．１１ｎの受信機によって復号可能な信号（例えば、Ｌ−ＳＴＦ、Ｌ−ＬＴＦ、Ｌ−ＳＩＧ）を含み得る。さらに、レガシー８０２．１１ａ及び８０２．１１ｎデバイスは該８０２．１１ａｃ送信が８０２．１１ａ送信であると決定することができ、その結果、これらのデバイスは該Ｌ−ＳＩＧをまるで８０２．１１ａ送信であるかのように復号する。
【００３０】
ここに開示されたシステム及び方法は、述べられた制約を満たす信号あるいは各フィールド当たりのトーンの適切な数を提供することができる。このトーンの割り当ては、表（１）に示されている。より具体的に言うと、表（１）は、多様な信号帯域幅に関する８０２．１１ａｃ送信のために利用することができるＯＦＤＭトーンの数を示している。
【表１】
0005579921.tif 000002
【００３１】
Ｌ−ＳＴＦは、２０ＭＨｚ信号で１２個のトーンを用い得る。この場合、時間領域の信号は、８００ナノ秒（ｎｓ）の繰り返し間隔を有する。この繰り返し間隔は、高速利得制御、タイミング・オフセット推定、及び、周波数オフセット推定のために用いることができる。時間領域の信号は１つの８００ｎｓ間隔のためだけに考慮される必要があるので、受け取られた信号の強度は瞬時に測定され得る。レガシー８０２．１１ａ及び８０２．１１ｎデバイスは、１２個のトーンを期待するものとする。
【００３２】
Ｌ−ＬＴＦ及びＬ−ＳＩＧは、２０ＭＨｚ信号に関して５２個のトーンを用い得る。これは、任意のレガシー８０２．１１ａ又は８０２．１１ｎによる８０２．１１ａ送信に関して期待されるとおりになるかもしれない。４０ＭＨｚの８０２．１１ａｃ信号が送信される場合、これらのフィールドの内容は４０ＭＨｚ信号の各２０ＭＨｚサブバンドに対してコピーされ（かつ複素数によってスケールされ）得る。すなわち、Ｌ−ＳＩＧは、２０ＭＨｚで正確に隔てられたＤＣトーンと共に２つの２０ＭＨｚサブバンド内で用いられ得る。従って、トーンの総数は厳密に２倍になる。８０ＭＨｚ及び１６０ＭＨｚに関しては、各々４つ又は８つの２０ＭＨｚサブバンドにスケールされかつコピーされるフィールドと共に、同一の設計が続かれ得る。
【００３３】
Ｌ−ＳＩＧは、８０２．１１ａ規格に従って、４８個のデータ・トーン及び４個のパイロット・トーンを用いることができる。４０ＭＨｚ、８０ＭＨｚ、及び、１６０ＭＨｚの８０２．１１ａｃ送信に関しては、Ｌ−ＳＩＧによって運ばれるデータの内の２４ビットは、（例えば、２相位相変調（ＢＰＳＫ）及び符号化率１／２を用いて、）２０ＭＨｚサブバンドの各々へ送信され得る。これは、単一の２０ＭＨｚチャネルで受け取るだけのいずれのレガシー・デバイスにも、Ｌ−ＳＩＧ内のデータを復号させかつ適切に延長させる。
【００３４】
ＶＨＴ−ＳＩＧ−Ａ１及びＶＨＴ−ＳＩＧ−Ａ２のフィールド又はシンボルは、２０ＭＨｚ内で５２個のトーン（４８個のデータ・トーン及び４個のパイロット・トーン）を用いることができる。（Ｌ−ＬＴＦに基づいた）該チャネル推定はこれらのデータ・トーンに関してのみ完了することができるので、データ・トーンの数はＬ−ＳＩＧと同一でも良い。４０ＭＨｚ、８０ＭＨｚ、及び、１６０ＭＨｚ帯域幅に関しては、データ・トーン及びパイロット・トーンの数は、同じ理由でＬ−ＬＴＦに続く。
【００３５】
ＶＨＴ−ＳＴＦは、Ｌ−ＳＴＦ同様に、２０ＭＨｚ信号で１２個のトーンを用いることができる。この方法では、受信利得制御アルゴリズムは、８００ｎｓ期間のみを用いて、受信信号強度を瞬時に測定することができる。より多くのトーンが用いられる場合、受信機は正確な信号強度測定のために長い時間期間待つ必要があるかもしれず、それによってアナログ受信利得に割り当てられた時間に制約を加え、その新しい値を変化させかつ定める。該受け取られた信号強度は、該プリアンブルの第１部分と比較すると該プリアンブルの第２部分（及びＤＡＴＡフィールド）に関して異なる可能性があるので、利得制御が要求され得る。加えて、ＶＨＴ−ＳＴＦを用いて、タイミング・オフセット及び周波数オフセットへの更新が完了し得る。
【００３６】
ＶＨＴ−ＬＴＦ、ＶＨＴ−ＳＩＧ−Ｂ、及び、ＤＡＴＡフィールドは、該プリアンブルの第１部分又は全方向部分よりも多くのＯＦＤＭトーンを利用することができる。従って、これらのフィールドの各々は、ＤＡＴＡと同じ数のトーンを利用することができる。２０ＭＨｚ及び４０ＭＨｚの８０２．１１ａｃ送信に関しては、トーンの数は８０２．１１ｎ標準と適合するように選ばれる。８０ＭＨｚ及び１６０ＭＨｚの８０２．１１ａｃ送信に関しては、トーンの数は、それぞれ、２４２及び４８４になるように選ばれ得る。
【００３７】
２０ＭＨｚの８０２．１１ａｃ送信に関しては、ＶＨＴ−ＳＩＧ−Ｂフィールドは、２６ビットのデータ（ＢＰＳＫ及び符号化率１／２が用いられた場合、５２個のトーン）を運ぶ。４０ＭＨｚの８０２．１１ａｃ送信に関しては、ＶＨＴ−ＳＩＧ−Ｂフィールドは、５４ビットのユニーク・データか、各２０ＭＨｚサブバンド内の同じ２７ビットのデータのどちらかを運び得る。ＶＨＴ−ＳＩＧ−Ｂフィールドの８０ＭＨｚ送信は、各２０ＭＨｚサブバンド内の２９ビットのデータか、もしくは各４０ＭＨｚサブバンド内の５８ビットのデータか、もしくは１１７ビットのデータを運び得る。１６０ＭＨｚ送信に関しても、同様の選択が行われ得る。ＢＰＳＫ及び符号化率１／２はここに例として用いられているが、他の変調スキーム及び／又は符号化率がここに本システム及び本方法に従って用いられても良く、それは異なる数のビットが各シンボル内に含まれることを可能にする、ことは留意されるべきである。表（２）は、ここに開示されたシステム及び方法に基づいて用いられ得る信号帯域幅毎のビットの数、及び、データ・トーンの数を示している。
【表２】
0005579921.tif 000003
【００３８】
幅の広い帯域幅信号に関する余分なビットは信号の追加の容量に対して用いられることもあり、それは、２０ＭＨｚより多くの信号帯域幅が用いられる場合に可能である。例えば、８０ＭＨｚ信号が４つの独立した２０ＭＨｚ信号（ストリーム）からなり、ここで、各２０ＭＨｚ信号は異なる符号化されたストリームのデータを運んでもよい。これらのストリームの各々は、異なる変調・符号化を有し得る（例えば、異なる変調・符号化スキーム（ＭＣＳ）を用いる）。加えて、各ストリームは異なる数のバイトを有し得る。さらに、各ストリームは、８０２．１１ｎ型の、集合媒体アクセス制御（ＭＡＣ）プロトコル・データ・ユニット（Ａ−ＭＰＤＵ）、又は、集合物理層集中手順（ｐｈｙｓｉｃａｌ  ｌａｙｅｒ  ｃｏｎｖｅｒｇｅｎｃｅ  ｐｒｏｃｅｄｕｒｅ：ＰＬＣＰ）プロトコル・データ・ユニット（ＰＰＤＵ）などの、異なる量のパケット集合を有することができ、例えば、ここで各ＰＰＤＵは、その自身のＶＨＴ−ＳＩＧ−Ｂフィールドを運ぶ。こうした全ての特性は、それぞれ２０ＭＨｚストリーム内に運ばれたＶＨＴ−ＳＩＧ−Ｂフィールド・ビットによって表され、かつ、シグナルされ得る。
【００３９】
ここに開示されたシステム及び方法が適用され得るような、１つの構成に関するさらなる詳細が、以後与えられる。この構成では、複数の動作番号が指定されている。異なる構成では異なる動作番号が用いられ得る、ことは留意されるべきである。この例では、サウンドされた送信（Ｔｘ）アンテナの最大数は８である。これは、適度な複雑さ、コスト、及び、プリアンブル長トレードオフを提供し得る。シングル・ユーザ（ＳＵ）の場合の空間ストリームの最大数（ＮＳＳ）は、８になり得る。もし８個の送信アンテナがサウンドされ得るならば、最大で８個の空間ストリームまでに関する固有のサポートがある。
【００４０】
マルチ・ユーザの場合、（例えば、アクセス・ポイント、クライアント、局、無線通信デバイス、などの）ユーザ毎の空間ストリームの最大数（ＮＳＳ）は、この例では４である。もし複数のユーザが空間ストリームを共有し得るならば、この数を８よりも小さいものにするのが自然である。また、これは、ベリー・ハイ・スループット信号フィールド（ＶＨＴ−ＳＩＧ）サイズ制限にも適合し、かつ要求された代表ビットの数を減少させる。マルチ・ユーザの場合のユーザを統合した空間ストリームの最大数（ＮＳＳ）は、この例では８である。もし８個の送信アンテナがサウンドされ得るならば、最大で８個の空間ストリームまでに関する固有のサポートがある。
【００４１】
マルチ・ユーザのユーザの最大数は４になり得る。より大きな数は、媒体アクセス制御（ＭＡＣ）層及び／又は物理（ＰＨＹ）層の複雑さを著しく増大させ得る。これは、ＶＨＴ−ＳＩＧのサイズ制限に適合し、かつ要求された代表ビットの数を減少させる。
【００４２】
８のようにサウンドされた送信アンテナの最大数を持つことは、プロジェクト認可要請（ＰＡＲ）要求にあう（例えば、ＩＥＥＥ標準委員会プロジェクト認可要請（ＰＡＲ）要求）。シングル・ユーザの場合に関しては、ＮＳＳ＝８を伴う８個のアンテナが、５００メガビット毎秒（Ｍｂｐｓ）よりも多いスループットを可能にすることができる。マルチ・ユーザの場合に関しては、８個のアンテナ・サウンディングが、１ギガビット毎秒（Ｇｂｐｓ）よりも多いスループットを可能にし得る。さらに、８個のアンテナよりも多くを含むように、アクセス・ポイント（ＡＰ）及び局（ＳＴＡ）に物理的制限がかけられ得る。加えて、１６個のアンテナ・サウンディングに向かうことは、プリアンブル長を増大させる。さらに、また、たとえフレーム・プリアンブル内で有効な限られた数のビットがあるとしても、サウンドされたアンテナの数を表すように要求されたビットの数もまた増大する。
【００４３】
シングル・ユーザの場合に８としての最大数空間ストリーム（ＮＳＳ）を持つことは、ＰＡＲ要求にあう。シングル・ユーザの場合に関しては、８個の空間ストリームが、５００Ｍｂｐｓよりも多いスループットを可能にし得る。空間ストリームの最大数（ＮＳＳ）は、サウンドされたアンテナの最大数よりも少ないか、あるいはそれに等しい、ということは留意されるべきである。
【００４４】
マルチ・ユーザの場合にユーザ毎の空間ストリームの最大数（ＮＳＳ）を４として持つことは、ＰＡＲの要求にあう。マルチ・ユーザ送信に関しては、ＮＳＳ＝４の２つの送信が、１Ｇｂｐｓよりも多いスループットを可能にし得る。もし複数のユーザが空間ストリームを共有し得るならば、この数を８よりも少ないものにするのは自然である。これは、ＶＨＴ−ＳＩＧフィールドのサイズ制限に適合し、要求された代表ビットの数を減少させる。例えば、マルチ・ユーザ送信に関してユーザ毎に空間−時間ストリームの数（ＮＳＴＳ）を定義するように、３個のビットが要求され得る。分解可能ロング・トレーニング・フィールド（ＬＴＦ）に関しては、ベリー・ハイ・スループット信号フィールドＡ（ＶＨＴ−ＳＩＧ−Ａ）内にこれらのビットが含まれ得る。
【００４５】
マルチ・ユーザの場合にユーザにわたって合計した空間ストリームの最大数（ＮＳＳ）を８として持つことは、ＰＡＲの要求にあう。マルチ・ユーザ送信に関しては、空間ストリームの数（ＮＳＳ）＝８の和が、１Ｇｂｐｓよりも多いスループットにつながり得る。もし８個の送信アンテナがサウンドされ得るならば、最大で８個の空間ストリームまでに関する固有のサポートがある。
【００４６】
マルチ・ユーザのユーザの最大数を４として持つことは、ＰＡＲの要求にあう。例えば、４のユーザ及びユーザ毎の２個のストリームを伴うマルチ・ユーザ送信は、１Ｇｂｐｓよりも多いスループットを可能にする。数が多くなるほど、ＭＡＣ層及び／又はＰＨＹ層の複雑さを著しく増大させる。例えば、各ユーザ・ストリームは、別々に暗号化され、かつ変調される必要があるかもしれない。しかし、マルチ・ユーザの場合に４のユーザの最大値を持つことは、ＶＨＴ−ＳＩＧのサイズ制限に適合し、かつ要求された代表ビットの数を減少させる。ＮＳＳビットが、ＶＨＴ−ＳＩＧ−Ａ内の各ユーザに関して事前に割り当てられ得る、ことは留意されるべきである。しかし、４マルチ・ユーザのユーザを伴っても、ほとんどのＶＨＴ−ＳＩＧ−Ａビットは、すでに割り当てられている。
【００４７】
フレーム・プリアンブルの１つの構成は、次の特徴を含み得る。該フレーム・プリアンブルは、第２ＶＨＴ−ＳＩＧ−フィールド・シンボル（例えば、ＶＨＴ−ＳＩＧ−Ａ２）に対して、９０度回転を用いて、ベリー・ハイ・スループット自動検出を提供し得る。このフレーム・プリアンブルは、８０２．１１ａ／ｎで用いられたものと同一である、ＶＨＴ−ＳＩＧフィールドに関する変調、すなわち、符号化率１／２を持つ２相位相変調（ＢＰＳＫ）を用い得る。グリーンフィールド（Ｇｒｅｅｎｆｉｅｌｄ）フォーマット無しで、単一のフレーム・プリアンブルが用いられ得る。
【００４８】
この構成では、該フレーム・プリアンブルは、複数のフィールド、すなわち、Ｌ−ＳＴＦ、Ｌ−ＬＴＦ、Ｌ−ＳＩＧフィールド、（例えば、ＶＨＴ−ＳＩＧ−Ａ１フィールド又はシンボル、及び、ＶＨＴ−ＳＩＧ−Ａ２フィールド又はシンボルを含み得る）ＶＨＴ−ＳＩＧ−Ａフィールド、ＶＨＴ−ＳＴＦ、１つ又は複数のＶＨＴ−ＬＴＦ、（例えば、１つのシンボルを含み得るような）ＶＨＴ−ＳＩＧ−Ｂフィールド、及び、ＶＨＴ−ＤＡＴＡフィールドを含み得る。該プリアンブルは、変数Ｔで決まる長さを持つ、６Ｍｂｐｓのレートを有し得る。ＶＨＴ−ＳＩＧ−Ａ内の第２シンボル（例えば、ＶＨＴ−ＳＩＧ−Ａ２）は、ＶＨＴ−ＳＩＧ−Ａ内の第１シンボル（例えば、ＶＨＴ−ＳＩＧ−Ａ１）に比べて９０度回転した、変調又はコンステレーション・マッピングを用い得る。したがって、ＶＨＴ−ＳＩＧ−Ａ２は、ＶＨＴ自動検出のために用いられ得る。
【００４９】
何れの８０２．１１ｎ自動検出アルゴリズムが現在の８０２．１１ｎ受信機にインプリメントされるかに関わらず、この自動検出に対するアプローチは、（例えば、８０２．１１ｎパケットのような）現在の８０２．１１ｎ受信機の信頼性のあるスプーフィングを提供することができる。また、このアプローチは、（例えば、ＢＰＳＫ対直交２相位相変調（ＱＢＰＳＫ）に関する）最大ユークリッド距離を持つ、信頼性のある８０２．１１ａｃ自動検出も提供する。第１ＶＨＴ−ＳＩＧ−Ａシンボル（例えば、ＶＨＴ−ＳＩＧ−Ａ１）の変調をマニピュレートするのは危険になり得る、ということは留意されるべきである。８０２．１１ｎ自動検出の多様な現在のインプリメンテーションを考えると、他のアプローチでのように、任意の特定の８０２．１１ｎ自動検出アプローチを想定するのは、公平ではないかもしれない。例えば、そのような想定を行うことは、８０２．１１ｎデバイスがハイ・スループット信号フィールド（ＨＴ−ＳＩＧ）の誤った検出、及び、エネルギー・ディテクション・クリアー・チャネル・アセスメント（ＥＤ−ＣＣＡ）ステージへ向かう、ことをより起こりうるようにすることができる。
【００５０】
検出のタイミングに関して、ＶＨＴ−ＳＴＦ自動利得制御（ＡＧＣ）は、（ＶＨＴ検出よりも前に）おおよその高速フーリエ変換（ＦＦＴ）処理時間によって延長され得る。８０２．１１ａｃデバイスは、ハイヤー・スループットをサポートするように高速なクロックを作動することができる。従って、ＡＧＣ演算は、ハイ・スループット（ＨＴ）デバイスよりも高速になり得る。１つの構成では、前記第１ＶＨＴ−ＬＴＦに関するガード・インターバル（ＧＩ）の部分が、ＡＧＣ演算のために用いられ得る。ＡＧＣ計算よりもさらに複雑な機能（例えば、ダウンリンク・マルチユーザ（ＤＬ−ＭＵ）機能、高速復号器、など）が、８０２．１１ａｃに関して要求され得る。従って、ＶＨＴ−ＡＧＣエンハンスメントは瑣末なことになり得る。その結果、信頼性のあるレガシー・スプーフィングは、ＡＧＣエンハンスメントの余計な複雑さよりもさらに重要になり得る。
【００５１】
ＶＨＴ−ＳＩＧフィールドの変調については、ＶＨＴ−ＳＩＧフィールドを変調するために最低可能なＭＣＳを使用し続けるのが好ましくなり得る。例えば、最大範囲を保証するためにＭＣＳ０が用いられても良い。これは、該ヘッダーが該データ・フィールドよりも悪くは無い、ことを確実にし得る。
【００５２】
グリーンフィールド（ＧＦ）フォーマットに関しては、第２プリアンブル・フォーマットは定義しないのが好ましくなり得る。８０２．１１ｎでは、該ＧＦフォーマットは、これまでは限定された用法だけを有してきている。しかし、８０２．１１ｎ内のＧＦフォーマットを支持するオーギュメントのうちの１つは、８０２．１１ａの限定された使用による５ＧＨｚ範囲内のグリーン・スペースの存在であった。それにも関わらず、８０２．１１ｎの５ＧＨｚ配備がない場合、８０２．１１ａｃタスク・グループ（ＴＧａｃ）に対するポイントもない。従って、本想定は、８０２．１１ｎの５ＧＨｚ配備があるだろう、というものになる。８０２．１１ｎと同様に、複数のプリアンブル・タイプを有することは、小さな物理層（ＰＨＹ）効率改善に関する自動検出の難易度を上げる。従って、該ＰＨＹ改善は、ＧＦ保護交換によってオフセットになり得る。
【００５３】
ここに開示されたシステム及び方法に基づいて、以後いくつかのプリアンブル設計のゴールが与えられる。１つのゴールは、下位互換である。例えば、該プリアンブル設計は、強固なレガシー８０２．１１ａ延期及び強固なレガシー８０２．１１ｎ延期を可能にすることができる。別のプリアンブル設計のゴールは、（例えば、ミックス・モード（ＭＭ）及びＧＦに関する、）８０２．１１ｎ、８０２．１１ａの間の信頼性のある自動検出、及びＶＨＴプリアンブルである。別のゴールは、シングルユーザ（ＳＵ）の場合及びマルチユーザ（ＭＵ）の場合に単一のプリアンブル構造を有することである。別の設計のゴールは、ＶＨＴ−ＳＩＧフィールドによるＶＨＴ  ＰＨＹ情報のシグナリングを可能にすることである。各サブチャネルにおける、広いチャネルに関するトレーニング、及び検出、及び延期は、さらなるゴールである。まだ他のプリアンブル設計のゴールは、低いピーク対平均パワー比（ＰＡＰＲ）を伴うプリアンブルを有することと、全プリアンブルの長さを最小化するかあるいは減少させることと、を含んでいる。
【００５４】
ここに開示されたシステム及び方法の１つの構成では、スプーフィング及び自動検出は次のように実行され得る。Ｌ−ＳＩＧスプーフィングは、８０２．１１ａ受信機と８０２．１１ｎ受信機の両方のために用いられ得る。例えば、これは、８０２．１１ａ／ｇ受信機に関して、８０２．１１ｎスプーフィングとして行われ得る。１つの構成では、本ビット・レートは６Ｍｂｐｓになる可能性があり、ここで、長さ／レートは期間を指す。ＶＨＴ−ＳＩＧシンボルに対して９０度回転したＢＰＳＫ（ＱＢＰＳＫ）は、ＶＨＴ自動検出のために用いられ得る。８０２．１１ｎ受信機は、該パケットを、８０２．１１ａパケット（Ｌ−ＳＩＧスプーフィング）のように取り扱うだろう。
【００５５】
以後、ＭＵパケットに関するＶＨＴ−ＳＩＧ内の集合ビットに対するいくつかの追加の詳細が与えられる。再びＶＨＴ−ＳＩＧ内のパケットの期間を示す必要はないかもしれない。例えば、長さの情報はＬ−ＳＩＧフィールドから得ることができる。集合ＭＡＣプロトコル・データ・ユニット（Ａ−ＭＰＤＵ）構造は、個々のＭＰＤＵに関する長さの情報を提供するように用いられ得る。Ａ−ＭＰＤＵが常にＶＨＴフレームとともに用いられる、ことは要求されるかもしれない。該ＭＡＣ層は、各パー・ユーザ・ストリームに関して、フレームを最後のバイトまで満たすＡ−ＭＰＤＵを提供することができ、かつ、該ＰＨＹ層は、０−７ビットのパディングを提供する。また、ＳＵパケットにおいてもこの同じパディング・スキームが定義され得る。従って、「集合」ビットは、ＶＨＴ−ＳＩＧ内では必要とされなくても良い。
【００５６】
ＭＵの場合には、ＶＨＴ−ＳＩＧ−Ａフィールドは、全てのクライアントに「共通な」ビットを含み得る。例えば、ＶＨＴ−ＳＩＧ−Ａフィールドは、各ユーザに関する空間−時間ストリームの数（ＮＳＴＳ）を示すことができる。（例えば、サウンディングによって、もしくは、管理フレームを経由して）ＤＬ−ＭＵパケットが用いられるよりも前に、前述のマルチユーザ・グループ及び、ユーザ識別（ＩＤ）指定フレーム交換が必要になるかもしれない、ということは留意されるべきである。従って、各ユーザは、ＶＨＴ−ＳＩＧ−Ａフィールドからその自身のＮＳＴＳ情報を得ることができるかもしれない。
【００５７】
ＶＨＴ−ＳＩＧ−Ｂフィールドは、ユーザ特定情報（例えば、変調・符号化率）を含み、かつ異なるクライアントに関して空間的に多重化され得る。ＶＨＴ−ＳＩＧ−Ｂフィールドは、ＶＨＴ−ＳＩＧ−Ｂを復号する前に、ＤＬ−ＭＵ内でより良い受信機側の干渉緩和を可能にするために、全てのＶＨＴ−ＬＴＦの後に置かれる。これは、各クライアントに、全てのユーザを通して空間ストリームの総数をトレインするために必要なくらい多くのＬＴＦを得ることを要求し、これは「分解可能ＶＨＴ−ＬＴＦ」と呼ばれる。全てのクライアントが受信機側の干渉緩和をサポートしない場合、もしくは干渉緩和が要求されない場合は、「非分解可能ＶＨＴ−ＬＴＦ」が選択され得る。
【００５８】
ＶＨＴ−ＳＩＧフィールドに関する考慮は、帯域幅、ショートＧＩ、グループ識別（ＩＤ）フィールド、ＭＣＳ、空間−時間ブロック符号化（ＳＴＢＣ）、サウンディング、スムージング、符号化タイプ、巡回冗長検査（ＣＲＣ）、及び、テイルを含んでいる。
【００５９】
これから図を参照して多様な構成を説明するが、ここで、類似の参照数字は、機能的に類似した要素を指す。ここに、図に示されかつ一般的に記載されたシステム及び方法は、多種多様の異なる構成でアレンジされ設計されることができる。従って、図に表したように、以下の複数の構成のより詳細な説明は、要求された範囲に限定するように意図されたわけではなく、システム及び方法の代表に過ぎない。
【００６０】
図１は、フレームに関するトーンを割り当てるためのシステム及び方法がインプリメントされ得るような送信通信デバイス１０２の１つの構成、及び、フレームに関するトーンを受け取るためのシステム及び方法がインプリメントされ得るような受信通信デバイス１４２の１つの構成を示すブロック図である。該送信通信デバイス１０２は、１つ又は複数の受信通信デバイス１４２に対して伝送されるペイロード・データ１０４及び／又はプリアンブル・データ１１６を受け取るための入力を持つ符号器１０６を含むことができる。該ペイロード・データ１０４は、声、映像、音響、及び／又は、その他のデータを含むことができる。該プリアンブル・データ１１６は、データ・レート、変調・符号化スキーム（ＭＣＳ）、チャネル帯域幅、などを指定する情報などの、制御情報を含むことができる。該符号器１０６は、前方向誤り訂正（ＦＥＣ）、暗号化、パケッティング、及び／又は、無線伝送と共に使用するために知られるその他の符号化に関するデータ１０４、１１６を符号化してもよい。
【００６１】
コンステレーション・マッパ１１０は、該符号器１０６によって提供されるデータをコンステレーションにマップする。例を挙げると、該コンステレーション・マッパ１１０は、２相位相変調（ＢＰＳＫ）、直交振幅変調（ＱＡＭ）、などの変調スキームを用いることができる。直交振幅変調（ＱＡＭ）が用いられるところでは、例えば、該コンステレーション・マッパ１１０は、各シンボル期間当たり、各データ・サブキャリア１４０当たり、各空間ストリーム１３８当たり、２ビットを提供するかもしれない。さらに、該コンステレーション・マッパ１１０は、各シンボル期間当たり、各データ・サブキャリア１４０当たり、各空間ストリーム１３８当たり、１６−ＱＡＭコンステレーション信号を出力し得る。６４−ＱＡＭなどの、その他の変調が用いられても良く、それらは、シンボル期間ごとに、データ・サブキャリア１４０ごとに、空間ストリーム１３８ごとに、６ビットを消費することになるだろう。また、その他の変形例も可能である。
【００６２】
該コンステレーション・マッパ１１０の出力は、空間−時間−周波数マッパ１０８に対して供給され、該マッパ１０８は該データを該送信機の空間−時間−周波数（ＳＴＦ）次元にマップする。該次元は、多様な構成物又はリソースを表し、これでデータの割り当てが可能になる。所定のビット又はビットの組（例えば、ビットのグルーピング、コンステレーション・ポイントに相当するビットの組、など）は、該次元のうちの特定の場所にマップされ得る。一般的に、次元のうちの異なる場所にマップされるビット及び／又は信号は、それらが、いくらかの可能性とともに、１つ又は複数の受信通信デバイス１４２で区別可能になると期待されるように、送信通信デバイス１０２から送信される。１つの構成では、該空間−時間−周波数マッパ１０８は、空間−時間ブロック符号化（ＳＴＢＣ）を実行することができる。
【００６３】
（いくらかの可能性とともに）異なる空間ストリーム１３８に対する該伝送が受信機で区別可能となり得るように、該送信通信デバイス１０２から１つ又は複数の空間ストリーム１３８が送信され得る。例えば、１つの空間的次元に対してマップされるビットは、１つの空間ストリーム１３８として伝送される。その空間ストリーム１３８は、他のアンテナ１３２から空間的に隔てられたその自身のアンテナ１３２、複数の空間的に隔てられたアンテナ１３２を介するその自身の直交重ね合わせ、その自身の偏向、などに対して伝送され得る。（空間にアンテナ１３２を分離することを含む）空間ストリーム１３８分離のための多くの技法（、あるいは、例えば受信機でその信号を区別できるようにするその他の技法）は、公知であり、使用されることができる。
【００６４】
図１に示した例では、同じあるいは異なる数のアンテナ１３２ａ−ｎ（例えば、１つ又は複数）を用いて伝送される１つ又は複数の空間ストリーム１３８がある。いくつかの事例では、１つ又は複数のその他の空間ストリーム１３８の不活性化のせいで、１つの空間ストリーム１３８だけが有効になり得た。
【００６５】
該送信通信デバイス１０２が複数の周波数サブキャリア１４０を用いるような場合には、該空間−時間−周波数マッパ１０８が、いくつかのビットを１つの周波数サブキャリア１４０に対してマップし、その他のビットを別の周波数サブキャリア１４０に対してマップし得るように、周波数次元に関する複数の値がある。その他の周波数サブキャリア１４０は、ガード・バンド、パイロット・トーン・サブキャリア、又はデータ１０４、１１６を運ばない（あるいは必ずしも運ぶわけではない）類似のものとして確保され得る。例えば、１つ又は複数のデータ・サブキャリア１４０及び１つ又は複数のパイロット・サブキャリア１４０があっても良い。いくつかの事例又は構成においては、一度に全てのサブキャリア１４０が励起され得るわけではない、ことは留意されるべきである。例を挙げると、フィルタリングを可能にするために、いくつかのトーンは励起され得ない。１つの構成では、該送信通信デバイス１０２は、複数のサブキャリア１４０の伝送のために直交周波数分割多重（ＯＦＤＭ）を利用することができる。例を挙げると、該空間−時間−周波数マッパ１０８は、用いた多重化スキームに従って、（符号化された）データ１０４、１１６を、空間、時間、及び／又は周波数リソースに対してマップし得る。
【００６６】
該時間の次元はシンボル期間を指す。異なるシンボル期間には異なるビットが割り当てられ得る。複数の空間ストリーム１３８、複数のサブキャリア１４０、及び複数のシンボル期間があるところでは、１つのシンボル期間のための伝送は、「ＯＦＤＭ（直交周波数分割多重）  ＭＩＭＯ（多入力・多出力）シンボル」と呼ばれ得る。単一シンボルごとのビットの数（例えば、用いたコンステレーションの数のｌｏｇ２）に空間ストリーム１３８の数を掛け、データ・サブキャリア１４０の数を掛け、シンボル期間の長さを割ることによって、符号化されたデータに関する伝送速度が定まり得る。
【００６７】
従って、該空間−時間−周波数マッパ１０８は、ビット（又は入力データのその他のユニット）を、１つ又は複数の空間ストリーム１３８、データ・サブキャリア１４０及び／又はシンボル期間に対してマップし得る。分離した空間ストリーム１３８は、分離したパスを用いて、生成され、かつ／又は伝送され得る。いくつかのインプリメンテーションでは、これらのパスは別個のハードウェアとともにインプリメントされ、一方でその他のインプリメンテーションでは、パス・ハードウェアが１つの空間ストリーム１３８よりも多くのために再利用されるか、あるいはパス・ロジックが、１つ又は複数の空間ストリーム１３８に関して実行するソフトウェア内でインプリメントされる。より具体的に言うと、該送信通信デバイス１０２に示された要素の各々は、単一のブロック／モジュール又は複数のブロック／モジュールとしてインプリメントされ得る。例を挙げると、該送信機無線周波数ブロック１２６の要素は、各々アンテナ１３２ａ−ｎに相当する単一のブロック／モジュール又は複数の平行ブロック／モジュール（例えば、各々空間ストリーム１３８）としてインプリメントされ得る。ここに用いたような、用語「ブロック／モジュール」及びその変化例は、ハードウェア、ソフトウェア、又は両方の組み合わせにおいて、特定の要素又はコンポーネントがインプリメントされ得る、ことを示し得る。
【００６８】
該送信通信デバイス１０２は、パイロット・ジェネレータ・ブロック／モジュール１３０を含むことができる。該パイロット・ジェネレータ・ブロック／モジュール１３０は、パイロット・シーケンスを生成することができる。パイロット・シーケンスはパイロット・シンボルのグループでも良い。１つの構成では、例として、該パイロット・シーケンスの値は、特定の位相、振幅、及び／又は、周波数を持つ信号によって表され得る。例えば、「１」は特定の位相及び／又は振幅を持つパイロット・シンボルを意味し、一方で「−１」は、異なる（例えば、反対のあるいは逆の）位相及び／又は振幅を持つパイロット・シンボルを意味し得る。
【００６９】
いくつかの構成では、該送信通信デバイス１０２は擬似ランダム・ノイズ・ジェネレータ１２８を含むことができる。該擬似ランダム・ノイズ・ジェネレータ１２８は、該パイロット・シーケンスをスクランブルさせるために用いられた擬似ランダム・ノイズ・シーケンス又は信号（例えば、数値データ）を生成することができる。例えば、連続ＯＦＤＭシンボルのためのパイロット・シーケンスは、該擬似ランダム・ノイズ・シーケンスからの連続数を掛けられ、それによってＯＦＤＭシンボルごとのパイロット・シーケンスをスクランブルする。パイロット・シーケンスが受信通信デバイス１４２に送られる場合、受け取られたパイロット・シーケンスはパイロット・プロセッサ１４８によってアンスクランブルされ得る。
【００７０】
該空間−時間−周波数マッパ１０８の出力は、周波数及び／又は空間次元にわたって拡散され得る。パイロット挿入ブロック／モジュール１１２は、パイロット・トーンを該パイロット・トーン・サブキャリア１４０に挿入する。例えば、該パイロット・シーケンスは、特定のインデックス１１４でサブキャリア１４０に対してマップされ得る。例を挙げると、パイロット・シーケンスからのパイロット・シンボルは、データ・サブキャリア１４０及び／又はその他のサブキャリア１４０とともに撒き散らされるサブキャリア１４０に対してマップされ得る。すなわち、パイロット・シーケンス又は信号は、データ・シーケンス又は信号と組み合わされ得る。いくつかの構成では、１つ又は複数の直流（ＤＣ）トーンは、インデックス０に集中し得る。
【００７１】
いくつかの構成では、該組み合わされたデータ及びパイロット信号は、循環ブロック／モジュール（図１には示されていない）に対して供給され得る。該循環ブロック／モジュールは、パイロット・シンボル及び／又はデータ・シンボルを循環させるために循環係数又は増倍率を用い得る。例えば、該循環ブロック／モジュールは、ＶＨＴ自動検出を提供するためにＶＨＴ−ＳＩＧ−Ａ２シンボルを循環させ得る。
【００７２】
該送信通信デバイス１０２は、帯域幅決定ブロック／モジュール１１８を含むことができる。該帯域幅決定ブロック／モジュール１１８は、１つ又は複数の受信通信デバイス１４２に対して、伝送のために用いられるチャネル帯域幅を決定することができる。この決定は、受信通信デバイス１４２互換性、（伝送チャネルを用いるための）受信通信デバイス１４２の数、チャネル品質（例えば、チャネル・ノイズ）、及び／又は受け取られたインジケータ、などの、１つ又は複数のファクターに基づき得る。１つの構成では、該帯域幅決定ブロック／モジュール１１８は、信号送信に関する帯域幅が、２０ＭＨｚか、４０ＭＨｚか、８０ＭＨｚか、あるいは１６０ＭＨｚか、を決定することができる。
【００７３】
該帯域幅決定ブロック／モジュール１１８は、１つ又は複数のブロック／モジュールに対して帯域幅決定の指示を与えることができる。例えば、この帯域幅の指示は、該空間−時間−周波数マッパ１０８、該パイロット挿入ブロック／モジュール１１２、及び／又は、該パイロット・ジェネレータ１３０に対して与えられ得る。加えて、あるいはその代わりに、該帯域幅の指示は、プリアンブル・データ１１６の一部として与えられ得る。例を挙げると、該帯域幅の指示を表すために、該プリアンブル・データ１１６内の１つ又は複数のビットが割り当てられ得る。加えて、あるいはその代わりに、該帯域幅の指示は、暗に、プリアンブル・データ１１６内に指示され得る。このようにして、この帯域幅の指示は１つ又は複数の受信通信デバイス１４２に対してシグナルされ得る。これは、該１つ又は複数の受信通信デバイス１４２が、該選択されたチャネル・帯域幅を用いて、プリアンブル・データ１１６を受け取ることを可能にし得る。
【００７４】
該空間−時間−周波数マッパ１０８は、該帯域幅の指示を用いて、複数のトーン（例えば、サブキャリア１４０）に対して該プリアンブル・データ１１６をマップすることができる。例えば、ここに開示されたシステム及び方法は、（例えば、該帯域幅の指示によって指定されたような）チャネル帯域幅に基づく該プリアンブル・データ１１６の伝送に関する該送信通信デバイス１０２によって用いられ得るサブキャリア１４０か、または、複数のＯＦＤＭトーンを定義することができる。また、該ＯＦＤＭトーンの数は、特定のプリアンブル・フィールドによっても指定され得る。例えば、上記の表（１）に示されたとおり、該空間−時間−周波数マッパ１０８は、該帯域幅決定及び該プリアンブル・フィールドに基づいたＯＦＤＭトーンの数に対して、プリアンブル・データ１１６をマップし得る。例えば、現在のフィールドがＶＨＴ−ＳＩＧ−Ｂであり、かつ帯域幅の指示が８０ＭＨｚの帯域幅を指定する場合、該空間−時間−周波数マッパ１０８は２３４個のＯＦＤＭトーン又はサブキャリア１４０に対してプリアンブル・データ１１６をマップすることができ、パイロットに関する８個のＯＦＤＭトーン及びＤＣトーンとして３個のサブキャリア１４０を残す。いくつかの構成では、該空間−時間−周波数マッパ１０８は、トーンの数を決定するためにルックアップ表を用いるか、あるいは指定された帯域幅用にサブキャリアを用い得る。
【００７５】
より具体的に言うと、決定された帯域幅が２０ＭＨｚの場合、送信通信デバイス１０２は、Ｌ−ＳＴＦに関しては１２個のＯＦＤＭトーンを、Ｌ−ＬＴＦに関しては５２個のＯＦＤＭトーンを、Ｌ−ＳＩＧフィールドに関しては５２個のＯＦＤＭトーンを、ＶＨＴ−ＳＩＧ−Ａ１フィールド又はシンボルに関しては５２個のＯＦＤＭトーンを、ＶＨＴ−ＳＩＧ−Ａ２フィールド又はシンボルに関しては５２個のＯＦＤＭトーンを、ＶＨＴ−ＳＴＦに関しては１２個のＯＦＤＭトーンを、１つ又は複数のＶＨＴ−ＬＴＦに関しては（例えば、各々のＶＨＴ−ＬＴＦに関しては）５６個のＯＦＤＭトーンを、ＶＨＴ−ＳＩＧ−Ｂフィールドに関しては５６個のＯＦＤＭトーンを、及び／又は、ＤＡＴＡフィールドに関しては５６個のＯＦＤＭトーンを割り当てることができる。決定された帯域幅が４０ＭＨｚの場合、送信通信デバイス１０２は、Ｌ−ＳＴＦに関しては２４個のＯＦＤＭトーンを、Ｌ−ＬＴＦに関しては１０４個のＯＦＤＭトーンを、Ｌ−ＳＩＧフィールドに関しては１０４個のＯＦＤＭトーンを、ＶＨＴ−ＳＩＧ−Ａ１フィールド又はシンボルに関しては１０４個のＯＦＤＭトーンを、ＶＨＴ−ＳＩＧ−Ａ２フィールド又はシンボルに関しては１０４個のＯＦＤＭトーンを、ＶＨＴ−ＳＴＦに関しては２４個のＯＦＤＭトーンを、１つ又は複数のＶＨＴ−ＬＴＦに関しては１１４個のＯＦＤＭトーンを、ＶＨＴ−ＳＩＧ−Ｂフィールドに関しては１１４個のＯＦＤＭトーンを、及び／又は、ＤＡＴＡフィールドに関しては１１４個のＯＦＤＭトーンを割り当てることができる。帯域幅が８０ＭＨｚの場合、送信通信デバイス１０２は、Ｌ−ＳＴＦに関しては４８個のＯＦＤＭトーンを、Ｌ−ＬＴＦに関しては２０８個のＯＦＤＭトーンを、Ｌ−ＳＩＧフィールドに関しては２０８個のＯＦＤＭトーンを、ＶＨＴ−ＳＩＧ−Ａ１フィールド又はシンボルに関しては２０８個のＯＦＤＭトーンを、ＶＨＴ−ＳＩＧ−Ａ２フィールド又はシンボルに関しては２０８個のＯＦＤＭトーンを、ＶＨＴ−ＳＴＦに関しては４８個のＯＦＤＭトーンを、１つ又は複数のＶＨＴ−ＬＴＦに関しては２４２個のＯＦＤＭトーンを、ＶＨＴ−ＳＩＧ−Ｂフィールドに関しては２４２個のＯＦＤＭトーンを、及び／又は、ＤＡＴＡフィールドに関しては２４２個のＯＦＤＭトーンを割り当てることができる。決定された帯域幅が１６０ＭＨｚの場合、送信通信デバイス１０２は、Ｌ−ＳＴＦに関しては４８個のＯＦＤＭトーンを、Ｌ−ＬＴＦに関しては４１６個のＯＦＤＭトーンを、Ｌ−ＳＩＧフィールドに関しては４１６個のＯＦＤＭトーンを、ＶＨＴ−ＳＩＧ−Ａ１フィールド又はシンボルに関しては４１６個のＯＦＤＭトーンを、ＶＨＴ−ＳＩＧ−Ａ２フィールド又はシンボルに関しては４１６個のＯＦＤＭトーンを、ＶＨＴ−ＳＴＦに関しては４８個のＯＦＤＭトーンを、１つ又は複数のＶＨＴ−ＬＴＦに関しては４８４個のＯＦＤＭトーンを、ＶＨＴ−ＳＩＧ−Ｂフィールド又はシンボルに関しては４８４個のＯＦＤＭトーンを、及び／又は、ＤＡＴＡフィールドに関しては４８４個のＯＦＤＭトーンを割り当てることができる。
【００７６】
またいくつかの構成では、該パイロット・ジェネレータ１３０に対しても該帯域幅の指示が与えられ得る。該パイロット・ジェネレータ１３０は、帯域幅の指示を用いて、適当な数のパイロット・シンボルを生成することができる。例えば、該パイロット・ジェネレータ１３０は、（２４２個のＯＦＤＭトーン、すなわち、３個のＤＣサブキャリア１４０を持つ８個のパイロット・トーン及び２３４個のデータ・トーンと共に、）８０ＭＨｚ信号に関して８個のパイロット・シンボルを生成することができる。
【００７７】
いくつかの構成では、該パイロット挿入ブロック／モジュール１１２に対して該帯域幅の指示がさらに与えられ得る。該パイロット挿入ブロック／モジュール１１２は、この指示を用いてパイロット・シンボル挿入に関してサブキャリア・インデックス１１４を決定することができる。例を挙げると、インデックス−１０３、−７５、−３９、−１１、１１、３９、７５、及び１０３でパイロット・シンボルが挿入されるであろう、ことを８０ＭＨｚ帯域幅は示し得る。
【００７８】
該データ及び／又はパイロット信号は、逆離散フーリエ変換（ＩＤＦＴ）ブロック／モジュール１２０に対して供給される。該逆離散フーリエ変換（ＩＤＦＴ）ブロック／モジュール１２０は、挿入されたパイロット・トーン及びデータ１０４、１１６の周波数信号を、シンボル期間に関する時間領域のサンプル及び／又は空間ストリーム１３８を介して信号を表す時間領域の信号へ変換する。１つの構成では、例えば、該ＩＤＦＴブロック／モジュール１２０は、２５６ポイントの逆高速フーリエ変換（ＩＦＦＴ）を実行し得る。
【００７９】
該時間領域の信号は、フォーマッタ１２２へ供給される。該フォーマッタ（例えば、１つ又は複数のフォーマッティング・ブロック／モジュール）１２２は、該逆離散フーリエ変換（ＩＤＦＴ）ブロック／モジュール１２０の出力を受け取り、それを並列信号から直列信号へ変換（Ｐ／Ｓ）し、循環プリフィックスを加え、かつ／又はガード・インターバル・ウィンドウ機能を実行する、などができる。
【００８０】
該フォーマッタ１２２出力は、デジタル・アナログ変換器（ＤＡＣ）１２４へ供給され得る。該デジタル・アナログ変換器（ＤＡＣ）１２４は、該フォーマッタ１２２出力を、１つ又は複数のデジタル信号から１つ又は複数のアナログ信号へ変換することができる。該デジタル・アナログ変換器（ＤＡＣ）１２４は、該アナログ信号を、１つ又は複数の送信機無線周波数（ＴＸ  ＲＦ）ブロック１２６へ供給することができる。
【００８１】
該１つ又は複数の送信機無線周波数ブロック１２６は、パワー・アンプと結合されても良いし、あるいはパワー・アンプを含んでも良い。該パワー・アンプは、伝送に関して該アナログ信号を増幅することができる。該１つ又は複数の送信機無線周波数ブロック１２６は、無線周波数（ＲＦ）信号を１つ又は複数のアンテナ１３２ａ−ｎに対して出力することができ、それによって、１つ又は複数の受信通信デバイス１４２によってレシートのために適切に構成された無線媒体を介して、該符号器１０６に対して入力されたデータ１０４、１１６を伝送する。
【００８２】
１つ又は複数の受信通信デバイス１４２は、該送信通信デバイス１０２から信号を受信し、かつ、それを用いることができる。例えば、受信通信デバイス１４２は、受け取られた帯域幅インジケータを用いて、所定の数のＯＦＤＭトーン又はサブキャリア１４０を受け取ることができる。加えて、あるいはその代わりに、受信通信デバイス１４２は、送信通信デバイス１０２によって生成されたパイロット・シーケンスを用いて、チャネル、送信機欠陥、及び／又は、受信機欠陥を特徴付けることができ、かつ、その特徴を用いて、該伝送中に符号化されたデータ１０４、１１６の受け取りを改善することができる。
【００８３】
例えば、受信通信デバイス１４２は、１つ又は複数の受信機無線周波数（ＲＸ  ＲＦ）ブロック１５８にフィードする、（送信通信デバイス１０２アンテナ１３２ａ−ｎ、及び／又は、空間ストリーム１３８の数より多いか、それらより少ないか、あるいはそれらと同じになり得る）１つ又は複数のアンテナ１３６ａ−ｎを含むことができる。該１つ又は複数の受信機無線周波数（ＲＸ  ＲＦ）ブロック１５８は、１つ又は複数のアナログ・デジタル変換器（ＡＤＣ）１５６に対して、アナログ信号を出力し得る。例えば、受信機無線周波数ブロック１５８は、ある信号を受信し、かつ、それをダウンコンバートすることができ、該信号はアナログ・デジタル変換器１５６に対して供給され得る。該送信通信デバイス１０２と同様に、プロセスされる空間ストリーム１３８の数が、アンテナ１３６ａ−ｎの数と等しいかどうかはわからない。さらに、多様なビームステアリング、直交化、などの技法が、複数の受信機ストリームに到達するように用いられ得るので、各空間ストリーム１３８は１つのアンテナ１３６に限定される必要はない。
【００８４】
該１つ又は複数のアナログ・デジタル変換器（ＡＤＣ）１５６は、該受け取られたアナログ信号を１つ又は複数のデジタル信号に変換することができる。こうした１つ又は複数のアナログ・デジタル変換器（ＡＤＣ）１５６の出力は、１つ又は複数の時間及び／又は周波数同期ブロック／モジュール１５４に供給され得る。時間及び／又は周波数同期ブロック／モジュール１５４は、（例えば、受信通信デバイス１４２クロックに対して）、時間及び／又は周波数内でデジタル信号を同期もしくは揃え（ようと試み）ることができる。
【００８５】
該時間及び／又は周波数同期ブロック／モジュール１５４の（同期された）出力は、１つ又は複数のデフォーマッタ１５２に対して供給され得る。例えば、デフォーマッタ１５２は、時間及び／又は周波数同期ブロック／モジュール１５４の出力を受け取り、プレフィックスなどを取り除き、かつ／又は離散フーリエ変換（ＤＦＴ）処理に関するデータを平行にすることができる。
【００８６】
１つ又は複数のデフォーマッタ１５２出力は、１つ又は複数の離散フーリエ変換（ＤＦＴ）ブロック／モジュール１５０に対して供給され得る。該離散フーリエ変換（ＤＦＴ）ブロック／モジュール１５０は、１つ又は複数の信号を、時間領域から周波数領域へ変換することができる。パイロット・プロセッサ１４８は、（例えば、空間ストリーム１３８ごとに）該周波数領域の信号を用いて、送信通信デバイス１０２によって送られた（例えば、空間ストリーム１３８、周波数サブキャリア１４０、及び／又は、シンボル期間のグループを介して、）、１つ又は複数のパイロット・トーンを決定することができる。加えて、あるいはその代わりに、該パイロット・プロセッサ１４８は、該パイロット・シーケンスをデ・スクランブルすることができる。該パイロット・プロセッサ１４８は、位相、及び／又は、周波数、及び／又は、振幅のトラッキングに関してここに記載された、該１つ又は複数のパイロット・シーケンスを用いることができる。該パイロット・トーンは空間−時間−周波数検出及び／又は復号ブロック／モジュール１４６に供給されることができ、そのブロック／モジュール１４６は、多様な次元にわたるデータを検出しかつ／又は復号することができる。該空間−時間−周波数検出及び／又は復号ブロック／モジュール１４６は、受け取られたデータ１４４（例えば、送信通信デバイス１０２によって送信された、ペイロード・データ１０４及び／又はプリアンブル・データ１０６の、受信通信デバイス１４２の推定）を出力することができる。
【００８７】
いくつかの構成では、受信通信デバイス１４２は、全情報シーケンスの一部として送られた伝送シーケンスを理解している。該受信通信デバイス１４２は、このような既知の伝送シーケンスを用いて、チャネル推定を行うことができる。パイロット・トーン・トラッキング、処理及び／又はデータ検出及び復号、を助けるために、チャネル推定ブロック／モジュール１６０は、時間及び／又は周波数同期ブロック／モジュール１５４からの出力に基づいて、パイロット・プロセッサ１４８、及び／又は、空間−時間−周波数検出及び／又は復号ブロック／モジュール１４６に対して、推定信号を供給することができる。その代わりに、デ・フォーマッティング及び離散フーリエ変換が、既知の送信シーケンスに関して、全情報シーケンスのペイロード・データ部分が同一である場合、該推定信号は該離散フーリエ変換（ＤＦＴ）ブロック／モジュール１５０からの出力に基づいて、該パイロット・プロセッサ１４８、及び／又は、該空間−時間−周波数検出及び／又は復号ブロック／モジュール１４６に供給され得る。
【００８８】
該帯域幅決定ブロック／モジュール１３４は、該時間／周波数同期ブロック／モジュール１５４出力を用いて、（受け取られた通信に関する）チャネル帯域幅を決定することができる。例えば、該帯域幅決定ブロック／モジュール１３４は、チャネル帯域幅を指示する該送信通信デバイス１０２から帯域幅の指示を受け取ることができる。例を挙げると、該帯域幅決定ブロック／モジュール１３４は、明白なもしくは暗黙の帯域幅の指示を得ることができる。１つの構成では、帯域幅の指示は、２０ＭＨｚ、４０ＭＨｚ、８０ＭＨｚ、あるいは、１６０ＭＨｚのチャネル帯域幅を指示することができる。該帯域幅決定ブロック／モジュール１３４は、この指示に基いて受け取られた通信に関する帯域幅を決定することができ、かつ、該パイロット・プロセッサ１４８に対し、かつ／又は、該空間−時間−周波数検出／復号ブロック／モジュール１４６に対して決定された帯域幅の指示を与えることができる。
【００８９】
より具体的に言うと、決定された帯域幅が２０ＭＨｚの場合、受信通信デバイス１４２は、Ｌ−ＳＴＦに関しては１２個のＯＦＤＭトーンを、Ｌ−ＬＴＦに関しては５２個のＯＦＤＭトーンを、Ｌ−ＳＩＧフィールドに関しては５２個のＯＦＤＭトーンを、ＶＨＴ−ＳＩＧ−Ａ１フィールド又はシンボルに関しては５２個のＯＦＤＭトーンを、ＶＨＴ−ＳＩＧ−Ａ２フィールド又はシンボルに関しては５２個のＯＦＤＭトーンを、ＶＨＴ−ＳＴＦに関しては１２個のＯＦＤＭトーンを、１つ又は複数のＶＨＴ−ＬＴＦに関しては５６個のＯＦＤＭトーンを、ＶＨＴ−ＳＩＧ−Ｂフィールドに関しては５６個のＯＦＤＭトーンを、及び／又は、ＤＡＴＡフィールドに関しては５６個のＯＦＤＭトーンを受け取ることができる。決定された帯域幅が４０ＭＨｚの場合、受信通信デバイス１４２は、Ｌ−ＳＴＦに関しては２４個のＯＦＤＭトーンを、Ｌ−ＬＴＦに関しては１０４個のＯＦＤＭトーンを、Ｌ−ＳＩＧフィールドに関しては１０４個のＯＦＤＭトーンを、ＶＨＴ−ＳＩＧ−Ａ１フィールド又はシンボルに関しては１０４個のＯＦＤＭトーンを、ＶＨＴ−ＳＩＧ−Ａ２フィールド又はシンボルに関しては１０４個のＯＦＤＭトーンを、ＶＨＴ−ＳＴＦに関しては２４個のＯＦＤＭトーンを、１つ又は複数のＶＨＴ−ＬＴＦに関しては１１４個のＯＦＤＭトーンを、ＶＨＴ−ＳＩＧ−Ｂフィールドに関しては１１４個のＯＦＤＭトーンを、及び／又は、ＤＡＴＡフィールドに関しては１１４個のＯＦＤＭトーンを受け取ることができる。帯域幅が８０ＭＨｚの場合、受信通信デバイス１４２は、Ｌ−ＳＴＦに関しては４８個のＯＦＤＭトーンを、Ｌ−ＬＴＦに関しては２０８個のＯＦＤＭトーンを、Ｌ−ＳＩＧフィールドに関しては２０８個のＯＦＤＭトーンを、ＶＨＴ−ＳＩＧ−Ａ１フィールド又はシンボルに関しては２０８個のＯＦＤＭトーンを、ＶＨＴ−ＳＩＧ−Ａ２フィールド又はシンボルに関しては２０８個のＯＦＤＭトーンを、ＶＨＴ−ＳＴＦに関しては４８個のＯＦＤＭトーンを、１つ又は複数のＶＨＴ−ＬＴＦに関しては２４２個のＯＦＤＭトーンを、ＶＨＴ−ＳＩＧ−Ｂフィールドに関しては２４２個のＯＦＤＭトーンを、及び／又は、ＤＡＴＡフィールドに関しては２４２個のＯＦＤＭトーンを受け取ることができる。帯域幅が１６０ＭＨｚの場合、受信通信デバイス１４２は、Ｌ−ＳＴＦに関しては４８個のＯＦＤＭトーンを、Ｌ−ＬＴＦに関しては４１６個のＯＦＤＭトーンを、Ｌ−ＳＩＧフィールドに関しては４１６個のＯＦＤＭトーンを、ＶＨＴ−ＳＩＧ−Ａ１フィールド又はシンボルに関しては４１６個のＯＦＤＭトーンを、ＶＨＴ−ＳＩＧ−Ａ２フィールド又はシンボルに関しては４１６個のＯＦＤＭトーンを、ＶＨＴ−ＳＴＦに関しては４８個のＯＦＤＭトーンを、１つ又は複数のＶＨＴ−ＬＴＦに関しては４８４個のＯＦＤＭトーンを、ＶＨＴ−ＳＩＧ−Ｂフィールド又はシンボルに関しては４８４個のＯＦＤＭトーンを、及び／又は、ＤＡＴＡフィールドに関しては４８４個のＯＦＤＭトーンを受け取ることができる。
【００９０】
該パイロット・プロセッサ１４８は、決定された帯域幅の指示を用いて、該離散フーリエ変換ブロック／モジュール１５０出力からパイロット・シンボルを抽出することができる。例えば、決定された帯域幅の指示が、帯域幅が８０ＭＨｚであるように指定する場合、パイロット・プロセッサ１４８は、インデックス−１０３、−７５、−３９、−１１、１１、３９、７５、及び、１０３からパイロット・シンボルを抽出することができる。
【００９１】
該空間−時間−周波数検出／復号ブロック／モジュール１４６は、決定された帯域幅の指示を用いて、受け取られた信号からプリアンブル・データ及び／又はペイロード・データを検出し、かつ、復号することができる。例えば、現在のフィールドがＶＨＴ−ＳＩＧ−Ｂフィールドであり、かつ決定された帯域幅の指示が、帯域幅が８０ＭＨｚであることを指定する場合、（一例として、８個のＯＦＤＭトーンがパイロット・トーンであり、かつ３個のサブキャリア１４０がＤＣトーンのために用いられる間に、）該空間−時間−周波数検出／復号ブロック／モジュール１４６は、２３４個のＯＦＤＭトーン又はサブキャリア１４０からプリアンブル・データを検出しかつ／又は復号することができる。いくつかの構成では、該空間−時間−周波数検出／復号ブロック／モジュール１４６は、ルックアップ表を用いてトーンの数を決定するか、あるいはサブキャリアを用いて指定された帯域幅を受け取ることができる。
【００９２】
図２は、ここに開示されたシステム及び方法に基づいて用いられ得る通信フレーム２００の１つの例を示す図である。該フレーム２００は、プリアンブル・シンボル、パイロット・シンボル、及び／又は、データ・シンボルに関する、１つ又は複数のセクション（あるいはフィールド）を含むことができる。例えば、該フレーム２００は、８０２．１１ａｃプリアンブル２６０及びデータ・フィールド２８２（例えば、ＤＡＴＡ又はＶＨＴ−ＤＡＴＡフィールド）を備えることができる。１つの構成では、該８０２．１１ａｃプリアンブル２６０は、４０ないし６８μｓの期間を有し得る。（例えば、受信通信デバイス１４２によって、）プリアンブル２６０及び／又はパイロット・シンボルが用いられ得て、該フレーム２００内に含まれるプリアンブル１１６及び／又はペイロード・データ１０４を同期し、検出し、復調し、かつ／又は、復号することができる。
【００９３】
８０２．１１ａｃプリアンブル２６０を持つ該フレーム２００は、複数のフィールドを含んで構成され得る。１つの構成では、８０２．１１ａｃフレーム２００は、レガシー・ショート・トレーニング・フィールド又はノンハイ・スループット・ショート・トレーニング・フィールド（Ｌ−ＳＴＦ）２６６、レガシー・ロング・トレーニング・フィールド又はノンハイ・スループット・ロング・トレーニング・フィールド（Ｌ−ＬＴＦ）２６８、レガシー信号フィールド又はノンハイ・スループット信号フィールド（Ｌ−ＳＩＧ）２７０、ベリー・ハイ・スループット信号シンボル又はフィールドＡ１（ＶＨＴ−ＳＩＧ−Ａ１）２７２、ベリー・ハイ・スループット信号シンボル又はフィールドＡ２（ＶＨＴ−ＳＩＧ−Ａ２）２７４、ベリー・ハイ・スループット・ショート・トレーニング・フィールド（ＶＨＴ−ＳＴＦ）２７６、１つ又は複数のベリー・ハイ・スループット・ロング・トレーニング・フィールド（ＶＨＴ−ＬＴＦ）２７８、ベリー・ハイ・スループット信号フィールドＢ（ＶＨＴ−ＳＩＧ−Ｂ）２８０、及びデータ・フィールド（ＤＡＴＡ）２８２を含むことができる。
【００９４】
該８０２．１１ａｃプリアンブル２６０は、送信ビームフォーミング及びＳＤＭＡを適応させることができる。該プリアンブル２６０の第１部分又は一部分２６２は、（例えば、循環ダイバーシティ又は別のスキームを用いて、）全方向に送信され得る。該プリアンブル２６０のこの第１部分２６２は、Ｌ−ＳＴＦ  ２６６、Ｌ−ＬＴＦ  ２６８、Ｌ−ＳＩＧ  ２７０、ＶＨＴ−ＳＩＧ−Ａ１  ２７２、及び、ＶＨＴ−ＳＩＧ−Ａ２  ２７４を含むことができる。該プリアンブル２６０のこの第１部分２６２は、レガシー・デバイス（例えば、レガシーの仕様、又は、初期の仕様を遵守するデバイス）によって復号可能となり得る。
【００９５】
該８０２．１１ａｃプリアンブル２６０の第２部分又は一部分２６４は、全方向に送信され得るか、ビームフォームされ得るか、あるいは、ＳＤＭＡプリコードされ得る。該プリアンブル２６０のこの第２部分２６４は、該ＶＨＴ−ＳＴＦ  ２７６、１つ又は複数のＶＨＴ−ＬＴＦ  ２７８、及び、該ＶＨＴ−ＳＩＧ−Ｂ  ２８０を含んでいる。（例えば、データ・フィールド２８２内の）データ・シンボルは、該プリアンブル２６０の第２部分２６４と同一のアンテナ・パターンで送信され得る。また、該データ・フィールド２８２は全方向に送信され得るか、ビームフォームされ得るか、あるいは、ＳＤＭＡプリコードされ得る。該プリアンブル２６０の第２部分２６４及び該データ・シンボルは、レガシー・デバイスによって（あるいは全ての８０２．１１ａｃデバイスによってさえ）復号可能とはなりえない。
【００９６】
該８０２．１１ａｃプリアンブル２６０は、レガシー８０２．１１ａ及び８０２．１１ｎ受信機によって復号可能となるいくつかの制御データを含むことができる。この制御データは、該Ｌ−ＳＩＧ  ２７０内に含まれている。該Ｌ−ＳＩＧ  ２７０内のデータは、全ての受信機に、該伝送がどれくらい長く該無線媒体を占有するかを知らせ、その結果、全てのデバイスは、正確な時間の量に関する伝送を延期し得る。加えて、該８０２．１１ａｃプリアンブル２６０は、８０２．１１ａｃデバイスが、該伝送と８０２．１１ａｃ伝送とを区別すること（、そして該伝送が８０２．１１ａ内にあるか、あるいは８０２．１１ｎフォーマット内にあるかを決定することを避けること）を可能にする。さらに、ここに記載されたシステム及び方法に従う８０２．１１ａｃプリアンブル２６０は、レガシー８０２．１１ａ及び８０２．１１ｎデバイスに該伝送を８０２．１１ａ伝送として検出させ、該伝送は、Ｌ−ＳＩＧ  ２７０内で有効なデータを持つ有効な伝送である。
【００９７】
ここに開示されたシステム及び方法に基づいて、８０ＭＨｚの８０２．１１ａｃ信号に関するデータ及びパイロット・トーンの数が定義され得る。これは、２０ＭＨｚの８０２．１１ｎ信号、及び、４０ＭＨｚの８０２．１１ｎ信号に関するデータ及びパイロット・トーンの数と比較され得る。２０ＭＨｚの８０２．１１ｎ信号は、１個の直流（ＤＣ）トーンと共に、５６個のトーン（５２個のデータ、４個のパイロット）を用いる。４０ＭＨｚの８０２．１１ｎ信号は、３個のＤＣトーンと共に、１１４個のトーン（１０８個のデータ、６個のパイロット）を用いる。ここに開示されたシステム及び方法は、８０ＭＨｚの８０２．１１ａｃ信号に関して３個のＤＣトーンと共に、２４２個のトーン（例えば、２３４個のデータ・トーン及び８個のパイロット・トーン）の使用を説明する。ここのシステム及び方法に基づいて２３４個のデータ・トーンを用いることは、簡潔な周波数インターリーバ構成物及び適当なコスト・フィルタリング要求によって動機付けられ得る。また、８０２．１１ａ信号は、１個のＤＣトーンと共に５２個のトーン（４８個のデータ・トーン及び４個のパイロット・トーン）を用いる、ことにも留意しても良い。
【００９８】
ここに記載されたシステム及び方法に基づく８０２．１１ａｃプリアンブル２６０は、２つの部分又は一部分を備えることができる。第１部分２６２は全方向に（例えば、循環遅延ダイバーシティを伴って）送信されることができ、第２部分２６４は全方向に、ビームフォーミングを伴うか、あるいはＳＤＭＡプリコーディングを伴って送信され得る。第１又は全方向部分２６２の第１の３つのフィールド（例えば、Ｌ−ＳＴＦ  ２６６、Ｌ−ＬＴＦ  ２６８、Ｌ−ＳＩＧ  ２７０）は、８０２．１１ａ及び８０２．１１ｎ受信機によって復号可能な信号を含むことができる。さらに、レガシー８０２．１１ａ及び８０２．１１ｎデバイスは、このようなレガシー・デバイスがまるで８０２．１１ａ伝送であるかのように該Ｌ−ＳＩＧ  ２７０を復号するように、該８０２．１１ａｃ伝送が８０２．１１ａ伝送であることを決定し得る。
【００９９】
ここに開示されたシステム及び方法は、記載された制約を満たす、各プリアンブル２６０フィールド、及び／又は、データ・フィールド２８２に関する適当なトーンの数を提供することができる。このトーン割り当ては、表（３）に示されている。より具体的に言うと、表（３）は、多様な信号帯域幅に関する８０２．１１ａｃ伝送のために利用することができるＯＦＤＭトーンの数を示す。
【表３】
0005579921.tif 000004
【０１００】
Ｌ−ＳＴＦ  ２６６は、２０ＭＨｚ信号につき１２個のトーンを用い得る。この場合、時間領域の信号は、８００ナノ秒（ｎｓ）の繰り返し間隔を有し得る。この繰り返し間隔は、高速利得制御、タイミング・オフセット推定、及び、周波数オフセット推定のために用いられ得る。時間領域の信号は、１つの８００ｎｓ間隔のためだけに考慮される必要があるので、受け取られた信号の強度は、瞬時に測定され得る。レガシー８０２．１１ａ及び８０２．１１ｎデバイスは、１２個のトーンを期待するだろう。
【０１０１】
Ｌ−ＬＴＦ  ２６８及びＬ−ＳＩＧ  ２７０は、２０ＭＨｚ信号に関する５２個のトーンを用い得る。これは、任意のレガシー８０２．１１ａ又は８０２．１１ｎデバイスによる８０２．１１ａ伝送に関して期待されるもののようになり得る。４０ＭＨｚの８０２．１１ａｃ信号が伝送される場合、こうしたフィールド２６８、２７０の内容は、４０ＭＨｚ信号の各２０ＭＨｚサブバンドへコピーされ（かつ複素数でスケールされ）得る。すなわち、Ｌ−ＳＩＧフィールド２７０は、２０ＭＨｚで完全に隔てられたＤＣトーンを持つ２つの２０ＭＨｚサブバンド内で用いられ得る。従って、トーンの総数は厳密に２倍になる。８０ＭＨｚ及び１６０ＭＨｚに関しては、フィールドがスケールされ、かつ、各々４又は８の２０ＭＨｚサブバンドにコピーされる、同一の設計が続かれ得る。
【０１０２】
Ｌ−ＳＩＧ  ２７０は、８０２．１１ａ仕様に従って、４８個のデータ・トーン及び４個のパイロットを用い得る。４０ＭＨｚ、８０ＭＨｚ、及び１６０ＭＨｚの８０２．１１ａｃ伝送に関しては、（例えば、２相位相変調（ＢＰＳＫ）及び符号化率１／２を用いて、）Ｌ−ＳＩＧによって運ばれる２４ビットのデータは、各々の２０ＭＨｚサブバンド内に伝送され得る。これは、単一の２０ＭＨｚチャネルで受け取るだけの、任意のレガシー・デバイスに、Ｌ−ＳＩＧ  ２７０内でデータを復号させ、かつ適切に延期させる。
【０１０３】
ＶＨＴ−ＳＩＧ−Ａ１シンボル又はフィールド２７２及びＶＨＴ−ＳＩＧ−Ａ２シンボル又はフィールド２７４は、２０ＭＨｚ内で５２個のトーン（４８個のデータ・トーン及び４個のパイロット・トーン）を用い得る。（Ｌ−ＬＴＦ  ２６８に基づいた）チャネル推定がこのようなデータ・トーンに関して完了され得るので、データ・トーンの数はＬ−ＳＩＧ  ２７０と同一になり得る。４０ＭＨｚ、８０ＭＨｚ、及び、１６０ＭＨｚの帯域幅に関しては、データ・トーン及びパイロット・トーンの数は、同一の理由でＬ−ＬＴＦ  ２６８に続き得る。
【０１０４】
ＶＨＴ−ＳＴＦ  ２７６は、Ｌ−ＳＴＦ  ２６６とのように、２０ＭＨｚ信号で１２個のトーンを用い得る。この方法で、受信利得制御アルゴリズムは、８００ｎｓ期間のみを用いて、受信信号強度を瞬時に測定できる。より多くのトーンが用いられる場合、該受信機は正確な信号強度の測定のために長い時間期間待つ必要があるかもしれず、それによって、アナログ受信利得のために割り当てられた時間に制約を置き、それらの新しい値を変化させ、かつ定めさせる。該受け取られた信号強度は、プリアンブル２６０の第１部分２６２と比較して、プリアンブル２６０の第２部分２６４（及びデータ・フィールド２８２）とは異なっても良いので、利得制御が要求され得る。加えて、ＶＨＴ−ＳＴＦ  ２７６を用いて、タイミング及び周波数オフセットへの更新が完了し得る。
【０１０５】
１つ又は複数のＶＨＴ−ＬＴＦ  ２７８、ＶＨＴ−ＳＩＧ−Ｂフィールド２８０、及び、ＤＡＴＡフィールド２８２が、プリアンブル２６０の第１又は全方向の部分２６２よりも多くのＯＦＤＭトーンを利用することができる。従って、これらフィールド２７８、２８０の各々が、ＤＡＴＡフィールド２８２と同数のトーンを利用することができる。２０ＭＨｚ及び４０ＭＨｚの８０２．１１ａｃ伝送に関しては、トーンの数は、８０２．１１ｎ標準とマッチするように選ばれ得る。８０ＭＨｚ及び１６０ＭＨｚの８０２．１１ａｃ伝送に関しては、トーンの数は、それぞれ２４２、４８４となるように選ばれ得る。
【０１０６】
２０ＭＨｚの８０２．１１ａｃ伝送に関しては、例えば、ＢＰＳＫ及び１／２の符号化率が用いられる場合、ＶＨＴ−ＳＩＧ−Ｂ  ２８０は、２６ビットのデータを運ぶ。４０ＭＨｚの８０２．１１ａｃ伝送に関しては、ＶＨＴ−ＳＩＧ−Ｂフィールド２８０は、５４ビットのユニーク・データか又は各２０ＭＨｚサブバンド内と同じ２７ビットのデータのどちらかを運ぶことができる。ＶＨＴ−ＳＩＧ−Ｂフィールド２８０の８０ＭＨｚ伝送は、各２０ＭＨｚサブバンド内の２９ビットのデータか、又は各４０ＭＨｚサブバンド内の５８ビットのデータか、又は、１１７ビットのデータを運ぶことができる。１６０ＭＨｚ伝送に関して、類似の選択が行われ得る。従って、ＶＨＴ−ＳＩＧ−Ｂ  ２８０は、帯域幅が２０ＭＨｚないし４０ＭＨｚないし８０ＭＨｚへと増大するにつれて、より多くの情報ビットを運ぶことができる。
【０１０７】
２０ＭＨｚよりも多くの信号帯域幅が用いられる場合に可能である追加の容量をシグナルするために、幅の広い帯域幅信号に関するエクストラ・ビットが用いられ得る。例えば、８０ＭＨｚの信号は、各２０ＭＨｚ信号が異なる符号化されたデータのストリームを運ぶような、４個の独立した２０ＭＨｚの信号（ストリーム）から構成され得る。これらのストリームの各々は、（例えば、異なる変調・符号化スキーム（ＭＣＳ）を用いる）異なる変調及び符号化を有し得る。各ストリームは、異なる数のバイトをさらに有し得る。さらに、各ストリームは、８０２．１１ｎ型集合媒体アクセス制御（ＭＡＣ）プロトコル・データ・ユニット（Ａ−ＭＰＤＵ）、又は、集合物理層集中手順（ＰＬＣＰ）プロトコル・データ・ユニット（ＰＰＤＵ）、などの異なる量のパケット集合を有しても良く、ここで、各ＰＰＤＵは、例えばその自身のＶＨＴ−ＳＩＧ−Ｂフィールド２８０を運ぶ。このような全ての特性は、そのそれぞれの２０ＭＨｚストリーム内に運ばれる、ＶＨＴ−ＳＩＧ−Ｂフィールド２８０ビットによってシグナルされ、かつ、指示され得る。
【０１０８】
図３は、複数のフレーム３００の例を示す図である。特に、図３は、ここに開示されたシステム及び方法に基づいて、８０２．１１ａプリアンブル３８４、８０２．１１ｎグリーンフィールド（ＧＦ）プリアンブル３９４、８０２．１１ｎミックス・モード（ＭＭ）プリアンブル３２５、及び、８０２．１１ａｃプリアンブル３６０を示している。より具体的に言うと、レガシー８０２．１１ａプリアンブル３８４、レガシー８０２．１１ｎグリーンフィールド・プリアンブル３９４、及び、レガシー８０２．１１ｎミックス・モード・プリアンブル３２５が示されている。示された該８０２．１１ａプリアンブル３８４は、２０μｓの期間を有し得る。示された該８０２．１１ｎグリーンフィールド・プリアンブル３９４は、２８ないし３６μｓの期間を有し得る。示された該８０２．１１ｎミックス・モード（ＭＭ）プリアンブル３２５は、３６ないし４８μｓの期間を有し得る。ここに開示されたシステム及び方法に基づいて、示された該８０２．１１ａｃプリアンブル３６０は、４０ないし６８μｓの期間を有し得る。
【０１０９】
該８０２．１１ａｃプリアンブルは、送信ビームフォーミング及びＳＤＭＡを適応させることができる。プリアンブル３６０の第１部分又は一部分３６２は、（例えば、循環ダイバーシティ又は別のスキームを用いて、）全方向に送信され得る。このプリアンブル３６０の第１部分３６２は、Ｌ−ＳＴＦ  ３６６、Ｌ−ＬＴＦ  ３６８、Ｌ−ＳＩＧ  ３７０、ＶＨＴ−ＳＩＧ−Ａ１  ３７２、及び、ＶＨＴ−ＳＩＧ−Ａ２  ３７４を含み得る。このプリアンブル３６０の第１部分３６２は、レガシー・デバイス（例えば、レガシーの仕様又は初期の仕様を遵守するデバイス）によって復号可能となり得る。
【０１１０】
８０２．１１ａｃプリアンブル３６０の第２部分又は一部分３６４は、全方向に送信され得るか、あるいはビームフォームされ得るか、あるいは、ＳＤＭＡプリコードされ得る。このプリアンブル３６０の第２部分３６４は、ＶＨＴ−ＳＴＦ  ３７６、１つ又は複数のＶＨＴ−ＬＴＦ  ３７８、及び、ＶＨＴ−ＳＩＧ−Ｂ  ３８０を含んでいる。（例えば、データ・フィールド３８２内の）データ・シンボルは、プリアンブル３６０の第２部分３６４と同じアンテナ・パターンで送信され得る。また、データ・フィールド３８２も全方向に送信され得るか、ビームフォームされ得るか、あるいは、ＳＤＭＡプリコードされ得る。データ・シンボル及びプリアンブル３６０の第２部分３６４は、レガシー・デバイスによっては（又は全ての８０２．１１ａｃデバイスでさえ）復号可能とはなり得ない。
【０１１１】
８０２．１１ａｃプリアンブル３６０は、レガシー８０２．１１ａ及び８０２．１１ｎ受信機によって復号可能であるいくつかの制御データを含んでも良い。この制御データは、Ｌ−ＳＩＧ  ３７０内に含まれている。Ｌ−ＳＩＧ  ３７０内のデータは全ての受信機に該伝送がどれくらい長く無線媒体を占有するかを知らせ、その結果、全てのデバイスが正確な時間の量に関するその伝送を延期し得る。加えて、８０２．１１ａｃプリアンブル３６０は、８０２．１１ａｃデバイスに、該伝送と８０２．１１ａｃ伝送とを区別させ（、該伝送が８０２．１１ａ内にあるか、もしくは、８０２．１１ｎフォーマット内にあるかを決定することを避けさせ）るようにする。さらに、ここに記載されたシステム及び方法に従って、８０２．１１ａｃプリアンブル３６０は、レガシー８０２．１１ａ及び８０２．１１ｎデバイスに、該伝送が８０２．１１ａ伝送であることを信じさせ、該伝送は、Ｌ−ＳＩＧ  ３７０内で有効なデータを持つ有効な伝送である。
【０１１２】
レガシー８０２．１１ａプリアンブル３８４は、Ｌ−ＳＴＦ  ３８６、Ｌ−ＬＴＦ  ３８８、及び、Ｌ−ＳＩＧ  ３９０を含んでおり、これはデータ・フィールド３９２と共に送信され得る。８０２．１１ｎグリーンフィールド（ＧＦ）プリアンブル３９４は、ハイ・スループット・ショート・トレーニング・フィールド（ＨＴ−ＳＴＦ）  ３９６、ハイ・スループット・ロング・トレーニング・フィールド１（ＨＴ−ＬＴＦ１）  ３９８、ハイ・スループット信号１（ＨＴ−ＳＩＧ−１）  ３０１、ハイ・スループット信号２（ＨＴ−ＳＩＧ−２）  ３０３、及び、１つ又は複数のハイ・スループット・ロング・トレーニング・フィールド（ＨＴ−ＬＴＦ）  ３０５を含んでおり、それはデータ・フィールド３０７と共に送信され得る。８０２．１１ｎミックス・モード（ＭＭ）プリアンブル３２５は、Ｌ−ＳＴＦ  ３０９、Ｌ−ＬＴＦ  ３１１、Ｌ−ＳＩＧ  ３１３、ＨＴ−ＳＩＧ−１  ３１５、ＨＴ−ＳＩＧ−２  ３１７、ハイ・スループット・ショート・トレーニング・フィールド（ＨＴ−ＳＴＦ）  ３１９、及び、１つ又は複数のＨＴ−ＬＴＦ  ３２１を含んでおり、それはデータ・フィールド３２３と共に送信され得る。図３からわかるように、８０２．１１ａｃプリアンブル３６０に含まれるいくつかのフィールドは、レガシー・プリアンブル３８４、３２５内の類似のフィールドに相当する。これは、８０２．１１ａｃプリアンブル３６０が用いられる場合に、レガシー・デバイスとの下位互換を可能にし得る。
【０１１３】
図４は、レガシー信号フィールド（Ｌ−ＳＩＧ）  ４７０、ベリー・ハイ・スループット信号Ａ１（ＶＨＴ−ＳＩＧ−Ａ１）  ４７２（例えば、第１シンボル）、及び、ベリー・ハイ・スループット信号Ａ２（ＶＨＴ−ＳＩＧ−Ａ２）  ４７４（例えば、第２シンボル）、に関するコンステレーションを示す図である。各コンステレーションは、同位相（Ｉ）軸及び直交（Ｑ）軸に示されている。より具体的に言うと、図４は、ここに開示されたシステム及び方法に基づいて、ＶＨＴ−ＳＩＧ−Ａフィールド内の第１シンボル及び第２シンボルのため、及び、Ｌ−ＳＩＧフィールドのために用いられ得る変調スキームの例を示している。
【０１１４】
送信通信デバイス１０２は、８０２．１１ａｃフレーム２００内のＬ−ＳＩＧフィールド４７０に関して、ＢＰＳＫ変調と共に符号化率１／２を用いることができる。このスキームでは、「１」の値を持つビットは、同位相軸の＋１で、変調シンボルとして表されることができる。加えて、「０」の値を持つビットは、同位相軸の−１で、変調シンボルとして表されることができる。
【０１１５】
ここに開示されたシステム及び方法に基づいて、送信通信デバイス１０２は、８０２．１１ａｃフレーム２００内のＶＨＴ−ＳＩＧ−Ａ１  ４７２に関して、ＢＰＳＫ変調と共に符号化率１／２を用いることができる。このスキームでは、「１」の値を持つビットは、同位相軸の＋１で、変調シンボルとして表すことができる。加えて、「０」の値を持つビットは、同位相軸の−１で、変調シンボルとして表すことができる。
【０１１６】
ここに開示されたシステム及び方法に基づいて、送信通信デバイス１０２は、８０２．１１ａｃフレーム２００内のＶＨＴ−ＳＩＧ−Ａ２  ４７４に関して、ＱＢＰＳＫ変調（例えば、９０度回転を伴うＢＰＳＫ変調）と共に符号化率１／２を用いることができる。このスキームでは、「１」の値を持つビットは、直交軸の＋１で、変調シンボルとして表されることができる。加えて、「０」の値を持つビットは、直交軸の−１で、変調シンボルとして表されることができる。
【０１１７】
図５は、ここに開示されたシステム及び方法に基づく８０ＭＨｚ信号に関する、データ・トーン及びパイロット・トーン５４３の一例を示す図である。また、２０ＭＨｚの８０２．１１ｎ信号に関するデータ・トーン及びパイロット・トーン５２７、及び、４０ＭＨｚの８０２．１１ｎ信号に関するデータ・トーン及びパイロット・トーン５３５も示されている。ここに開示されたシステム及び方法に基づいて、８０ＭＨｚの８０２．１１ａｃ信号に関するデータ・トーン及びパイロット・トーン５４５ａ−ｈの数５４３が定義され得る。これは、２０ＭＨｚの８０２．１１ｎ信号に関するデータ・トーン及びパイロット・トーン５２９ａ−ｄの数５２７、及び、４０ＭＨｚの８０２．１１ｎ信号に関するデータ・トーン及びパイロット・トーン５３７ａ−ｆの数５３５と比較され得る。
【０１１８】
２０ＭＨｚの８０２．１１ｎ信号５２７は、１個の直流（ＤＣ）トーン５３１と共に５２個のデータ・トーン及び４個のパイロット・トーン５２９ａ−ｄを含んでいる、５６個のトーンを用いる。該データ・トーン及びパイロット・トーン５２９ａ−ｄは、サブキャリア数又はインデックス５３３に応じて配置され得る。例えば、パイロットＡ  ５２９ａは−２１に位置しており、パイロットＢ  ５２９ｂは−７に位置しており、パイロットＣ  ５２９ｃは７に位置しており、かつ、パイロットＤ  ５２９ｄは２１に位置している。この場合、単一のＤＣトーン５３１は０に位置している。
【０１１９】
４０ＭＨｚの８０２．１１ｎ信号５３５は、３個のＤＣトーン５３９と共に１０８個のデータ・トーン及び６個のパイロット・トーン５３７ａ−ｆを含んでいる、１１４個のトーンを用いる。該データ・トーン及びパイロット・トーン５３７ａ−ｆは、サブキャリア数又はインデックス５４１に応じて配置され得る。例えば、パイロットＡ  ５３７ａは−５３に位置しており、パイロットＢ  ５３７ｂは−２５に位置しており、パイロットＣ  ５３７ｃは−１１に位置しており、パイロットＤ  ５３７ｄは１１に位置しており、パイロットＥ  ５３７ｅは２５に位置しており、かつ、パイロットＦ  ５３７ｆは５３に位置している。この場合、３個のＤＣトーン５３９は−１、０、及び１に位置している。
【０１２０】
ここに開示された方法及びシステムは２４２個のトーンの使用を説明し、それは、８０ＭＨｚの８０２．１１ａｃ信号５４３に関する、３個のＤＣトーン５４７と共に２３４個のデータ・トーン及び８個のパイロット・トーン５４５ａ−ｈを含んでいる。該データ・トーン及びパイロット・トーン５４５ａ−ｈは、サブキャリア数又はインデックス５４９に従って配置され得る。例えば、パイロットＡ  ５４５ａは−１０３に位置しており、パイロットＢ  ５４５ｂは−７５に位置しており、パイロットＣ  ５４５ｃは−３９に位置しており、パイロットＤ  ５４５ｄは−１１に位置しており、パイロットＥ  ５４５ｅは１１に位置しており、パイロットＦ  ５４５ｆは３９に位置しており、パイロットＧ  ５４５ｇは７５に位置しており、かつ、パイロットＨ  ５４５ｈは１０３に位置している。この場合、３個のＤＣトーン５４７は−１、０、及び、１に位置している。ここのシステム及び方法に基づいて２３４個のデータ・トーンを用いることは、簡潔な周波数インターリーバ構成物及び適当なコスト・フィルタリング要求によって動機付けられ得る。送信通信デバイス１０２が８０ＭＨｚのチャネル帯域幅を決定する場合、例えば、該デバイス１０２は、図５に示した８０２．１１ａｃ信号５４３に従って、データ・トーン及びパイロット・トーン５４５ａ−ｈに関するサブキャリア１４０を割り当てることができる。加えて、受信通信デバイス１４２が８０ＭＨｚのチャネル帯域幅を決定する場合、例を挙げると、該デバイス１４２は、図５に示した８０２．１１ａｃ信号５４３に従って、データ・トーン及びパイロット・トーン５４５ａ−ｈに関するサブキャリア１４０を受け取ることができる。８０２．１１ａ信号（図５に示されていない）が１個のＤＣトーンと共に５２個のトーン（例えば、４８個のデータ・トーン及び４個のパイロット・トーン）を用いる、ことにも留意しても良い。
【０１２１】
図６は、フレームに関するトーンを割り当てるための方法６００の１つの構成を示す流れ図である。送信通信デバイス１０２は、信号送信に関する帯域幅が２０ＭＨｚか、４０ＭＨｚか、８０ＭＨｚか、あるいは、１６０ＭＨｚかを決定し得る（６０２）。この決定（６０２）は、受信通信デバイス１４２互換性、（通信チャネルを用いるための）受信通信デバイス１４２の数、チャネル品質（例えば、チャネル・ノイズ）、及び／又は受け取られたインジケータ、などの、１つ又は複数のファクターに基づき得る。
【０１２２】
決定された帯域幅が２０ＭＨｚの場合（６０２）、送信通信デバイス１０２は、Ｌ−ＳＴＦに関しては１２個のＯＦＤＭトーンを、Ｌ−ＬＴＦに関しては５２個のＯＦＤＭトーンを、Ｌ−ＳＩＧフィールドに関しては５２個のＯＦＤＭトーンを、ＶＨＴ−ＳＩＧ−Ａ１フィールド又はシンボルに関しては５２個のＯＦＤＭトーンを、ＶＨＴ−ＳＩＧ−Ａ２フィールド又はシンボルに関しては５２個のＯＦＤＭトーンを、ＶＨＴ−ＳＴＦに関しては１２個のＯＦＤＭトーンを、１つ又は複数のＶＨＴ−ＬＴＦに関しては５６個のＯＦＤＭトーンを、ＶＨＴ−ＳＩＧ−Ｂフィールドに関しては５６個のＯＦＤＭトーンを、及び／又は、ＤＡＴＡフィールドに関しては５６個のＯＦＤＭトーンを割り当てることができる（６０４）。決定された帯域幅が４０ＭＨｚの場合（６０２）、送信通信デバイス１０２は、Ｌ−ＳＴＦに関しては２４個のＯＦＤＭトーンを、Ｌ−ＬＴＦに関しては１０４個のＯＦＤＭトーンを、Ｌ−ＳＩＧフィールドに関しては１０４個のＯＦＤＭトーンを、ＶＨＴ−ＳＩＧ−Ａ１フィールド又はシンボルに関しては１０４個のＯＦＤＭトーンを、ＶＨＴ−ＳＩＧ−Ａ２フィールド又はシンボルに関しては１０４個のＯＦＤＭトーンを、ＶＨＴ−ＳＴＦに関しては２４個のＯＦＤＭトーンを、１つ又は複数のＶＨＴ−ＬＴＦに関しては１１４個のＯＦＤＭトーンを、ＶＨＴ−ＳＩＧ−Ｂフィールドに関しては１１４個のＯＦＤＭトーンを、及び／又は、ＤＡＴＡフィールドに関しては１１４個のＯＦＤＭトーンを割り当てることができる（６０６）。
【０１２３】
決定された帯域幅が８０ＭＨｚの場合（６０２）、送信通信デバイス１０２は、Ｌ−ＳＴＦに関しては４８個のＯＦＤＭトーンを、Ｌ−ＬＴＦに関しては２０８個のＯＦＤＭトーンを、Ｌ−ＳＩＧフィールドに関しては２０８個のＯＦＤＭトーンを、ＶＨＴ−ＳＩＧ−Ａ１フィールド又はシンボルに関しては２０８個のＯＦＤＭトーンを、ＶＨＴ−ＳＩＧ−Ａ２フィールド又はシンボルに関しては２０８個のＯＦＤＭトーンを、ＶＨＴ−ＳＴＦに関しては４８個のＯＦＤＭトーンを、１つ又は複数のＶＨＴ−ＬＴＦに関しては２４２個のＯＦＤＭトーンを、ＶＨＴ−ＳＩＧ−Ｂフィールドに関しては２４２個のＯＦＤＭトーンを、及び／又は、ＤＡＴＡフィールドに関しては２４２個のＯＦＤＭトーンを割り当てることができる（６０８）。決定された帯域幅が１６０ＭＨｚの場合（６０２）、送信通信デバイス１０２は、Ｌ−ＳＴＦに関しては４８個のＯＦＤＭトーンを、Ｌ−ＬＴＦに関しては４１６個のＯＦＤＭトーンを、Ｌ−ＳＩＧフィールドに関しては４１６個のＯＦＤＭトーンを、ＶＨＴ−ＳＩＧ−Ａ１フィールド又はシンボルに関しては４１６個のＯＦＤＭトーンを、ＶＨＴ−ＳＩＧ−Ａ２フィールド又はシンボルに関しては４１６個のＯＦＤＭトーンを、ＶＨＴ−ＳＴＦに関しては４８個のＯＦＤＭトーンを、１つ又は複数のＶＨＴ−ＬＴＦに関しては４８４個のＯＦＤＭトーンを、ＶＨＴ−ＳＩＧ−Ｂフィールド又はシンボルに関しては４８４個のＯＦＤＭトーンを、及び／又は、ＤＡＴＡフィールドに関しては４８４個のＯＦＤＭトーンを割り当てることができる（６１０）。
【０１２４】
該送信通信デバイス１０２は、信号を送信することができる（６１２）。例えば、該送信通信デバイス１０２は、該信号にＩＤＦＴを実行し、該信号をフォーマットし、該信号をアナログ信号に変換し、かつ、１つ又は複数のアンテナ１３２ａ−ｎを用いて該信号を輻射することができる。
【０１２５】
図７は、フレームに関するトーンを受け取るための方法７００の１つの構成を示す流れ図である。受信通信デバイス１４２は、信号受信に関する帯域幅が、２０ＭＨｚか、４０ＭＨｚか、８０ＭＨｚか、あるいは、１６０ＭＨｚかを決定することができる。例えば、受信通信デバイス１４２は、信号受信に関する帯域幅を指定するインジケータ又はメッセージを受け取ることができる。該インジケータ又はメッセージは、明白になるか、あるいは、暗黙になる、ことは留意されるべきである。例を挙げると、該インジケータ又はメッセージは、帯域幅を指定するビットを明白に含み得る。別の構成では、該インジケータ又はメッセージは、変調タイプの選択、情報オーダリングなどの、別タイプのデータ、あるいは該伝送の特性、に組み込まれ得る。
【０１２６】
決定された帯域幅が２０ＭＨｚの場合（７０２）、受信通信デバイス１４２は、Ｌ−ＳＴＦに関しては１２個のＯＦＤＭトーンを、Ｌ−ＬＴＦに関しては５２個のＯＦＤＭトーンを、Ｌ−ＳＩＧフィールドに関しては５２個のＯＦＤＭトーンを、ＶＨＴ−ＳＩＧ−Ａ１フィールド（又はシンボル）に関しては５２個のＯＦＤＭトーンを、ＶＨＴ−ＳＩＧ−Ａ２フィールド（又はシンボル）に関しては５２個のＯＦＤＭトーンを、ＶＨＴ−ＳＴＦに関しては１２個のＯＦＤＭトーンを、１つ又は複数のＶＨＴ−ＬＴＦに関しては５６個のＯＦＤＭトーンを、ＶＨＴ−ＳＩＧ−Ｂフィールドに関しては５６個のＯＦＤＭトーンを、及び／又は、ＤＡＴＡフィールドに関しては５６個のＯＦＤＭトーンを受け取ることができる（７０４）。決定された帯域幅が４０ＭＨｚの場合（７０２）、受信通信デバイス１４２は、Ｌ−ＳＴＦに関しては２４個のＯＦＤＭトーンを、Ｌ−ＬＴＦに関しては１０４個のＯＦＤＭトーンを、Ｌ−ＳＩＧフィールドに関しては１０４個のＯＦＤＭトーンを、ＶＨＴ−ＳＩＧ−Ａ１フィールド（又はシンボル）に関しては１０４個のＯＦＤＭトーンを、ＶＨＴ−ＳＩＧ−Ａ２フィールド（又はシンボル）に関しては１０４個のＯＦＤＭトーンを、ＶＨＴ−ＳＴＦに関しては２４個のＯＦＤＭトーンを、１つ又は複数のＶＨＴ−ＬＴＦに関しては１１４個のＯＦＤＭトーンを、ＶＨＴ−ＳＩＧ−Ｂフィールドに関しては１１４個のＯＦＤＭトーンを、及び／又は、ＤＡＴＡフィールドに関しては１１４個のＯＦＤＭトーンを受け取ることができる（７０６）。
【０１２７】
決定された帯域幅が８０ＭＨｚの場合（７０２）、受信通信デバイス１４２は、Ｌ−ＳＴＦに関しては４８個のＯＦＤＭトーンを、Ｌ−ＬＴＦに関しては２０８個のＯＦＤＭトーンを、Ｌ−ＳＩＧフィールドに関しては２０８個のＯＦＤＭトーンを、ＶＨＴ−ＳＩＧ−Ａ１フィールド又はシンボルに関しては２０８個のＯＦＤＭトーンを、ＶＨＴ−ＳＩＧ−Ａ２フィールド又はシンボルに関しては２０８個のＯＦＤＭトーンを、ＶＨＴ−ＳＴＦに関しては４８個のＯＦＤＭトーンを、１つ又は複数のＶＨＴ−ＬＴＦに関しては２４２個のＯＦＤＭトーンを、ＶＨＴ−ＳＩＧ−Ｂフィールドに関しては２４２個のＯＦＤＭトーンを、及び／又は、ＤＡＴＡフィールドに関しては２４２個のＯＦＤＭトーンを受け取ることができる（７０８）。決定された帯域幅が１６０ＭＨｚの場合（７０２）、受信通信デバイス１４２は、Ｌ−ＳＴＦに関しては４８個のＯＦＤＭトーンを、Ｌ−ＬＴＦに関しては４１６個のＯＦＤＭトーンを、Ｌ−ＳＩＧフィールドに関しては４１６個のＯＦＤＭトーンを、ＶＨＴ−ＳＩＧ−Ａ１フィールド又はシンボルに関しては４１６個のＯＦＤＭトーンを、ＶＨＴ−ＳＩＧ−Ａ２フィールド又はシンボルに関しては４１６個のＯＦＤＭトーンを、ＶＨＴ−ＳＴＦに関しては４８個のＯＦＤＭトーンを、１つ又は複数のＶＨＴ−ＬＴＦに関しては４８４個のＯＦＤＭトーンを、ＶＨＴ−ＳＩＧ−Ｂフィールド又はシンボルに関しては４８４個のＯＦＤＭトーンを、及び／又は、ＤＡＴＡフィールドに関しては４８４個のＯＦＤＭトーンを受け取ることができる（７１０）。
【０１２８】
図８は、フレームに関するトーンを割り当てるためのシステム及び方法がインプリメントされ得るような、アクセス・ポイント８０２の１つの構成を示すブロック図である。該アクセス・ポイント８０２は、１つ又は複数のアクセス端末８４２に対して送信されるべきペイロード・データ８０４及び／又はプリアンブル・データ８１６を受け取るための入力を持つ、符号器８０６を含むことができる。該ペイロード・データ８０４は、声、映像、音響、及び／又は、その他のデータを含むことができる。該プリアンブル・データ８１６は、データ・レートを指定する情報、変調・符号化スキーム（ＭＣＳ）、チャネル帯域幅、などの制御情報を含むことができる。該符号器８０６は、前方向誤り訂正（ＦＥＣ）、暗号化、パケッティング、及び／又は、無線伝送と共に使用するために知られるその他の符号化に関するデータ８０４、８１６を符号化することができた。例えば、該符号器８０６は、畳み込みあるいは低密度パリティ検査（ＬＤＰＣ）符号化を用いて、該データ８０４、８１６を符号化することができる。
【０１２９】
コンステレーション・マッパ８１０は、該符号器８０６によって供給されたデータをコンステレーションにマップする。例を挙げると、該コンステレーション・マッパ８１０は、２相位相変調（ＢＰＳＫ）、直交振幅変調（ＱＡＭ）、などの変調スキームを用いることができる。直交振幅変調（ＱＡＭ）が用いられるところでは、例えば、該コンステレーション・マッパ８１０は、空間ストリーム８３８ごとに、データ・サブキャリア８４０ごとに、シンボル期間ごとに、２ビットを提供することができた。さらに、該コンステレーション・マッパ８１０は、空間ストリーム８３８あたり、データ・サブキャリア８４０あたり、シンボル期間あたり、１６−ＱＡＭコンステレーション信号を出力することができる。６４−ＱＡＭなどのその他の変調が用いられても良く、空間ストリーム８３８ごとに、データ・サブキャリア８４０ごとに、シンボル期間ごとに、６ビットを消費することになるだろう。また、その他の変形例も可能である。
【０１３０】
該コンステレーション・マッパ８１０の出力は、該データを、該送信機の空間−時間−周波数（ＳＴＦ）次元にマップする、空間−時間−周波数マッパ８０８に供給される。該次元は、データが割り当てられるような多様な構成物又はリソースを表す。任意のビット又はビットの組（例えば、ビットのグルーピング、コンステレーション・ポイントに相当するビットの組、など）は、該次元中の特定の場所にマップされ得る。一般的に、該次元中の異なる場所にマップされたビット及び／又は信号は、それらが、いくらかの可能性とともに、１つ又は複数のアクセス端末８４２で区別可能になると期待されるように、アクセス・ポイント８０２から送信される。１つの構成では、空間−時間−周波数マッパ８０８は、空間−時間ブロック符号化（ＳＴＢＣ）を実行することができる。
【０１３１】
１つ又は複数の空間ストリーム８３８は、異なる空間ストリーム８３８への伝送が受信機で区別可能となるように、（いくらかの可能性とともに）アクセス・ポイント８０２から送信され得る。例えば、１つの空間次元へマップされたビットが、１つの空間ストリーム８３８として送信される。その空間ストリーム８３８は、その他のアンテナ８３２から空間的に隔てられたその自身のアンテナ８３２、複数の空間的に隔てられたアンテナ８３２を介してその自身の直交重ね合わせ、その自身の偏向、などに送信されることができた。（例えば、空間でアンテナ８３２を隔てること、あるいは、その信号が受信機で区別可能となるその他の技法を含む）空間ストリーム８３８分離に関する多くの技法は公知であり、用いられることができる。
【０１３２】
図８に示した例では、同じ、あるいは異なる数の（例えば、１つ又は複数の）アンテナ８３２ａ−ｎを用いて送信された１つ又は複数の空間ストリーム８３８がある。いくつかの事例では、１つ又は複数のその他の空間ストリーム８３８の不活性化のせいで、１つの空間ストリーム８３８だけが利用可能であった。
【０１３３】
アクセス・ポイント８０２が複数の周波数サブキャリア８４０を用いるような場合では、空間−時間−周波数マッパ８０８が、いくつかのビットを１つの周波数サブキャリア８４０にマップし、かつ、その他のビットを別の周波数サブキャリア８４０にマップすることができたように、周波数次元に関する複数の値がある。その他の周波数サブキャリア８４０は、ガード・バンド、パイロット・トーン・サブキャリア、あるいは、データ８０４、８１６を運ばない（又は必ずしも運ぶわけではない）類似のもの、として確保され得る。例えば、１つ又は複数のサブキャリア８４０、及び、１つ又は複数のパイロット・サブキャリア８４０があっても良い。いくつかの事例、あるいは構成では、全てのサブキャリア８４０が一度に励起され得るわけではない、ことは留意されるべきである。例を挙げると、フィルタリングを可能にするために、いくつかのトーンは励起され得ない（例えば、ＤＣトーン）。１つの構成では、該アクセス・ポイント８０２は、複数のサブキャリア８４０の伝送に関して、直交周波数分割多重（ＯＦＤＭ）を利用することができる。例を挙げると、空間−時間−周波数マッパ８０８は、用いた多重化スキームに従って、（符号化された）データ８０４、８１６を、空間、時間、及び／又は、周波数リソースにマップすることができる。
【０１３４】
時間次元は、シンボル期間を指す。異なるシンボル期間には異なるビットが割り当てられ得る。複数の空間ストリーム８３８、複数のサブキャリア８４０、及び、複数のシンボル期間があるところでは、１つのシンボル期間に関する伝送は、「ＯＦＤＭ（直交周波数分割多重）ＭＩＭＯ（多入力・多出力）シンボル」と呼ばれても良い。単一シンボルごとのビット数（例えば、用いたコンステレーションの数のｌｏｇ２）に空間ストリーム８３８の数を掛けて、データ・サブキャリア８４０の数を掛けて、シンボル期間の長さで割ることによって、符号化されたデータに関する伝送速度が決まり得る。
【０１３５】
したがって、空間−時間−周波数マッパ８０８は、ビット（又は入力データのその他のユニット）を、１つ又は複数の空間ストリーム８３８、データ・サブキャリア８４０、及び／又は、シンボル期間にマップすることができる。分離空間ストリーム８３８は、分離パスを用いて生成され、かつ／又は、送信され得る。いくつかのインプリメンテーションでは、これらのパスは別個のハードウェアでインプリメントされるが、ところが、その他のインプリメンテーションでは、パス・ハードウェアが１つの空間ストリーム８３８より多くのために再利用されるか、あるいは、パス・ロジックが１つ又は複数の空間ストリーム８３８のために実行するソフトウェアでインプリメントされる。より具体的に言うと、アクセス・ポイント８０２に示された各々のエレメントは、単一のブロック／モジュールとして、もしくは、複数のブロック・モジュールとしてインプリメントされ得る。例を挙げると、送信機無線周波数ブロック８２６エレメントは、単一のブロック／モジュールとして、もしくは、各アンテナ８３２ａ−ｎに相当する複数の平行ブロック／モジュールとしてインプリメントされ得る（たとえば、各空間ストリーム８３８）。ここに用いられたように、用語「ブロック／モジュール」及びそれらの変化例は、特定のエレメント（又はコンポーネント）が、ハードウェア、ソフトウェア、あるいは、両方の組み合わせでインプリメントされ得ることを指示し得る。
【０１３６】
アクセス・ポイント８０２は、パイロット・ジェネレータ・ブロック／モジュール８３０を含むことができる。該パイロット・ジェネレータ・ブロック／モジュール８３０は、パイロット・シーケンスを生成し得る。パイロット・シーケンスは、パイロット・シンボルのグループになり得る。１つの構成では、例を挙げると、パイロット・シーケンス内の値は、特定の位相、振幅、及び／又は、周波数を持つ信号によって表され得る。例えば、「１」は、特定の位相及び／又は振幅を持つパイロット・シンボルを意味し、一方で、「−１」は、異なる（例えば、反対の、あるいは逆の）位相及び／又は振幅を持つパイロット・シンボルを意味し得る。
【０１３７】
該アクセス・ポイント８０２は、いくつかの構成では、擬似ランダム・ノイズ・ジェネレータ８２８を含むことができる。該擬似ランダム・ノイズ・ジェネレータ８２８は、パイロット・シーケンスをスクランブルするために用いられた擬似ランダム・ノイズ・シーケンス又は信号（例えば、数値データ）を生成することができる。例えば、連続ＯＦＤＭシンボルに関するパイロット・シーケンスは、擬似ランダム・ノイズ・シーケンスから連続数を掛けられ、それによって、ＯＦＤＭシンボルごとにパイロット・シーケンスをスクランブルする。パイロット・シーケンスがアクセス端末８４２に送られる場合、受け取られたパイロット・シーケンスは、パイロット・プロセッサ８４８によってアンスクランブルされ得る。
【０１３８】
空間−時間−周波数マッパ８０８の出力は、周波数及び／又は空間次元にわたって拡散され得る。パイロット挿入ブロック／モジュール８１２は、パイロット・トーンをパイロット・トーン・サブキャリア８４０に挿入する。例えば、パイロット・シーケンスは、特定のインデックスで、サブキャリア８４０にマップされ得る。例を挙げると、パイロット・シーケンスからのパイロット・シンボルは、データ・サブキャリア８４０及び／又はその他のサブキャリア８４０と共に撒き散らされるサブキャリア８４０へマップされ得る。すなわち、パイロット・シーケンス（又は信号）は、データ・シーケンス（又は信号）と組み合わされ得る。１つの例では、送信のために８０ＭＨｚバンド８６３が用いられる場合、パイロット・トーン又はサブキャリア８４０は、インデックスｋ＝｛−１０３、−７５、−３９、−１１、１１、３９、７５、１０３｝で配置され得る。いくつかの構成では、１つ又は複数の直流（ＤＣ）トーンがインデックス０に集中し得る。
【０１３９】
いくつかの構成では、組み合わされたデータ及びパイロット信号は、循環ブロック／モジュール（図８には示されていない）に供給され得る。パイロット・シンボル及び／又はデータ・シンボルを循環させるために、該循環ブロック／モジュールは循環係数又は増倍率を用いることができる。例えば、ＶＨＴ自動検出を提供するために、該循環ブロック／モジュールはＶＨＴ−ＳＩＧ−Ａ１に関して９０度ＶＨＴ−ＳＩＧ−Ａ２シンボルを循環させることができる。
【０１４０】
アクセス・ポイント８０２は、帯域幅決定ブロック／モジュール８１８を含むことができる。該帯域幅決定ブロック／モジュール８１８は、１つ又は複数のアクセス端末８４２に対する送信のために用いられるようにチャネル帯域幅を決定することができる。この決定は、アクセス端末８４２互換性、（通信チャネルを用いるための）アクセス端末８４２の数、チャネル品質（例えば、チャネル・ノイズ）、及び／又は、受け取られたインジケータ、などの１つ又は複数のファクターに基づき得る。１つの構成では、帯域幅決定ブロック／モジュール８１８は、信号送信に関する帯域幅が、２０ＭＨｚか、４０ＭＨｚか、８０ＭＨｚか、あるいは、１６０ＭＨｚかを決定することができる。１つの例では、帯域幅決定ブロック／モジュール８１８は、送信のために８０ＭＨｚバンド８６３が用いられるだろう、ということを決定することができる。
【０１４１】
帯域幅決定ブロック／モジュール８１８は、１つ又は複数のブロック／モジュールに対して帯域幅決定の指示を与えることができる。例えば、この帯域幅の指示は、空間−時間−周波数マッパ８０８、パイロット挿入ブロック／モジュール８１２、及び／又は、パイロット・ジェネレータ８３０に与えることができる。加えて、あるいはその代わりに、帯域幅の指示は、プリアンブル・データ８１６の一部として与えられ得る。例を挙げると、帯域幅の指示を表すためにプリアンブル・データ８１６内の１つ又は複数のビットが割り当てられ得る。加えて、あるいはその代わりに、帯域幅の指示は、プリアンブル・データ８１６内に明白に指示され得る。この帯域幅の指示は、このようにして、１つ又は複数のアクセス端末８４２にシグナルされ得る。これは、１つ又は複数のアクセス端末８４２に、選択されたチャネル帯域幅を用いて、プリアンブル・データ８１６を受け取らせることができる。
【０１４２】
該空間−時間−周波数マッパ８０８は、該帯域幅の指示を用いて、該プリアンブル・データ８１６を複数のトーン（例えば、サブキャリア８４０）にマップすることができる。例えば、ここに開示されたシステム及び方法は、（例えば、帯域幅の指示によって指定された通り、）チャネル帯域幅に基づくプリアンブル・データ８１６の伝送に関してアクセス・ポイント８０２によって用いられ得る、ＯＦＤＭトーン又はサブキャリア８４０の数を定義することができる。また、ＯＦＤＭトーンの数は、特定のプリアンブル・フィールドに従って、指定されることもできる。例えば、該空間−時間−周波数マッパ８０８は、前に表（１）で指示されたとおり、帯域幅決定及びプリアンブル・フィールドに基づいて、ＯＦＤＭトーンの数にプリアンブル・データ８１６をマップし得る。例えば、現在のフィールドがＶＨＴ−ＳＩＧ−Ｂであり、かつ帯域幅の指示が８０ＭＨｚ帯域幅８６３を指定する場合、空間−時間−周波数マッパ８０８は、プリアンブル・データ８１６を２３４個のＯＦＤＭトーン又はサブキャリア８４０にマップすることができ、パイロットに関する８個のＯＦＤＭトーン、及び、ＤＣトーンとして３個のサブキャリア８４０を残す。いくつかの構成では、空間−時間−周波数マッパ８０８は、ルックアップ表を用いて、指定された帯域幅を用いるために、トーン及びサブキャリアの数を決定することができる。
【０１４３】
より具体的に言うと、決定された帯域幅が２０ＭＨｚの場合、アクセス・ポイント８０２は、Ｌ−ＳＴＦに関しては１２個のＯＦＤＭトーンを、Ｌ−ＬＴＦに関しては５２個のＯＦＤＭトーンを、Ｌ−ＳＩＧフィールドに関しては５２個のＯＦＤＭトーンを、ＶＨＴ−ＳＩＧ−Ａ１フィールド又はシンボルに関しては５２個のＯＦＤＭトーンを、ＶＨＴ−ＳＩＧ−Ａ２フィールド又はシンボルに関しては５２個のＯＦＤＭトーンを、ＶＨＴ−ＳＴＦに関しては１２個のＯＦＤＭトーンを、１つ又は複数のＶＨＴ−ＬＴＦに関しては５６個のＯＦＤＭトーンを、ＶＨＴ−ＳＩＧ−Ｂフィールドに関しては５６個のＯＦＤＭトーンを、及び／又は、ＤＡＴＡフィールドに関しては５６個のＯＦＤＭトーンを割り当てることができる。決定された帯域幅が４０ＭＨｚの場合、アクセス・ポイント８０２は、Ｌ−ＳＴＦに関しては２４個のＯＦＤＭトーンを、Ｌ−ＬＴＦに関しては１０４個のＯＦＤＭトーンを、Ｌ−ＳＩＧフィールドに関しては１０４個のＯＦＤＭトーンを、ＶＨＴ−ＳＩＧ−Ａ１フィールド又はシンボルに関しては１０４個のＯＦＤＭトーンを、ＶＨＴ−ＳＩＧ−Ａ２フィールド又はシンボルに関しては１０４個のＯＦＤＭトーンを、ＶＨＴ−ＳＴＦに関しては２４個のＯＦＤＭトーンを、１つ又は複数のＶＨＴ−ＬＴＦに関しては１１４個のＯＦＤＭトーンを、ＶＨＴ−ＳＩＧ−Ｂフィールドに関しては１１４個のＯＦＤＭトーンを、及び／又は、ＤＡＴＡフィールドに関しては１１４個のＯＦＤＭトーンを割り当てることができる。帯域幅が８０ＭＨｚの場合、アクセス・ポイント８０２は、Ｌ−ＳＴＦに関しては４８個のＯＦＤＭトーンを、Ｌ−ＬＴＦに関しては２０８個のＯＦＤＭトーンを、Ｌ−ＳＩＧフィールドに関しては２０８個のＯＦＤＭトーンを、ＶＨＴ−ＳＩＧ−Ａ１フィールド又はシンボルに関しては２０８個のＯＦＤＭトーンを、ＶＨＴ−ＳＩＧ−Ａ２フィールド又はシンボルに関しては２０８個のＯＦＤＭトーンを、ＶＨＴ−ＳＴＦに関しては４８個のＯＦＤＭトーンを、１つ又は複数のＶＨＴ−ＬＴＦに関しては２４２個のＯＦＤＭトーンを、ＶＨＴ−ＳＩＧ−Ｂフィールドに関しては２４２個のＯＦＤＭトーンを、及び／又は、ＤＡＴＡフィールドに関しては２４２個のＯＦＤＭトーンを割り当てることができる。決定された帯域幅が１６０ＭＨｚの場合、アクセス・ポイント８０２は、Ｌ−ＳＴＦに関しては４８個のＯＦＤＭトーンを、Ｌ−ＬＴＦに関しては４１６個のＯＦＤＭトーンを、Ｌ−ＳＩＧフィールドに関しては４１６個のＯＦＤＭトーンを、ＶＨＴ−ＳＩＧ−Ａ１フィールド又はシンボルに関しては４１６個のＯＦＤＭトーンを、ＶＨＴ−ＳＩＧ−Ａ２フィールド又はシンボルに関しては４１６個のＯＦＤＭトーンを、ＶＨＴ−ＳＴＦに関しては４８個のＯＦＤＭトーンを、１つ又は複数のＶＨＴ−ＬＴＦに関しては４８４個のＯＦＤＭトーンを、ＶＨＴ−ＳＩＧ−Ｂフィールド又はシンボルに関しては４８４個のＯＦＤＭトーンを、及び／又は、ＤＡＴＡフィールドに関しては４８４個のＯＦＤＭトーンを割り当てることができる。
【０１４４】
また、いくつかの構成では、帯域幅の指示は、パイロット・ジェネレータ８３０にも出され得る。パイロット・ジェネレータ８３０は、帯域幅の指示を用いて、適当な数のパイロット・シンボルを生成することができる。例えば、パイロット・ジェネレータ８３０は、（２４２個のＯＦＤＭトーン、すなわち、３個のＤＣサブキャリア８４０とともに、２３４個のデータ・トーン及び８個のパイロット・トーンを持つ）８０ＭＨｚ信号に関する８個のパイロット・シンボルを生成することができる。
【０１４５】
いくつかの構成では、パイロット挿入ブロック／モジュール８１２に帯域幅の指示がさらに出され得る。パイロット挿入ブロック／モジュール８１２は、この指示を用いて、パイロット・シンボル挿入に関するサブキャリア・インデックスを決定することができる。例を挙げると、８０ＭＨz帯域幅は、パイロット・シンボルが、インデックス−１０３、−７５、−３９、−１１、１１、３９、７５、及び、１０３で挿入されるだろう、ことを指示し得る。
【０１４６】
該データ及び／又はパイロット信号は、逆高速フーリエ変換（ＩＦＦＴ）ブロック／モジュール８２０に供給される。逆高速フーリエ変換（ＩＦＦＴ）ブロック／モジュール８２０は、挿入されたパイロット・トーン、及び、データ８０４、８１６の周波数信号を、空間ストリーム８３８を介して信号を表す時間領域の信号、及び／又は、シンボル期間に関する時間領域のサンプルに変換する。例えば、１つの構成では、ＩＦＦＴブロック／モジュール８２０は、２５６ポイントの逆高速フーリエ変換（ＩＦＦＴ）を実行することができる。
【０１４７】
該時間領域の信号は、フォーマッタ８２２に供給される。該フォーマッタ（例えば、１つ又は複数のフォーマッティング・ブロック／モジュール）８２２は、逆高速フーリエ変換（ＩＦＦＴ）ブロック／モジュール８２０の出力を受け取り、該信号を並列信号から直列信号へ変換し（Ｐ／Ｓ）、循環プレフィックスを加え、かつ／又は、ガード・インターバル・ウィンドウ機能を実行する、などができる。
【０１４８】
該フォーマッタ８２２出力は、デジタル・アナログ変換器（ＤＡＣ）８２４に供給され得る。該デジタル・アナログ変換器（ＤＡＣ）８２４は、該フォーマッタ８２２出力を、１つ又は複数のデジタル信号から、１つ又は複数のアナログ信号へ変換することができる。該デジタル・アナログ変換器（ＤＡＣ）８２４は、該アナログ信号を、１つ又は複数の送信機無線周波数（ＴＸ  ＲＦ）ブロック８２６へ供給することができる。
【０１４９】
該１つ又は複数の送信機無線周波数ブロック８２６は、パワー・アンプと結合されるか、あるいは、該アンプを含むことができる。該パワー・アンプは、伝送に関する該アナログ信号を増幅することができる。該１つ又は複数の送信機無線周波数ブロック８２６は、無線周波数（ＲＦ）信号を１つ又は複数のアンテナ８３２ａ−ｎに出力することができ、それによって、１つ又は複数のアクセス端末８４２による受信に関して適切に構成された無線媒体を介して、該符号器８０６に入力されたデータ８０４、８１６を伝送する。
【０１５０】
１つ又は複数のアクセス端末８４２は、アクセス・ポイント８０２から信号を受け取り、かつそれを用いることができる。例えば、アクセス端末８４２は、受け取られた帯域幅の指示を用いて、任意の数のＯＦＤＭトーン又はサブキャリア８４０を受け取ることができる。加えて、あるいはその代わりに、アクセス端末８４２は、該チャネル、送信機欠陥及び／又は受信機欠陥を特徴付けるために、アクセス・ポイント８０２によって生成されたパイロット・シーケンスを用いて、かつ、該伝送中に符号化されたデータ８０４、８１６の受け取りを改善するために、その特徴付けを用いることができる。
【０１５１】
例えば、アクセス端末８４２は、１つ又は複数の受信機無線周波数（ＲＸ  ＲＦ）ブロック８５８にフィードする、（アクセス・ポイント８０２、アンテナ８３２ａ−ｎの数、及び／又は、空間ストリーム８３８の数より多いか、それらより少ないか、それらと同等になり得る）１つ又は複数のアンテナ８３６ａ−ｎを含むことができる。該１つ又は複数の受信機無線周波数（ＲＸ  ＲＦ）ブロック８５８は、１つ又は複数のアナログ・デジタル変換器（ＡＤＣ）８５６に対してアナログ信号を出力することができる。例えば、受信機無線周波数ブロック８５８は、信号を受け取りかつダウンコンバートすることができ、該信号はアナログ・デジタル変換器８５６に供給され得る。アクセス・ポイント８０２と同様に、処理された空間ストリーム８３８の数が、アンテナ８３６ａ−ｎの数と等しいかどうかはわからない。さらに、複数の受信機ストリームに到達するように、多様なビームステアリング、直交化、などの技法が用いられ得るので、各空間ストリーム８３８は１つのアンテナ８３６に限定される必要はない。
【０１５２】
該１つ又は複数のアナログ・デジタル変換器（ＡＤＣ）８５６は、受け取られたアナログ信号を、１つ又は複数のデジタル信号へ変換することができる。こうした１つ又は複数のアナログ・デジタル変換器（ＡＤＣ）８５６の出力は、１つ又は複数の時間及び／又は周波数同期ブロック／モジュール８５４に供給され得る。時間及び／又は周波数同期ブロック／モジュール８５４は、時間及び／又は周波数で該デジタル信号を（例えば、アクセス端末８４２クロックへ）同期するか、あるいは、位置合わせをする（ように試みる）ことができる。
【０１５３】
時間及び／又は周波数同期ブロック／モジュール８５４の（同期された）出力は、１つ又は複数のデフォーマッタ８５２に供給され得る。例えば、デフォーマッタ８５２は、時間及び／又は周波数同期ブロック／モジュール８５４の出力を受け取り、プレフィックスなどを取り除き、かつ／又は、高速フーリエ変換（ＦＦＴ）処理に関するデータを平行にすることができる。
【０１５４】
１つ又は複数のデフォーマッタ８５２出力は、１つ又は複数の高速フーリエ変換（ＦＦＴ）ブロック／モジュール８５０に対して供給され得る。該高速フーリエ変換（ＦＦＴ）ブロック／モジュール８５０は、１つ又は複数の信号を、時間領域から周波数領域へ変換することができる。パイロット・プロセッサ８４８は、（例えば、空間ストリーム８３８ごとに）周波数領域の信号を用いて、アクセス・ポイント８０２によって送られた（例えば、空間ストリーム８３８、周波数サブキャリア８４０、及び／又は、シンボル期間のグループを介して）１つ又は複数のパイロット・トーンを決定することができる。該パイロット・プロセッサ８４８は、加えて、あるいはその代わりに、該パイロット・シーケンスをデ・スクランブルすることができる。該パイロット・プロセッサ８４８は、位相及び／又は周波数及び／又は振幅のトラッキングに関して、ここに記載された１つ又は複数のパイロット・シーケンスを用いることができる。該パイロット・トーンは空間−時間−周波数検出及び／又は復号ブロック／モジュール８４６に供給されることができ、該ブロック／モジュールは多様な次元にわたるデータを検出し、かつ／又は、復号することができる。該空間−時間−周波数検出及び／又は復号ブロック／モジュール８４６は、受け取ったデータ８４４（例えば、アクセス・ポイント８０２によって伝送されたペイロード・データ８０４、及び／又は、プリアンブル・データ８１６のアクセス端末８４２の推定）を出力することができる。
【０１５５】
いくつかの構成では、アクセス端末８４２は、全情報シーケンスの一部として送られる伝送シーケンスを知っている。アクセス端末８４２は、こうした既知の伝送シーケンスを用いて、チャネル推定を実行することができる。パイロット・トーン・トラッキング、処理、及び／又は、データ検出及び復号をアシストするために、チャネル推定ブロック／モジュール８６０は、時間及び／又は周波数同期ブロック／モジュール８５４からの出力に基づいて、パイロット・プロセッサ８４８、及び／又は、空間−時間−周波数検出及び／又は復号ブロック／モジュール８４６に対して推定信号を供給することができる。その代わりに、デ・フォーマッティング及び高速フーリエ変換が、全情報シーケンスのペイロード・データ部分用と同じ既知の伝送シーケンスである場合、該推定信号は、高速フーリエ変換（ＦＦＴ）ブロック／モジュール８５０からの出力に基づいて、パイロット・プロセッサ８４８、及び／又は、空間−時間−周波数検出及び／又は復号ブロック・モジュール８４６に対して供給され得る。
【０１５６】
帯域幅決定ブロック／モジュール８３４は、時間／周波数同期ブロック／モジュール出力を用いて、（受け取られた通信のための）チャネル帯域幅を決定することができる。例えば、該帯域幅決定ブロック／モジュール８３４は、チャネル帯域幅を指示するアクセス・ポイント８０２から、帯域幅の指示を受け取ることができる。例を挙げると、該帯域幅決定ブロック／モジュール８３４は、明白な、あるいは、暗黙の帯域幅の指示を得ることができる。１つの構成では、該帯域幅の指示は、２０ＭＨｚ、４０ＭＨｚ、８０ＭＨｚ、又は、１６０ＭＨｚのチャネル帯域幅を指示することができる。該帯域幅決定ブロック／モジュール８３４は、この指示に基づいて受け取られた通信に関する帯域幅を決定することができ、かつ、パイロット・プロセッサ８４８へ、かつ／又は、空間−時間−周波数検出／復号ブロック／モジュール８４６へ該決定された帯域幅の指示を与えることができる。
【０１５７】
より具体的に言うと、決定された帯域幅が２０ＭＨｚの場合、アクセス端末８４２は、Ｌ−ＳＴＦに関しては１２個のＯＦＤＭトーンを、Ｌ−ＬＴＦに関しては５２個のＯＦＤＭトーンを、Ｌ−ＳＩＧフィールドに関しては５２個のＯＦＤＭトーンを、ＶＨＴ−ＳＩＧ−Ａ１フィールド又はシンボルに関しては５２個のＯＦＤＭトーンを、ＶＨＴ−ＳＩＧ−Ａ２フィールド又はシンボルに関しては５２個のＯＦＤＭトーンを、ＶＨＴ−ＳＴＦに関しては１２個のＯＦＤＭトーンを、１つ又は複数のＶＨＴ−ＬＴＦに関しては５６個のＯＦＤＭトーンを、ＶＨＴ−ＳＩＧ−Ｂフィールドに関しては５６個のＯＦＤＭトーンを、及び／又は、ＤＡＴＡフィールドに関しては５６個のＯＦＤＭトーンを受け取ることができる。決定された帯域幅が４０ＭＨｚの場合、アクセス端末８４２は、Ｌ−ＳＴＦに関しては２４個のＯＦＤＭトーンを、Ｌ−ＬＴＦに関しては１０４個のＯＦＤＭトーンを、Ｌ−ＳＩＧフィールドに関しては１０４個のＯＦＤＭトーンを、ＶＨＴ−ＳＩＧ−Ａ１フィールド又はシンボルに関しては１０４個のＯＦＤＭトーンを、ＶＨＴ−ＳＩＧ−Ａ２フィールド又はシンボルに関しては１０４個のＯＦＤＭトーンを、ＶＨＴ−ＳＴＦに関しては２４個のＯＦＤＭトーンを、１つ又は複数のＶＨＴ−ＬＴＦに関しては１１４個のＯＦＤＭトーンを、ＶＨＴ−ＳＩＧ−Ｂフィールドに関しては１１４個のＯＦＤＭトーンを、及び／又は、ＤＡＴＡフィールドに関しては１１４個のＯＦＤＭトーンを受け取ることができる。帯域幅が８０ＭＨｚの場合、アクセス端末８４２は、Ｌ−ＳＴＦに関しては４８個のＯＦＤＭトーンを、Ｌ−ＬＴＦに関しては２０８個のＯＦＤＭトーンを、Ｌ−ＳＩＧフィールドに関しては２０８個のＯＦＤＭトーンを、ＶＨＴ−ＳＩＧ−Ａ１フィールド又はシンボルに関しては２０８個のＯＦＤＭトーンを、ＶＨＴ−ＳＩＧ−Ａ２フィールド又はシンボルに関しては２０８個のＯＦＤＭトーンを、ＶＨＴ−ＳＴＦに関しては４８個のＯＦＤＭトーンを、１つ又は複数のＶＨＴ−ＬＴＦに関しては２４２個のＯＦＤＭトーンを、ＶＨＴ−ＳＩＧ−Ｂフィールドに関しては２４２個のＯＦＤＭトーンを、及び／又は、ＤＡＴＡフィールドに関しては２４２個のＯＦＤＭトーンを受け取ることができる。帯域幅が１６０ＭＨｚの場合、アクセス端末８４２は、Ｌ−ＳＴＦに関しては４８個のＯＦＤＭトーンを、Ｌ−ＬＴＦに関しては４１６個のＯＦＤＭトーンを、Ｌ−ＳＩＧフィールドに関しては４１６個のＯＦＤＭトーンを、ＶＨＴ−ＳＩＧ−Ａ１フィールド又はシンボルに関しては４１６個のＯＦＤＭトーンを、ＶＨＴ−ＳＩＧ−Ａ２フィールド又はシンボルに関しては４１６個のＯＦＤＭトーンを、ＶＨＴ−ＳＴＦに関しては４８個のＯＦＤＭトーンを、１つ又は複数のＶＨＴ−ＬＴＦに関しては４８４個のＯＦＤＭトーンを、ＶＨＴ−ＳＩＧ−Ｂフィールド又はシンボルに関しては４８４個のＯＦＤＭトーンを、及び／又は、ＤＡＴＡフィールドに関しては４８４個のＯＦＤＭトーンを受け取ることができる。
【０１５８】
該パイロット・プロセッサ８４８は、決定された帯域幅の指示を用いて、高速フーリエ変換ブロック／モジュール８５０出力から、パイロット・シンボルを抽出することができる。例えば、決定された帯域幅の指示が８０ＭＨｚ帯域幅８６３を指定する場合、該パイロット・プロセッサ８４８は、インデックス−１０３、−７５、−３９、−１１、１１、３９、７５、及び、１０３からパイロット・シンボルを抽出することができる。
【０１５９】
該空間−時間周波数検出／復号ブロック／モジュール８４６は、決定された帯域幅の指示を用いて、受け取られた信号から、プリアンブル・データを検出し、かつ／又は、復号することができる。例えば、現在のフィールドがＶＨＴ−ＳＩＧ−Ｂフィールドであり、かつ、決定された帯域幅の指示が、帯域幅が８０ＭＨｚであることを指定する場合、（例を挙げると、８個のＯＦＭトーンがパイロット・トーンであり、かつ、３個のサブキャリア８４０がＤＣトーンのために用いられる間に、）空間−時間周波数検出／復号・ブロック／モジュール８４６は、２３４個のＯＦＤＭトーン又はサブキャリア８４０からプリアンブル・データを検出し、かつ／又は、復号することができる。いくつかの構成では、空間−時間−周波数検出／復号ブロック／モジュール８４６は、ルックアップ表を用いて、指定された帯域幅を受け取るための、トーン及びサブキャリアの数を決定することができる。
【０１６０】
また、１つの構成では、アクセス端末８４２は、アクセス・ポイント８０２に対してデータ８５７（例えば、プリアンブル・データ及び／又はペイロード・データ）を伝送することもできる。例えば、アクセス端末８４２は、送信機８５９を含むことができる。該送信機８５９は、（便宜上、図８で「送信帯域幅」とした）送信帯域幅決定ブロック／モジュール８６１を含むことができる。該送信帯域幅決定ブロック／モジュール８６１は、アクセス・ポイント８０２への伝送に関する通信帯域幅を決定することができる。例を挙げると、該送信機８５９は、アクセス・ポイント８０２によって実行されたように、フレームに関するトーンを割り当てるための、同一の、あるいは、類似の動作を実行することができる。したがって、例えば、該送信機８５９は、データ８５７を得て、帯域幅を決定し、該帯域幅に基づいてフレームに関するトーン（及びフレーム・フィールド又は信号）を割り当て、データ及びパイロットを該トーンにマップし、かつ／又は、アクセス・ポイント８０２に類似した生じる信号を送信することができる。
【０１６１】
いくつかの構成では、アクセス・ポイント８０２は、データ及び／又はパイロット・シンボルを受け取るための受信機８５３を含むことができる。例えば、アクセス・ポイント８０２は、アクセス端末８４２から、帯域幅の指示、データ及び／又はパイロット・シンボルを受け取ることができる。該受信機８５３は、（便宜上、図８で「受信帯域幅」とした）受信帯域幅決定ブロック／モジュール８５５を含むことができる。該受信帯域幅決定ブロック／モジュール８５５は、アクセス端末８４２内に含まれる帯域幅決定ブロック／モジュール８３４と類似の方法で、受信帯域幅を決定することができる。例を挙げると、アクセス・ポイント８０２は、アクセス端末８４２から帯域幅の指示又はメッセージを受け取ることができ、該アクセス・ポイント８０２を用いて受信帯域幅を決定することができる。アクセス・ポイント８０２は、この受信帯域幅決定を用いて、アクセス端末８４２から受け取られた１つ又は複数の信号を検出し、復号し、復調し、などをすることができる。例を挙げると、受信機８５３は、アクセス端末８４２によって実行された１つ又は複数の動作を、同様に実行することができる。すなわち、受信機８５３は、その受け取ったデータ８４４を得るためにアクセス端末８４２によって実行される、（例えば、受け取ったデータ８５１）フレームに関するトーンを受け取るために、１つ又は複数の動作を同様に実行することができる。
【０１６２】
図９は、多入力・多出力（ＭＩＭＯ）システムで用いられ得る通信デバイス９６５のブロック図である。通信デバイス９６５の例は、送信通信デバイス１０２、受信通信デバイス１４２、アクセス・ポイント８０２、アクセス端末８４２、基地局、ユーザ設備（ＵＥ）、などを含むことができる。該通信デバイス９６５では、１つ又は複数のデータ・ソース９６７、及び／又は、アプリケーション・プロセッサ９６９から、ベースバンド・プロセッサ９７３へ、データ・ストリームの数に関するトラフィック・データが供給される。特に、トラフィック・データは、ベースバンド・プロセッサ９７３内に含まれる送信処理ブロック／モジュール９７７に供給され得る。次いで、個々の送信アンテナ９９５ａ−ｎを介して、各データ・ストリームが送信され得る。該送信処理ブロック／モジュール９７７は、コーデッド・データを供給するためにそのデータ・ストリームに関して選択された特定の符号化スキームに基づいて、各データ・ストリームに関するトラフィック・データを、フォーマットし、コードし、かつ、インターリーブすることができる。
【０１６３】
該送信処理ブロック／モジュール９７７は、図６に示された方法６００を実行することができる。例えば、該送信処理ブロック／モジュール９７７は、トーン割り当てブロック／モジュール９７９を含むことができる。該トーン割り当てブロック／モジュール９７９は、フレームに関してトーンを割り当てるために、命令を実行することができる。
【０１６４】
各データ・ストリームに関する該コーデッド・データは、直交周波数分割多重（ＯＦＤＭ）技法を用いて、パイロット・ジェネレータ９７５から、パイロット・データとともに多重送信されることができる。該パイロット・データは、該チャネル応答を推定するために、既知の方法で処理され、かつ、受信機で用いられる、既知のデータ・パターンになり得る。次いで、各ストリームに関する、該多重送信されたパイロット及びコーデッド・データが、変調シンボルを提供するようにそのデータ・ストリームのために選択され、特定の変調スキーム（例えば、２相位相変調（ＢＰＳＫ）、直交位相変調（ＱＰＳＫ）、多重位相変調（Ｍ−ＰＳＫ）、直交振幅変調（ＱＡＭ）、又は、マルチ・レベル直交振幅変調（Ｍ−ＱＡＭ））に基づいて、変調される（つまり、シンボル・マップされる）。各データ・ストリームに関する、データ・レート、符号化・変調は、プロセッサにより実行される命令によって決まり得る。
【０１６５】
全てのデータ・ストリームに関する変調シンボルは、送信（ＴＸ）多入力・多出力（ＭＩＭＯ）処理ブロック／モジュール９８９に供給されても良く、該ブロック／モジュールは、（例えば、ＯＦＤＭに関する）変調シンボルをさらに処理する。次いで、該送信（ＴＸ）多入力・多出力（ＭＩＭＯ）処理ブロック／モジュール９８９は、送信機９９３ａ−ｎに対して複数の変調シンボル・ストリームを供給する。該ＴＸ送信（ＴＸ）多入力・多出力（ＭＩＭＯ）処理ブロック／モジュール９８９は、送信されているシンボルから、データ・ストリームのシンボルへ、かつ、アンテナ９９５へ、ビームフォーミング・ウェイトを適用することができる。
【０１６６】
各送信機９９３は、個々のシンボル・ストリームを受け取り、かつ、それを処理し、１つ又は複数のアナログ信号を供給し、そして、該アナログ信号をさらに調整（例えば、増幅する、ろ波する、及び、アップコンバートする、）し、ＭＩＭＯチャネルを介する伝送に適した変調された信号を供給することができる。次いで、該アンテナ９９５ａ−ｎから、該送信機９９３ａ−ｎから変調された信号が送信される。例えば、該変調された信号は、別の通信デバイス（図９には示されていない）に送信され得る。
【０１６７】
該通信デバイス９６５は、（別の通信デバイスから）変調された信号を受け取ることができる。このような変調された信号は、アンテナ９９５によって受信され、かつ、受信機９９３によって調整される（例えば、ろ波される、増幅される、ダウンコンバートされる、デジタル化される）。すなわち、各受信機９９３は、それぞれの受け取られた信号を調整（例えば、ろ波する、増幅する、ダウンコンバートする）し、調整された信号をデジタル化してサンプルを供給し、かつ、サンプルをさらに処理して相当する「受け取られた」シンボル・ストリームを供給することができる。
【０１６８】
次いで、ベースバンド・プロセッサ９７３内に含まれる受信処理ブロック／モジュール９８３は、特定の受信機処理技法に基づいて、受信機９９３から受け取られたシンボル・ストリームを受け取り、かつ処理し、複数の「検出された」ストリームを供給する。該受信処理ブロック／モジュール９８３は、各ストリームを復調し、デインターリーブし、かつ復号し、データ・ストリームに関するトラフィック・データをリカバーする。
【０１６９】
該受信処理ブロック／モジュール９８３は、図７に示された方法７００を実行することができる。例えば、該受信処理ブロック／モジュール９８３は、トーン受信ブロック／モジュール９８５を含むことができる。該トーン受信ブロック／モジュール９８５は、フレームに関するトーンを受け取るための命令を実行することができる。
【０１７０】
該ベースバンド・プロセッサ９７３内に含まれるプリコーディング処理ブロック／モジュール９８１は、該受信処理ブロック／モジュール９８３からチャネル状態情報（ＣＳＩ）を受け取ることができる。次いで、該プリコーディング処理ブロック／モジュール９８１は、ビームフォーミング・ウェイトを決定するためにどのプリコーディング・マトリクスを用いるかを決定し、次いで、該抽出されたメッセージを処理する。該ベースバンド・プロセッサ９７３が、ベースバンド・メモリ９８７に情報を格納し、かつ、該メモリから情報を取り出すことができる、ということは留意されるべきである。
【０１７１】
該アプリケーション・プロセッサ９６９に対して、該ベースバンド・プロセッサ９７３によってリカバーされたトラフィック・データが供給され得る。該アプリケーション・プロセッサ９６９は、該アプリケーション・メモリ９７１に情報を格納し、かつ、該メモリから情報を取り出すことができる。
【０１７２】
図１０には、通信デバイス、基地局、及び／又は、アクセス・ポイント１０９７内に含まれ得る、あるコンポーネントを示す。上記の、送信通信デバイス１０２、受信通信デバイス１４２、アクセス・ポイント８０２、及び／又は、通信デバイス９６５は、図１０に示された、通信デバイス／基地局／アクセス・ポイント１０９７と同様に構成され得る。
【０１７３】
該通信デバイス／基地局／アクセス・ポイント１０９７は、プロセッサ１０１５を含んでいる。該プロセッサ１０１５は、汎用シングル・チップ・マイクロプロセッサ又は汎用マルチ・チップ・マイクロプロセッサ（例えば、ＡＲＭ）、特定目的用のマイクロプロセッサ（例えば、デジタル信号プロセッサ（ＤＳＰ））、マイクロコントローラ、プログラム可能ゲート・アレイ、などになり得る。該プロセッサ１０１５は、中央演算処理装置（ＣＰＵ）と呼ばれ得る。図１０の通信デバイス／基地局／アクセス・ポイント１０９７内には単一のプロセッサ１０１５だけが示されているが、代わりの構成では、プロセッサの組み合わせ（例えば、ＡＲＭとＤＳＰ）が用いられることもある。
【０１７４】
また、通信デバイス／基地局／アクセス・ポイント１０９７は、プロセッサ１０１５との電子通信中に、メモリ１０９９を含んでいる（つまり、該プロセッサ１０１５は、該メモリ１０９９から情報を読み取り、かつ／又は、該メモリ１０９９に情報を書き込むことができる）。該メモリ１０９９は、電子情報を格納できる任意の電子コンポーネントになり得る。該メモリ１０９９は、ランダム・アクセス・メモリ（ＲＡＭ）、読み取り専用メモリ（ＲＯＭ）、磁気ディスク記憶媒体、光学記憶媒体、ＲＡＭ内のフラッシュ・メモリ・デバイス、プロセッサと共に含まれるオンボード・メモリ、プログラム可能読み取り専用メモリ（ＰＲＯＭ）、消去可能プログラム可能読み取り専用メモリ（ＥＰＲＯＭ）、電気的消去可能ＰＲＯＭ（ＥＥＰＲＯＭ）、レジスタ、など、になり得て、それらの組み合わせを含む。
【０１７５】
メモリ１０９９内に、データ１００１及び命令１００３が格納され得る。該命令１００３は、１つ又は複数のプログラム、ルーチン、サブルーチン、機能、手順、コード、などを含むことができる。該命令１００３は、単一のコンピュータ可読ステートメント、又は、多くのコンピュータ可読ステートメントを含むことができる。該命令１００３は、上記の方法６００、７００をインプリメントするために、該プロセッサ１０１５によって実行可能となり得る。該命令１００３を実行することは、該メモリ１０９９内に格納される該データ１００１の使用を含み得る。図１０は、該プロセッサ１０１５へロードされているデータ１００１ａ及びいくつかの命令１００３ａを示す。
【０１７６】
また、該通信デバイス／基地局／アクセス・ポイント１０９７は、該通信デバイス／基地局／アクセス・ポイント１０９７と遠隔地（例えば、別の通信デバイス、アクセス端末、アクセス・ポイント、など）との間で信号の送受信を可能にするために、送信機１０１１及び受信機１０１３を含むこともできる。該送信機１０１１及び該受信機１０１３は、まとめてトランシーバ１００９と呼ばれ得る。アンテナ１００７が、トランシーバ１００９と電気的に接続され得る。また、該通信デバイス／基地局／アクセス・ポイント１０９７は、複数の送信機、複数の受信機、複数のトランシーバ、及び／又は複数のアンテナを含むこともできる（示されていない）。
【０１７７】
該通信デバイス／基地局／アクセス・ポイント１０９７の多様なコンポーネントは、１つ又は複数のバスとともに結合されることができ、該バスは、パワー・バス、制御信号バス、ステータス信号バス、データ・バス、などを含み得る。簡単にするために、該多様なバスは、バス・システム１００５として図１０に示されている。
【０１７８】
図１１には、無線通信デバイス及び／又はアクセス端末１１１７内に含まれ得るあるコンポーネントを示す。上記の、１つ又は複数の送信通信デバイス１０２、受信通信デバイス１４２、アクセス端末８４２、及び、通信デバイス９６５は、図１１に示されている無線通信デバイス／アクセス端末１１１７と同様に構成され得る。
【０１７９】
該無線通信デバイス／アクセス端末１１１７は、プロセッサ１１３７を含んでいる。該プロセッサ１１３７は、汎用シングル・チップ・マイクロプロセッサ又は汎用マルチ・チップ・マイクロプロセッサ（例えば、ＡＲＭ）、特定目的用のマイクロプロセッサ（例えば、デジタル信号プロセッサ（ＤＳＰ））、マイクロコントローラ、プログラム可能ゲート・アレイ、などになり得る。該プロセッサ１１３７は、中央演算処理装置（ＣＰＵ）と呼ばれ得る。図１１の無線通信デバイス／アクセス端末１１１７中には単一のプロセッサ１１３７だけが示されているが、代わりの構成では、プロセッサ１１３７の組み合わせ（例えば、ＡＲＭとＤＳＰ）が用いられることもある。
【０１８０】
また、該無線通信デバイス／アクセス端末１１１７は、該プロセッサ１１３７との電子通信中にもメモリ１１１９を含んでいる（つまり、該プロセッサ１１３７は、該メモリ１１１９から情報を読み取り、かつ／又は、該メモリに情報を書き込むことができる。）。該メモリ１１１９は、電子情報を格納することのできる電子コンポーネントになり得る。該メモリ１１１９は、ランダム・アクセス・メモリ（ＲＡＭ）、読み取り専用メモリ（ＲＯＭ）、磁気ディスク記憶媒体、光学記憶媒体、ＲＡＭ内のフラッシュ・メモリ・デバイス、プロセッサ１１３７とともに含まれるオン・ボード・メモリ、プログラム可能読み取り専用メモリ（ＰＲＯＭ）、消去可能プログラム可能読み取り専用メモリ（ＥＰＲＯＭ）、電気的消去可能ＰＲＯＭ（ＥＥＰＲＯＭ）、レジスタ、などや、それらの組み合わせを含んだものでも良い。
【０１８１】
データ１１２１ａ及び命令１１２３ａが、該メモリ１１１９内に格納され得る。該命令１１２３ａは、１つ又は複数のプログラム、ルーチン、サブ・ルーチン、機能、手順、コード、などを含むことができる。該命令１１２３ａは、単一のコンピュータ可読ステートメント、又は、多くのコンピュータ可読ステートメントを含むことができる。該命令１１２３ａは、上記の方法６００、７００の内１つ又は複数をインプリメントするために、プロセッサ１１３７によって実行可能となり得る。該命令１１２３ａを実行することは、該メモリ１１１９内に格納されるデータ１１２１ａの使用を含むことができる。図１１は、（メモリ１１１９内の命令１１２３ａ及びデータ１１２１ａによってもたらされる）該プロセッサ１１３７にロードされている、いくつかの命令１１２３ｂ及びデータ１１２１ｂを示す。
【０１８２】
また、該無線通信デバイス／アクセス端末１１１７は、該無線通信デバイス／アクセス端末１１１７と遠隔地（例えば、別の電子デバイス、無線通信デバイス、など）との間で信号の送受信を可能にするために、送信機１１３３及び受信機１１３５を含むこともできる。該送信機１１３３及び該受信機１１３５は、まとめてトランシーバ１１３１と呼ばれ得る。アンテナ１１２９が、該トランシーバ１１３１と電気的に結合され得る。また、該無線通信デバイス／アクセス端末１１１７は、複数の送信機１１３３、複数の受信機１１３５、複数のトランシーバ１１３１、及び／又は、複数のアンテナ１１２９を含むこともできる（示されていない）。
【０１８３】
いくつかの構成では、該無線通信デバイス／アクセス端末１１１７は、音の信号をキャプチャーするために、１つ又は複数のマイクロフォン１１２５を含むことができる。１つの構成では、マイクロフォン１１２５は、音の信号（例えば、声、スピーチ）を電気的又は電子信号に変換するトランスデューサになり得る。加えて、あるいはその代わりに、該無線通信デバイス／アクセス端末１１１７は、１つ又は複数のスピーカ１１２７を含むことができる。１つの構成では、スピーカ１１２７は、トランスデューサであっても良く、それは電気的（又は電子）信号を音の信号に変換する。
【０１８４】
該無線通信デバイス／アクセス端末１１１７の多様なコンポーネントは、１つ又は複数のバスとともに結合されることができて、該バスには、パワー・バス、制御信号バス、ステータス信号バス、データ・バス、などを含むことができる。簡単にするために、該多様なバスは、バス・システム１１３９として図１１に示されている。
【０１８５】
前の説明では、多様な用語と関係して、参照番号が時折用いられている。用語が参照番号と関係して用いられているところでは、これは、１つ又は複数の図に示されている特定のエレメントを指すように意味され得る。用語が参照番号無しで用いられているところでは、これは、一般的に、任意の特定の図に対する限定無しに、該用語を指すように意味され得る。
【０１８６】
用語「決定する（determining）」には、各種のアクションを包含し、従って、「決定する」には、計算する、演算する、処理する、導き出す、調査する、調べる（例えば、表、データベース、又は別のデータ構造で調べる）、確かめる、および、類似のものを含むことができる。また、「決定する」には、受け取る（例えば、情報を受け取る）、アクセスする（例えば、メモリ内のデータにアクセスする）、及び、類似のものも含むことができる。また、「決定する」には、解く、選択する、選ぶ、確立する、及び、他のものも含むことができる。
【０１８７】
フレーズ「〜に基づく（based on）」は、特別に指定されなければ、「〜だけに基づく（based only on）」と意味することにはならない。すなわち、フレーズ「〜に基づく」は、「〜だけに基づく」と「少なくとも〜に基づく（based at least on）」との両方の言葉を表す。
【０１８８】
ここに記載された機能は、プロセッサ可読媒体又はコンピュータ可読媒体に対する１つ又は複数の命令として格納され得る。該用語「コンピュータ可読媒体」は、コンピュータ又はプロセッサによってアクセスできる任意の有効な媒体を指す。例として、そして限定するわけではないが、そうした媒体には、ＲＡＭ、ＲＯＭ、ＥＥＰＲＯＭ、フラッシュ・メモリ、ＣＤ−ＲＯＭ、又は、その他の光学ディスク・ストレージ、磁気ディスク・ストレージ、又は、その他の磁気ストレージ・デバイス、又は、命令あるいはデータ構造の形式で希望のプログラム・コードを格納するために用いることができ、かつ、コンピュータあるいはプロセッサによってアクセスすることができる、任意のその他の媒体を備えることができる。ここで用いられたような、ディスク（ｄｉｓｋ）及びディスク（ｄｉｓｃ）には、コンパクト・ディスク（ＣＤ）、レーザー・ディスク（登録商標）、光学ディスク、デジタル多用途ディスク（ＤＶＤ）、フロッピー（登録商標）ディスク、及び、ブルーレイ・ディスクを含んでおり、ディスク（ｄｉｓｋ）が通常データを磁気的に再生する一方、ディスク（ｄｉｓｃ）はレーザと共にデータを光学的に再生する。コンピュータ可読媒体は、有形、かつ、非一時的でも良い、ということに留意されるべきである。該用語「コンピュータ・プログラム製品」は、演算デバイス又はプロセッサによって、実行されるか、処理されるか、あるいは、演算され得るコード又は命令（例えば、「プログラム」）と組み合わされる演算デバイス又はプロセッサを指す。ここで用いられたように、該用語「コード（code）」は、プロセッサ又は演算デバイスによって実行可能な、データ、コード、命令、あるいは、ソフトウェアを指しても良い。
【０１８９】
また、ソフトウェア又は命令は、伝送媒体を介して伝送されることもできる。例えば、ソフトウェアが、同軸ケーブル、光ファイバー・ケーブル、ツイステッド・ペア、デジタル加入者線（ＤＳＬ）を用いて、ウェブサイト、サーバー、又は、他のリモート・ソース、又は、マイクロ波、電波、赤外線などの無線技術から伝送される場合、同軸ケーブル、光ファイバー・ケーブル、ツイステッド・ペア、ＤＳＬ、又は、マイクロ波、電波、赤外線などの無線技術は、伝送媒体の定義に含まれる。
【０１９０】
ここに開示された方法は、記載された方法を実現するために、１つ又は複数のステップあるいはアクションを備える。該方法のステップ及び／又はアクションは、請求項の範囲から離れることなく、互いに交換され得る。すなわち、記載されている方法の適切な動作のために特定の順番のステップ又はアクションが要求されない限り、特定のステップ及び／又はアクションの順序及び／又は用途は、請求項の範囲から離れることなく修正され得る。
【０１９１】
本請求項は、前に示した正確な構成及びコンポーネントに限定されていない、ということは理解されるべきである。本請求項の範囲から離れることなく、多様な修正例、変化例、及び、変形例が、ここに記載された装置、方法、及びシステムの詳細、動作、及びアレンジメント内で行われ得る。
以下に本件出願当初の特許請求の範囲に記載された発明を付記する。
［１］
直交周波数分割多重（ＯＦＤＭ）トーンを割り当てるための通信デバイスであって、
プロセッサと、
前記プロセッサと電子通信中のメモリと、
前記メモリ内に格納された命令とを備え、前記命令は、
信号送信に関する帯域幅が２０メガヘルツ（ＭＨｚ）か、４０ＭＨｚか、８０ＭＨｚか、あるいは、１６０ＭＨｚかを決定し、
前記帯域幅が２０ＭＨｚの場合、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを割り当て、
前記帯域幅が４０ＭＨｚの場合、前記ＶＨＴ−ＳＩＧ−Ａ１に関しては１０４個のトーンを、前記ＶＨＴ−ＳＩＧ−Ａ２に関しては１０４個のトーンを、前記ＶＨＴ−ＳＴＦに関しては２４個のトーンを、前記１つ又は複数のＶＨＴ−ＬＴＦに関しては１１４個のトーンを、前記ＶＨＴ−ＳＩＧ−Ｂに関しては１１４個のトーンを、かつ、前記ＤＡＴＡに関しては１１４個のトーンを割り当て、
前記帯域幅が８０ＭＨｚの場合、前記ＶＨＴ−ＳＩＧ−Ａ１に関しては２０８個のトーンを、前記ＶＨＴ−ＳＩＧ−Ａ２に関しては２０８個のトーンを、前記ＶＨＴ−ＳＴＦに関しては４８個のトーンを、前記１つ又は複数のＶＨＴ−ＬＴＦに関しては２４２個のトーンを、前記ＶＨＴ−ＳＩＧ−Ｂに関しては２４２個のトーンを、かつ、前記ＤＡＴＡに関しては２４２個のトーンを割り当て、
前記帯域幅が１６０ＭＨｚの場合、前記ＶＨＴ−ＳＩＧ−Ａ１に関しては４１６個のトーンを、前記ＶＨＴ−ＳＩＧ−Ａ２に関しては４１６個のトーンを、前記ＶＨＴ−ＳＴＦに関しては４８個のトーンを、前記１つ又は複数のＶＨＴ−ＬＴＦに関しては４８４個のトーンを、前記ＶＨＴ−ＳＩＧ−Ｂに関しては４８４個のトーンを、かつ、前記ＤＡＴＡに関しては４８４個のトーンを割り当て、
かつ、前記信号を送信する、
ように実行可能である、通信デバイス。
［２］
前記命令が、
前記帯域幅が２０ＭＨｚの場合、ノン・ハイ・スループット（ノンＨＴ）ショート・トレーニング・フィールド（Ｌ−ＳＴＦ）に関しては１２個のトーンを、ノンＨＴロング・トレーニング・フィールド（Ｌ−ＬＴＦ）に関しては５２個のトーンを、かつ、ノンＨＴ信号フィールド（Ｌ−ＳＩＧ）に関しては５２個のトーンを割り当て、
前記帯域幅が４０ＭＨｚの場合、前記Ｌ−ＳＴＦに関しては２４個のトーンを、前記Ｌ−ＬＴＦに関しては１０４個のトーンを、かつ、前記Ｌ−ＳＩＧに関しては１０４個のトーンを割り当て、
前記帯域幅が８０ＭＨｚの場合、前記Ｌ−ＳＴＦに関しては４８個のトーンを、前記Ｌ−ＬＴＦに関しては２０８個のトーンを、かつ、前記Ｌ−ＳＩＧに関しては２０８個のトーンを割り当て、
前記帯域幅が１６０ＭＨｚの場合、前記Ｌ−ＳＴＦに関しては４８個のトーンを、前記Ｌ−ＬＴＦに関しては４１６個のトーンを、かつ、前記Ｌ−ＳＩＧに関しては４１６個のトーンを割り当てる、
ように更に実行可能である、［１］の通信デバイス。
［３］
前記帯域幅が２０ＭＨｚの場合、前記ＶＨＴ−ＳＩＧ−Ｂは２６ビットを運び、前記帯域幅が４０ＭＨｚの場合、前記ＶＨＴ−ＳＩＧ−Ｂは帯域幅２０ＭＨｚごとに２７ビットを運び、前記帯域幅が８０ＭＨｚの場合、前記ＶＨＴ−ＳＩＧ−Ｂは帯域幅２０ＭＨｚごとに２９ビットを運び、前記帯域幅が１６０ＭＨｚの場合、前記ＶＨＴ−ＳＩＧ−Ｂは帯域幅２０ＭＨｚごとに２９ビットを運ぶ、［１］の通信デバイス。
［４］
前記帯域幅が８０ＭＨｚあるいは１６０ＭＨｚの場合、前記ＶＨＴ−ＳＩＧ−Ｂは１つ又は複数のパッド・ビットを運ぶ、［１］の通信デバイス。
［５］
前記命令が前記帯域幅に基づいて帯域幅メッセージを生成する、ようにさらに実行可能である［１］の通信デバイス。
［６］
前記命令は、フレームがベリー・ハイ・スループット（ＶＨＴ）信号を含んでいることを指示するために、直交２相位相変調（ＱＢＰＳＫ）を用いて、前記ＶＨＴ−ＳＩＧ−Ａ２を変調する、ようにさらに実行可能である［１］の通信デバイス。
［７］
前記帯域幅が８０ＭＨｚの場合、前記命令は、サブキャリア・インデックス−１０３、−７５、−３９、−１１、１１、３９、７５、及び、１０３で、パイロット・トーンを挿入する、ようにさらに実行可能である［１］の通信デバイス。
［８］
直交周波数分割多重（ＯＦＤＭ）トーンを受け取るための通信デバイスであって、
プロセッサと、
前記プロセッサと電子通信中のメモリと、
前記メモリ内に格納された命令と、を備え、前記命令は、
信号受信に関する帯域幅が２０メガヘルツ（ＭＨｚ）か、４０ＭＨｚか、８０ＭＨｚか、あるいは１６０ＭＨｚかを決定し、
前記帯域幅が２０ＭＨｚの場合、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを受け取り、
前記帯域幅が４０ＭＨｚの場合、前記ＶＨＴ−ＳＩＧ−Ａ１に関しては１０４個のトーンを、前記ＶＨＴ−ＳＩＧ−Ａ２に関しては１０４個のトーンを、前記ＶＨＴ−ＳＴＦに関しては２４個のトーンを、前記１つ又は複数のＶＨＴ−ＬＴＦに関しては１１４個のトーンを、前記ＶＨＴ−ＳＩＧ−Ｂに関しては１１４個のトーンを、かつ、前記ＤＡＴＡに関しては１１４個のトーンを受け取り、
前記帯域幅が８０ＭＨｚの場合、前記ＶＨＴ−ＳＩＧ−Ａ１に関しては２０８個のトーンを、前記ＶＨＴ−ＳＩＧ−Ａ２に関しては２０８個のトーンを、前記ＶＨＴ−ＳＴＦに関しては４８個のトーンを、前記１つ又は複数のＶＨＴ−ＬＴＦに関しては２４２個のトーンを、前記ＶＨＴ−ＳＩＧ−Ｂに関しては２４２個のトーンを、かつ、前記ＤＡＴＡに関しては２４２個のトーンを受け取り、
前記帯域幅が１６０ＭＨｚの場合、前記ＶＨＴ−ＳＩＧ−Ａ１に関しては４１６個のトーンを、前記ＶＨＴ−ＳＩＧ−Ａ２に関しては４１６個のトーンを、前記ＶＨＴ−ＳＴＦに関しては４８個のトーンを、前記１つ又は複数のＶＨＴ−ＬＴＦに関しては４８４個のトーンを、前記ＶＨＴ−ＳＩＧ−Ｂに関しては４８４個のトーンを、かつ、前記ＤＡＴＡに関しては４８４個のトーンを受け取る、
ように実行可能である、通信デバイス。
［９］
前記命令が、
前記帯域幅が２０ＭＨｚの場合、ノン・ハイ・スループット（ノンＨＴ）ショート・トレーニング・フィールド（Ｌ−ＳＴＦ）に関しては１２個のトーンを、ノンＨＴロング・トレーニング・フィールド（Ｌ−ＬＴＦ）に関しては５２個のトーンを、かつ、ノンＨＴ信号フィールド（Ｌ−ＳＩＧ）に関しては５２個のトーンを受け取り、
前記帯域幅が４０ＭＨｚの場合、前記Ｌ−ＳＴＦに関しては２４個のトーンを、前記Ｌ−ＬＴＦに関しては１０４個のトーンを、かつ、前記Ｌ−ＳＩＧに関しては１０４個のトーンを受け取り、
前記帯域幅が８０ＭＨｚの場合、前記Ｌ−ＳＴＦに関しては４８個のトーンを、前記Ｌ−ＬＴＦに関しては２０８個のトーンを、かつ、前記Ｌ−ＳＩＧに関しては２０８個のトーンを受け取り、
前記帯域幅が１６０ＭＨｚの場合、前記Ｌ−ＳＴＦに関しては４８個のトーンを、前記Ｌ−ＬＴＦに関しては４１６個のトーンを、かつ、前記Ｌ−ＳＩＧに関しては４１６個のトーンを受け取る、
ように更に実行可能である、［８］の通信デバイス。
［１０］
前記帯域幅が２０ＭＨｚの場合、前記ＶＨＴ−ＳＩＧ−Ｂは２６ビットを運び、前記帯域幅が４０ＭＨｚの場合、前記ＶＨＴ−ＳＩＧ−Ｂは帯域幅２０ＭＨｚごとに２７ビットを運び、前記帯域幅が８０ＭＨｚの場合、前記ＶＨＴ−ＳＩＧ−Ｂは帯域幅２０ＭＨｚごとに２９ビットを運び、前記帯域幅が１６０ＭＨｚの場合、前記ＶＨＴ−ＳＩＧ−Ｂは帯域幅２０ＭＨｚごとに２９ビットを運ぶ、［８］の通信デバイス。
［１１］
前記帯域幅が８０ＭＨｚあるいは１６０ＭＨｚの場合、前記ＶＨＴ−ＳＩＧ−Ｂは１つ又は複数のパッド・ビットを運ぶ、［８］の通信デバイス。
［１２］
信号受信に関する前記帯域幅が２０ＭＨｚか、４０ＭＨｚか、８０ＭＨｚか、あるいは１６０ＭＨｚかを決定することは、帯域幅の指示を受け取ることを備える、［８］の通信デバイス。
［１３］
前記ＶＨＴ−ＳＩＧ−Ａ２が直交２相位相変調（ＱＢＰＳＫ）を用いる場合、前記命令は、ベリー・ハイ・スループット（ＶＨＴ）信号を検出する、ようにさらに実行可能である［８］の通信デバイス。
［１４］
前記帯域幅が８０ＭＨｚの場合、前記命令は、サブキャリア・インデックス−１０３、−７５、−３９、−１１、１１、３９、７５、及び、１０３で、パイロット・トーンを受け取る、ようにさらに実行可能である［８］の通信デバイス。
［１５］
通信デバイス上に直交周波数分割多重（ＯＦＤＭ）トーンを割り当てるための方法であって、
信号送信に関する帯域幅が２０メガヘルツ（ＭＨｚ）か、４０ＭＨｚか、８０ＭＨｚか、あるいは１６０ＭＨｚかを決定することと、
前記帯域幅が２０ＭＨｚの場合、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを割り当てることと、
前記帯域幅が４０ＭＨｚの場合、前記ＶＨＴ−ＳＩＧ−Ａ１に関しては１０４個のトーンを、前記ＶＨＴ−ＳＩＧ−Ａ２に関しては１０４個のトーンを、前記ＶＨＴ−ＳＴＦに関しては２４個のトーンを、前記１つ又は複数のＶＨＴ−ＬＴＦに関しては１１４個のトーンを、前記ＶＨＴ−ＳＩＧ−Ｂに関しては１１４個のトーンを、かつ、前記ＤＡＴＡに関しては１１４個のトーンを割り当てることと、
前記帯域幅が８０ＭＨｚの場合、前記ＶＨＴ−ＳＩＧ−Ａ１に関しては２０８個のトーンを、前記ＶＨＴ−ＳＩＧ−Ａ２に関しては２０８個のトーンを、前記ＶＨＴ−ＳＴＦに関しては４８個のトーンを、前記１つ又は複数のＶＨＴ−ＬＴＦに関しては２４２個のトーンを、前記ＶＨＴ−ＳＩＧ−Ｂに関しては２４２個のトーンを、かつ、前記ＤＡＴＡに関しては２４２個のトーンを割り当てることと、
前記帯域幅が１６０ＭＨｚの場合、前記ＶＨＴ−ＳＩＧ−Ａ１に関しては４１６個のトーンを、前記ＶＨＴ−ＳＩＧ−Ａ２に関しては４１６個のトーンを、前記ＶＨＴ−ＳＴＦに関しては４８個のトーンを、前記１つ又は複数のＶＨＴ−ＬＴＦに関しては４８４個のトーンを、前記ＶＨＴ−ＳＩＧ−Ｂに関しては４８４個のトーンを、かつ、前記ＤＡＴＡに関しては４８４個のトーンを割り当てることと、
前記信号を送信することと、を備える方法。
［１６］
前記帯域幅が２０ＭＨｚの場合、ノン・ハイ・スループット（ノンＨＴ）ショート・トレーニング・フィールド（Ｌ−ＳＴＦ）に関しては１２個のトーンを、ノンＨＴロング・トレーニング・フィールド（Ｌ−ＬＴＦ）に関しては５２個のトーンを、かつ、ノンＨＴ信号フィールド（Ｌ−ＳＩＧ）に関しては５２個のトーンを割り当てることと、
前記帯域幅が４０ＭＨｚの場合、前記Ｌ−ＳＴＦに関しては２４個のトーンを、前記Ｌ−ＬＴＦに関しては１０４個のトーンを、かつ、前記Ｌ−ＳＩＧに関しては１０４個のトーンを割り当てることと、
前記帯域幅が８０ＭＨｚの場合、前記Ｌ−ＳＴＦに関しては４８個のトーンを、前記Ｌ−ＬＴＦに関しては２０８個のトーンを、かつ、前記Ｌ−ＳＩＧに関しては２０８個のトーンを割り当てることと、
前記帯域幅が１６０ＭＨｚの場合、前記Ｌ−ＳＴＦに関しては４８個のトーンを、前記Ｌ−ＬＴＦに関しては４１６個のトーンを、かつ、前記Ｌ−ＳＩＧに関しては４１６個のトーンを割り当てることと、
を更に備える［１５］の方法。
［１７］
前記帯域幅が２０ＭＨｚの場合、前記ＶＨＴ−ＳＩＧ−Ｂは２６ビットを運び、前記帯域幅が４０ＭＨｚの場合、前記ＶＨＴ−ＳＩＧ−Ｂは帯域幅２０ＭＨｚごとに２７ビットを運び、前記帯域幅が８０ＭＨｚの場合、前記ＶＨＴ−ＳＩＧ−Ｂは帯域幅２０ＭＨｚごとに２９ビットを運び、前記帯域幅が１６０ＭＨｚの場合、前記ＶＨＴ−ＳＩＧ−Ｂは帯域幅２０ＭＨｚごとに２９ビットを運ぶ、［１５］の方法。
［１８］
前記帯域幅が８０ＭＨｚあるいは１６０ＭＨｚの場合、前記ＶＨＴ−ＳＩＧ−Ｂは１つ又は複数のパッド・ビットを運ぶ、［１５］の方法。
［１９］
前記帯域幅に基づいて帯域幅メッセージを生成する、ことを更に備える［１５］の方法。
［２０］
フレームがベリー・ハイ・スループット（ＶＨＴ）信号を含んでいることを指示するために、直交２相位相変調（ＱＢＰＳＫ）を用いて、前記ＶＨＴ−ＳＩＧ−Ａ２を変調すること、を更に備える［１５］の方法。
［２１］
前記帯域幅が８０ＭＨｚの場合、サブキャリア・インデックス−１０３、−７５、−３９、−１１、１１、３９、７５、及び、１０３で、パイロット・トーンを挿入すること、を更に備える［１５］の方法。
［２２］
通信デバイス上で直交周波数分割多重（ＯＦＤＭ）トーンを受け取るための方法であって、
信号受信に関する帯域幅が２０メガヘルツ（ＭＨｚ）か、４０ＭＨｚか、８０ＭＨｚか、あるいは１６０ＭＨｚかを決定することと、
前記帯域幅が２０ＭＨｚの場合、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを受け取ることと、
前記帯域幅が４０ＭＨｚの場合、前記ＶＨＴ−ＳＩＧ−Ａ１に関しては１０４個のトーンを、前記ＶＨＴ−ＳＩＧ−Ａ２に関しては１０４個のトーンを、前記ＶＨＴ−ＳＴＦに関しては２４個のトーンを、前記１つ又は複数のＶＨＴ−ＬＴＦに関しては１１４個のトーンを、前記ＶＨＴ−ＳＩＧ−Ｂに関しては１１４個のトーンを、かつ、前記ＤＡＴＡに関しては１１４個のトーンを受け取ることと、
前記帯域幅が８０ＭＨｚの場合、前記ＶＨＴ−ＳＩＧ−Ａ１に関しては２０８個のトーンを、前記ＶＨＴ−ＳＩＧ−Ａ２に関しては２０８個のトーンを、前記ＶＨＴ−ＳＴＦに関しては４８個のトーンを、前記１つ又は複数のＶＨＴ−ＬＴＦに関しては２４２個のトーンを、前記ＶＨＴ−ＳＩＧ−Ｂに関しては２４２個のトーンを、かつ、前記ＤＡＴＡに関しては２４２個のトーンを受け取ることと、
前記帯域幅が１６０ＭＨｚの場合、前記ＶＨＴ−ＳＩＧ−Ａ１に関しては４１６個のトーンを、前記ＶＨＴ−ＳＩＧ−Ａ２に関しては４１６個のトーンを、前記ＶＨＴ−ＳＴＦに関しては４８個のトーンを、前記１つ又は複数のＶＨＴ−ＬＴＦに関しては４８４個のトーンを、前記ＶＨＴ−ＳＩＧ−Ｂに関しては４８４個のトーンを、かつ、前記ＤＡＴＡに関しては４８４個のトーンを受け取ることと、を備える方法。
［２３］
前記帯域幅が２０ＭＨｚの場合、ノン・ハイ・スループット（ノンＨＴ）ショート・トレーニング・フィールド（Ｌ−ＳＴＦ）に関しては１２個のトーンを、ノンＨＴロング・トレーニング・フィールド（Ｌ−ＬＴＦ）に関しては５２個のトーンを、かつ、ノンＨＴ信号フィールド（Ｌ−ＳＩＧ）に関しては５２個のトーンを受け取ることと、
前記帯域幅が４０ＭＨｚの場合、前記Ｌ−ＳＴＦに関しては２４個のトーンを、前記Ｌ−ＬＴＦに関しては１０４個のトーンを、かつ、前記Ｌ−ＳＩＧに関しては１０４個のトーンを受け取ることと、
前記帯域幅が８０ＭＨｚの場合、前記Ｌ−ＳＴＦに関しては４８個のトーンを、前記Ｌ−ＬＴＦに関しては２０８個のトーンを、かつ、前記Ｌ−ＳＩＧに関しては２０８個のトーンを受け取ることと、
前記帯域幅が１６０ＭＨｚの場合、前記Ｌ−ＳＴＦに関しては４８個のトーンを、前記Ｌ−ＬＴＦに関しては４１６個のトーンを、かつ、前記Ｌ−ＳＩＧに関しては４１６個のトーンを受け取ることと、
を更に備える［２２］の方法。
［２４］
前記帯域幅が２０ＭＨｚの場合、前記ＶＨＴ−ＳＩＧ−Ｂは２６ビットを運び、前記帯域幅が４０ＭＨｚの場合、前記ＶＨＴ−ＳＩＧ−Ｂは帯域幅２０ＭＨｚごとに２７ビットを運び、前記帯域幅が８０ＭＨｚの場合、前記ＶＨＴ−ＳＩＧ−Ｂは帯域幅２０ＭＨｚごとに２９ビットを運び、前記帯域幅が１６０ＭＨｚの場合、前記ＶＨＴ−ＳＩＧ−Ｂは帯域幅２０ＭＨｚごとに２９ビットを運ぶ、［２２］の方法。
［２５］
前記帯域幅が８０ＭＨｚあるいは１６０ＭＨｚの場合、前記ＶＨＴ−ＳＩＧ−Ｂは１つ又は複数のパッド・ビットを運ぶ、［２２］の方法。
［２６］
信号受信に関する前記帯域幅が２０ＭＨｚか、４０ＭＨｚか、８０ＭＨｚか、あるいは１６０ＭＨｚかを決定することは、帯域幅の指示を受け取ること、を備える［２２］の方法。
［２７］
前記ＶＨＴ−ＳＩＧ−Ａ２が直交２相位相変調（ＱＢＰＳＫ）を用いる場合、ベリー・ハイ・スループット（ＶＨＴ）信号を検出すること、を更に備える［２２］の方法。
［２８］
前記帯域幅が８０ＭＨｚの場合、サブキャリア・インデックス−１０３、−７５、−３９、−１１、１１、３９、７５、及び、１０３で、パイロット・トーンを受け取ること、を更に備える［２２］の方法。
［２９］
直交周波数分割多重（ＯＦＤＭ）トーンを割り当てるためのコンピュータ・プログラム製品であって、
その上に命令を有する非一時的な有形コンピュータ可読媒体を備えており、前記命令は、
通信デバイスに、信号送信に関する帯域幅が２０メガヘルツ（ＭＨｚ）か、４０ＭＨｚか、８０ＭＨｚか、あるいは１６０ＭＨｚかを決定させるためのコードと、
前記帯域幅が２０ＭＨｚの場合、前記通信デバイスに、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを割り当てさせるためのコードと、
前記帯域幅が４０ＭＨｚの場合、前記通信デバイスに、前記ＶＨＴ−ＳＩＧ−Ａ１に関しては１０４個のトーンを、前記ＶＨＴ−ＳＩＧ−Ａ２に関しては１０４個のトーンを、前記ＶＨＴ−ＳＴＦに関しては２４個のトーンを、前記１つ又は複数のＶＨＴ−ＬＴＦに関しては１１４個のトーンを、前記ＶＨＴ−ＳＩＧ−Ｂに関しては１１４個のトーンを、かつ、前記ＤＡＴＡに関しては１１４個のトーンを割り当てさせるためのコードと、
前記帯域幅が８０ＭＨｚの場合、前記通信デバイスに、前記ＶＨＴ−ＳＩＧ−Ａ１に関しては２０８個のトーンを、前記ＶＨＴ−ＳＩＧ−Ａ２に関しては２０８個のトーンを、前記ＶＨＴ−ＳＴＦに関しては４８個のトーンを、前記１つ又は複数のＶＨＴ−ＬＴＦに関しては２４２個のトーンを、前記ＶＨＴ−ＳＩＧ−Ｂに関しては２４２個のトーンを、かつ、前記ＤＡＴＡに関しては２４２個のトーンを割り当てさせるためのコードと、
前記帯域幅が１６０ＭＨｚの場合、前記通信デバイスに、前記ＶＨＴ−ＳＩＧ−Ａ１に関しては４１６個のトーンを、前記ＶＨＴ−ＳＩＧ−Ａ２に関しては４１６個のトーンを、前記ＶＨＴ−ＳＴＦに関しては４８個のトーンを、前記１つ又は複数のＶＨＴ−ＬＴＦに関しては４８４個のトーンを、前記ＶＨＴ−ＳＩＧ−Ｂに関しては４８４個のトーンを、かつ、前記ＤＡＴＡに関しては４８４個のトーンを割り当てさせるためのコードと、
前記通信デバイスに前記信号を送信させるためのコードと、を備えるコンピュータ・プログラム製品。
［３０］
前記帯域幅が２０ＭＨｚの場合、前記ＶＨＴ−ＳＩＧ−Ｂは２６ビットを運び、前記帯域幅が４０ＭＨｚの場合、前記ＶＨＴ−ＳＩＧ−Ｂは帯域幅２０ＭＨｚごとに２７ビットを運び、前記帯域幅が８０ＭＨｚの場合、前記ＶＨＴ−ＳＩＧ−Ｂは帯域幅２０ＭＨｚごとに２９ビットを運び、前記帯域幅が１６０ＭＨｚの場合、前記ＶＨＴ−ＳＩＧ−Ｂは帯域幅２０ＭＨｚごとに２９ビットを運ぶ、［２９］のコンピュータ・プログラム製品。
［３１］
前記命令が、前記通信デバイスに、前記帯域幅に基づいて帯域幅メッセージを生成させるためのコード、を更に備える［２９］のコンピュータ・プログラム製品。
［３２］
前記命令が、フレームがベリー・ハイ・スループット（ＶＨＴ）信号を含んでいることを指示するために、直交２相位相変調（ＱＢＰＳＫ）を用いて、前記通信デバイスに、前記ＶＨＴ−ＳＩＧ−Ａ２を変調させるためのコード、を更に備える［２９］のコンピュータ・プログラム製品。
［３３］
直交周波数分割多重（ＯＦＤＭ）トーンを受け取るためのコンピュータ・プログラム製品であって、
その上に命令を有する非一時的な有形コンピュータ可読媒体を備えており、前記命令は、
通信デバイスに、信号受信に関する帯域幅が２０メガヘルツ（ＭＨｚ）か、４０ＭＨｚか、８０ＭＨｚか、あるいは１６０ＭＨｚかを決定させるためのコードと、
前記帯域幅が２０ＭＨｚの場合、前記通信デバイスに、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを受け取らせるためのコードと、
前記帯域幅が４０ＭＨｚの場合、前記通信デバイスに、前記ＶＨＴ−ＳＩＧ−Ａ１に関しては１０４個のトーンを、前記ＶＨＴ−ＳＩＧ−Ａ２に関しては１０４個のトーンを、前記ＶＨＴ−ＳＴＦに関しては２４個のトーンを、前記１つ又は複数のＶＨＴ−ＬＴＦに関しては１１４個のトーンを、前記ＶＨＴ−ＳＩＧ−Ｂに関しては１１４個のトーンを、かつ、前記ＤＡＴＡに関しては１１４個のトーンを受け取らせるためのコードと、
前記帯域幅が８０ＭＨｚの場合、前記通信デバイスに、前記ＶＨＴ−ＳＩＧ−Ａ１に関しては２０８個のトーンを、前記ＶＨＴ−ＳＩＧ−Ａ２に関しては２０８個のトーンを、前記ＶＨＴ−ＳＴＦに関しては４８個のトーンを、前記１つ又は複数のＶＨＴ−ＬＴＦに関しては２４２個のトーンを、前記ＶＨＴ−ＳＩＧ−Ｂに関しては２４２個のトーンを、かつ、前記ＤＡＴＡに関しては２４２個のトーンを受け取らせるためのコードと、
前記帯域幅が１６０ＭＨｚの場合、前記通信デバイスに、前記ＶＨＴ−ＳＩＧ−Ａ１に関しては４１６個のトーンを、前記ＶＨＴ−ＳＩＧ−Ａ２に関しては４１６個のトーンを、前記ＶＨＴ−ＳＴＦに関しては４８個のトーンを、前記１つ又は複数のＶＨＴ−ＬＴＦに関しては４８４個のトーンを、前記ＶＨＴ−ＳＩＧ−Ｂに関しては４８４個のトーンを、かつ、前記ＤＡＴＡに関しては４８４個のトーンを受け取らせるためのコードと、を備えるコンピュータ・プログラム製品。
［３４］
前記帯域幅が２０ＭＨｚの場合、前記ＶＨＴ−ＳＩＧ−Ｂは２６ビットを運び、前記帯域幅が４０ＭＨｚの場合、前記ＶＨＴ−ＳＩＧ−Ｂは帯域幅２０ＭＨｚごとに２７ビットを運び、前記帯域幅が８０ＭＨｚの場合、前記ＶＨＴ−ＳＩＧ−Ｂは帯域幅２０ＭＨｚごとに２９ビットを運び、前記帯域幅が１６０ＭＨｚの場合、前記ＶＨＴ−ＳＩＧ−Ｂは帯域幅２０ＭＨｚごとに２９ビットを運ぶ、［３３］のコンピュータ・プログラム製品。
［３５］
信号受信に関する前記帯域幅が２０ＭＨｚか、４０ＭＨｚか、８０ＭＨｚか、あるいは、１６０ＭＨｚかを決定することは、帯域幅の指示を受け取ること、を備える［３３］のコンピュータ・プログラム製品。
［３６］
前記ＶＨＴ−ＳＩＧ−Ａ２が直交２相位相変調（ＱＢＰＳＫ）を用いる場合、前記命令は、前記通信デバイスに、ベリー・ハイ・スループット（ＶＨＴ）信号を検出させるためのコード、を更に備える［３３］のコンピュータ・プログラム製品。
［３７］
直交周波数分割多重（ＯＦＤＭ）トーンを割り当てるための装置であって、
信号送信に関する帯域幅が２０メガヘルツ（ＭＨｚ）か、４０ＭＨｚか、８０ＭＨｚか、あるいは１６０ＭＨｚかを決定するための手段と、
前記帯域幅が２０ＭＨｚの場合、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを割り当てるための手段と、
前記帯域幅が４０ＭＨｚの場合、前記ＶＨＴ−ＳＩＧ−Ａ１に関しては１０４個のトーンを、前記ＶＨＴ−ＳＩＧ−Ａ２に関しては１０４個のトーンを、前記ＶＨＴ−ＳＴＦに関しては２４個のトーンを、前記１つ又は複数のＶＨＴ−ＬＴＦに関しては１１４個のトーンを、前記ＶＨＴ−ＳＩＧ−Ｂに関しては１１４個のトーンを、かつ、前記ＤＡＴＡに関しては１１４個のトーンを割り当てるための手段と、
前記帯域幅が８０ＭＨｚの場合、前記ＶＨＴ−ＳＩＧ−Ａ１に関しては２０８個のトーンを、前記ＶＨＴ−ＳＩＧ−Ａ２に関しては２０８個のトーンを、前記ＶＨＴ−ＳＴＦに関しては４８個のトーンを、前記１つ又は複数のＶＨＴ−ＬＴＦに関しては２４２個のトーンを、前記ＶＨＴ−ＳＩＧ−Ｂに関しては２４２個のトーンを、かつ、前記ＤＡＴＡに関しては２４２個のトーンを割り当てるための手段と、
前記帯域幅が１６０ＭＨｚの場合、前記ＶＨＴ−ＳＩＧ−Ａ１に関しては４１６個のトーンを、前記ＶＨＴ−ＳＩＧ−Ａ２に関しては４１６個のトーンを、前記ＶＨＴ−ＳＴＦに関しては４８個のトーンを、前記１つ又は複数のＶＨＴ−ＬＴＦに関しては４８４個のトーンを、前記ＶＨＴ−ＳＩＧ−Ｂに関しては４８４個のトーンを、かつ、前記ＤＡＴＡに関しては４８４個のトーンを割り当てるための手段と、
前記信号を送信するための手段と、を含んでいる装置。
［３８］
前記帯域幅が２０ＭＨｚの場合、前記ＶＨＴ−ＳＩＧ−Ｂは２６ビットを運び、前記帯域幅が４０ＭＨｚの場合、前記ＶＨＴ−ＳＩＧ−Ｂは帯域幅２０ＭＨｚごとに２７ビットを運び、前記帯域幅が８０ＭＨｚの場合、前記ＶＨＴ−ＳＩＧ−Ｂは帯域幅２０ＭＨｚごとに２９ビットを運び、前記帯域幅が１６０ＭＨｚの場合、前記ＶＨＴ−ＳＩＧ−Ｂは帯域幅２０ＭＨｚごとに２９ビットを運ぶ、［３７］の装置。
［３９］
前記帯域幅に基づいて帯域幅メッセージを生成するための手段、を更に備える［３７］の装置。
［４０］
フレームがベリー・ハイ・スループット（ＶＨＴ）信号を含んでいることを指示するために、直交２相位相変調（ＱＢＰＳＫ）を用いて、前記ＶＨＴ−ＳＩＧ−Ａ２を変調させるための手段、を更に備える［３７］の装置。
［４１］
直交周波数分割多重（ＯＦＤＭ）トーンを受け取るための装置であって、
信号受信に関する帯域幅が２０メガヘルツ（ＭＨｚ）か、４０ＭＨｚか、８０ＭＨｚか、あるいは１６０ＭＨｚかを決定するための手段と、
前記帯域幅が２０ＭＨｚの場合、ベリー・ハイ・スループット信号フィールドＡ１（ＶＨＴ−ＳＩＧ−Ａ１）に関しては５２個のトーンを、ベリー・ハイ・スループット信号フィールドＡ２（ＶＨＴ−ＳＩＧ−Ａ２）に関しては５２個のトーンを、ベリー・ハイ・スループット・ショート・トレーニング・フィールド（ＶＨＴ−ＳＴＦ）に関しては１２個のトーンを、１つ又は複数のベリー・ハイ・スループット・ロング・トレーニング・フィールド（ＶＨＴ−ＬＴＦ）に関しては５６個のトーンを、ベリー・ハイ・スループット信号フィールドＢ（ＶＨＴ−ＳＩＧ−Ｂ）に関しては５６個のトーンを、かつ、データ・フィールド（ＤＡＴＡ）に関しては５６個のトーンを受け取るための手段と、
前記帯域幅が４０ＭＨｚの場合、前記ＶＨＴ−ＳＩＧ−Ａ１に関しては１０４個のトーンを、前記ＶＨＴ−ＳＩＧ−Ａ２に関しては１０４個のトーンを、前記ＶＨＴ−ＳＴＦに関しては２４個のトーンを、前記１つ又は複数のＶＨＴ−ＬＴＦに関しては１１４個のトーンを、前記ＶＨＴ−ＳＩＧ−Ｂに関しては１１４個のトーンを、かつ、前記ＤＡＴＡに関しては１１４個のトーンを受け取るための手段と、
前記帯域幅が８０ＭＨｚの場合、前記ＶＨＴ−ＳＩＧ−Ａ１に関しては２０８個のトーンを、前記ＶＨＴ−ＳＩＧ−Ａ２に関しては２０８個のトーンを、前記ＶＨＴ−ＳＴＦに関しては４８個のトーンを、前記１つ又は複数のＶＨＴ−ＬＴＦに関しては２４２個のトーンを、前記ＶＨＴ−ＳＩＧ−Ｂに関しては２４２個のトーンを、かつ、前記ＤＡＴＡに関しては２４２個のトーンを受け取るための手段と、
前記帯域幅が１６０ＭＨｚの場合、前記ＶＨＴ−ＳＩＧ−Ａ１に関しては４１６個のトーンを、前記ＶＨＴ−ＳＩＧ−Ａ２に関しては４１６個のトーンを、前記ＶＨＴ−ＳＴＦに関しては４８個のトーンを、前記１つ又は複数のＶＨＴ−ＬＴＦに関しては４８４個のトーンを、前記ＶＨＴ−ＳＩＧ−Ｂに関しては４８４個のトーンを、かつ、前記ＤＡＴＡに関しては４８４個のトーンを受け取るための手段と、を備える装置。
［４２］
前記帯域幅が２０ＭＨｚの場合、前記ＶＨＴ−ＳＩＧ−Ｂは２６ビットを運び、前記帯域幅が４０ＭＨｚの場合、前記ＶＨＴ−ＳＩＧ−Ｂは帯域幅２０ＭＨｚごとに２７ビットを運び、前記帯域幅が８０ＭＨｚの場合、前記ＶＨＴ−ＳＩＧ−Ｂは帯域幅２０ＭＨｚごとに２９ビットを運び、前記帯域幅が１６０ＭＨｚの場合、前記ＶＨＴ−ＳＩＧ−Ｂは帯域幅２０ＭＨｚごとに２９ビットを運ぶ、［４１］の装置。
［４３］
信号受信に関する前記帯域幅が２０ＭＨｚか、４０ＭＨｚか、８０ＭＨｚか、あるいは、１６０ＭＨｚかを決定することは、帯域幅の指示を受け取ることを備える、［４１］の装置。
［４４］
前記ＶＨＴ−ＳＩＧ−Ａ２が直交２相位相変調（ＱＢＰＳＫ）を用いる場合、ベリー・ハイ・スループット（ＶＨＴ）信号を検出するための手段を更に備える、［４１］の装置。
【図１】
0005579921.tif 000005
【図２】
0005579921.tif 000006
【図３】
0005579921.tif 000007
【図４】
0005579921.tif 000008
【図５】
0005579921.tif 000009
【図６】
0005579921.tif 000010
【図７】
0005579921.tif 000011
【図８】
0005579921.tif 000012
【図９】
0005579921.tif 000013
【図１０】
0005579921.tif 000014
【図１１】
0005579921.tif 000015